(57)【要約】  本発明は、データを送信するための、および可視スペクトル範囲内の電磁放射を放出するための送信機であって、ａ）第１の電磁放射を発生および放出するための放射源と、ｂ）送信されるデータに応じて第１の電磁放射を変調して、変調された第１の電磁放射を発生するように適合されている変調器と、ｃ）変調された第１の電磁放射の少なくとも一部を、変調された第１の電磁放射とは異なる変調された第２の電磁放射に変換するための周波数変換体とを備え、周波数変換体が、少なくとも１種の有機蛍光着色剤を含むポリマーマトリックス材料を含む、送信機に関する。さらに、本発明は、そのような送信機を含む照射装置に関する。さらに、本発明は、そのような送信機ならびに受信機およびデータ分析装置を含むデータ送信システムに関する。【特許請求の範囲】
【請求項１】
データを送信するための、および可視スペクトル範囲内の電磁放射を放出するための送信機であって、
−第１の電磁放射を発生および放出するための放射源と、
−送信される前記データに応じて前記第１の電磁放射を変調して、変調された第１の電磁放射を発生するように適合されている変調器と
を備え、
−前記変調された第１の電磁放射の少なくとも一部を、前記変調された第１の電磁放射とは異なる変調された第２の電磁放射に変換するための周波数変換体
をさらに備えることを特徴とし、
前記周波数変換体が、ポリマーマトリックス材料と、
（Ｂ１）式（Ｉ）
【化１】
2020532222.tif 000088
（式中、
Ｒ１基、Ｒ２基、Ｒ３基、Ｒ４基、Ｒ５基、Ｒ６基、Ｒ７基、Ｒ８基、Ｒ９基およびＲ１０基のうちの少なくとも１個は互いに独立して、１個、２個または３個のシアノ基と、０個、１個、２個、３個または４個のＲＡｒ置換基とを持つアリールであり、かつ残りのＲ１基、Ｒ２基、Ｒ３基、Ｒ４基、Ｒ５基、Ｒ６基、Ｒ７基、Ｒ８基、Ｒ９基およびＲ１０基は互いに独立して、水素あるいは非置換であるか、または１個、２個、３個、４個もしくは５個のＲＡｒ置換基を持つアリールから選択され、
ここで、
ＲＡｒは互いに独立して、かつそれぞれの存在とは無関係に、ハロゲン、
Ｃ１〜Ｃ３０−アルキル、Ｃ２〜Ｃ３０−アルケニル、Ｃ２〜Ｃ３０−アルキニル（ここで、前記後者の３種の基は、非置換であるか、または１個もしくは複数のＲａ基を持つ）、
Ｃ３〜Ｃ８−シクロアルキル、３〜８員ヘテロシクリル（ここで、前記後者の２種の基は、非置換であるか、または１個もしくは複数のＲｂ基を持つ）、
アリールまたはヘテロアリール（ここで、前記後者の２種の基は、非置換であるか、または１個もしくは複数のＲｃ基を持つ）
から選択され、
ここで、
Ｒａは互いに独立して、かつそれぞれの存在とは無関係に、シアノ、ハロゲン、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｂは互いに独立して、かつそれぞれの存在とは無関係に、シアノ、ハロゲン、Ｃ１〜Ｃ１８−アルキル、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｃは互いに独立して、かつそれぞれの存在とは無関係に、シアノ、ハロゲン、Ｃ１〜Ｃ１８−アルキル、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｂ１は互いに独立して、かつそれぞれの存在とは無関係に、ハロゲン、Ｃ１〜Ｃ１８−アルキルまたはＣ１〜Ｃ１８−ハロアルキルから選択され、
Ｒｃ１は互いに独立して、かつそれぞれの存在とは無関係に、ハロゲン、Ｃ１〜Ｃ１８−アルキルまたはＣ１〜Ｃ１８−ハロアルキルから選択される）
のナフトイルベンゾイミダゾール化合物およびその混合物；
（Ｂ２）式（ＩＩ）
【化２】
2020532222.tif 000089
（式中、
Ｒ２１、Ｒ２２、Ｒ２３、Ｒ２４、Ｒ２５、Ｒ２６、Ｒ２７、Ｒ２８、Ｒ２９およびＲ２１０はそれぞれ独立して、水素、シアノ、あるいは非置換であるか、または１個もしくは複数の同一か異なるＲ２Ａｒ置換基を有するアリールであり、
ここで、
各Ｒ２Ａｒは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１〜Ｃ３０−アルキル、Ｃ２〜Ｃ３０−アルケニル、Ｃ２〜Ｃ３０−アルキニル（ここで、前記後者の３種の基は、非置換であるか、または１個もしくは複数のＲ２ａ基を持つ）、
Ｃ３〜Ｃ８−シクロアルキル、３〜８員ヘテロシクリル（ここで、前記後者の２種の基は、非置換であるか、または１個もしくは複数のＲ２ｂ基を持つ）、
アリール、Ｕ−アリール、ヘテロアリールまたはＵ−ヘテロアリール（ここで、前記後者の４種の基は、非置換であるか、または１個もしくは複数のＲ２ｂ基を持つ）
から独立して選択され、
ここで、
各Ｒ２ａは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、−ＣＯＯＲ２Ａｒ２、−ＳＯ３Ｒ２Ａｒ２、Ｃ３〜Ｃ８−シクロアルキル、３〜８員ヘテロシクリル、アリールまたはヘテロアリール（ここで、前記シクロアルキル基、ヘテロシクリル基、アリール基およびヘテロアリール基は、非置換であるか、または１個もしくは複数のＲ２ｂ基を持つ）から独立して選択され、かつここで、同じ炭素原子において結合された２個のＲ２ａ基は、＝Ｏ基を一緒に形成してもよく；
各Ｒ２ｂは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ３〜Ｃ８−シクロアルキル、３〜８員ヘテロシクリル、アリールまたはヘテロアリール（ここで、前記後者の４種の基は、非置換であるか、または１個もしくは複数のＲ２ｂ１基を持つ）から独立して選択され、かつここで、同じ炭素原子において結合された２個のＲ２ｂ基は、＝Ｏ基を一緒に形成してもよく；
各Ｒ２ｂ１は、シアノ、ヒドロキシル、メルカプト、ニトロ、ハロゲン、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ１〜Ｃ１２−アルコキシまたはＣ１〜Ｃ１２−アルキルチオから独立して選択され、かつここで、同じ炭素原子において結合された２個のＲ２ｂ１基は、＝Ｏ基を一緒に形成してもよく；
Ｕは、−Ｏ−、−Ｓ−、−ＮＲ２Ａｒ１−、−ＣＯ−、−ＳＯ−または−ＳＯ２−部分であり；
Ｒ２Ａｒ１、Ｒ２Ａｒ２、Ｒ２Ａｒ３はそれぞれ独立して、水素、Ｃ１〜Ｃ１８−アルキル、３〜８員シクロアルキル、３〜８員ヘテロシクリル、アリールまたはヘテロアリール（ここで、アルキルは、非置換であるか、または１個もしくは複数のＲ２ａ基を持ち、ここで、３〜８員シクロアルキル、３〜８員ヘテロシクリル、アリールおよびヘテロアリールは、非置換であるか、または１個もしくは複数のＲ２ｂ基を持つ）である）
のシアノ化ナフトイルベンゾイミダゾール化合物（ただし、式（ＩＩ）の前記化合物は、少なくとも１個のシアノ基を含む）およびその混合物；
（Ｂ３）式（ＩＩＩ）
【化３】
2020532222.tif 000090
（式中、
Ｚ３置換基のうちの１個はシアノであり、かつ他のＺ３置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリール（ここで、
Ｃ１〜Ｃ１８−アルキル、Ｃ２〜Ｃ１８−アルケニル、Ｃ２〜Ｃ１８−アルキニルは、非置換であるか、または１個もしくは複数の同一か異なるＺ３ａ置換基を持ち、
Ｃ３〜Ｃ１２−シクロアルキルは、非置換であるか、または１個もしくは複数の同一か異なるＺ３ｂ置換基を持ち、かつ
Ｃ６〜Ｃ１４−アリールは、非置換であるか、または１個もしくは複数の同一か異なるＺ３Ａｒ置換基を持つ）であり；
Ｚ３＊置換基のうちの１個はシアノであり、かつ他のＺ３＊置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリール（ここで、
Ｃ１〜Ｃ１８−アルキル、Ｃ２〜Ｃ１８−アルケニル、Ｃ２〜Ｃ１８−アルキニルは、非置換であるか、または１個もしくは複数の同一か異なるＺ３ａ置換基を持ち、
Ｃ３〜Ｃ１２−シクロアルキルは、非置換であるか、または１個もしくは複数の同一か異なるＺ３ｂ置換基を持ち、かつ
Ｃ６〜Ｃ１４−アリールは、非置換であるか、または１個もしくは複数の同一か異なるＺ３Ａｒ置換基を持つ）であり；
Ｒ３１、Ｒ３２、Ｒ３３、Ｒ３４、Ｒ３５、Ｒ３６、Ｒ３７およびＲ３８はそれぞれ、水素、シアノ、臭素または塩素から独立して選択され、
ただし、前記Ｒ３１置換基、Ｒ３２置換基、Ｒ３３置換基、Ｒ３４置換基、Ｒ３５置換基、Ｒ３６置換基、Ｒ３７置換基またはＲ３８置換基のうちの１個、２個、３個、４個、５個、６個、７個または８個はシアノであり；
ここで、
Ｒ３９は、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリール（ここで、
Ｃ１〜Ｃ１０−アルキル、Ｃ２〜Ｃ１０−アルケニル、Ｃ２〜Ｃ１０−アルキニルは、非置換であるか、または１個もしくは複数の同一か異なるＲ３ａ置換基を持ち、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
Ｒ３１０およびＲ３１１はそれぞれ独立して、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリール（ここで、
Ｃ１〜Ｃ１０−アルキル、Ｃ２〜Ｃ１０−アルケニル、Ｃ２〜Ｃ１０−アルキニルは、非置換であるか、または１個もしくは複数の同一か異なるＲ３ａ置換基を持ち、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
各Ｚ３ａは独立して、ハロゲン、ヒドロキシル、ＮＲ３１０ａＲ３１１ａ、Ｃ１〜Ｃ１０−アルコキシ、Ｃ１〜Ｃ１０−ハロアルコキシ、Ｃ１〜Ｃ１０−アルキルチオ、Ｃ３〜Ｃ１２−シクロアルキル、Ｃ６〜Ｃ１４−アリール、Ｃ（＝Ｏ）Ｒ３９ａ；Ｃ（＝Ｏ）ＯＲ３９ａまたはＣ（Ｏ）ＮＲ３１０ａＲ３１１ａ（ここで、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
各Ｚ３ｂおよび各Ｚ３Ａｒは独立して、ハロゲン、ヒドロキシル、ＮＲ３１０ａＲ３１１ａ、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ（＝Ｏ）Ｒ３９ａ；Ｃ（＝Ｏ）ＯＲ３９ａまたはＣ（Ｏ）ＮＲ３１０ａＲ３１１ａであり；
各Ｒ３ａは独立して、ハロゲン、ヒドロキシル、Ｃ１〜Ｃ１０−アルコキシ、Ｃ３〜Ｃ１２−シクロアルキルまたはＣ６〜Ｃ１４−アリールであり；
各Ｒ３ｂは独立して、ハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；
各Ｒ３Ａｒは独立して、ハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；
Ｒ３９ａは、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；かつ
Ｒ３１０ａ、Ｒ３１１ａはそれぞれ独立して、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールである）
のシアノ化ペリレン化合物およびその混合物；
（Ｂ４）式（ＩＶ）
【化４】
2020532222.tif 000091
（式中、
ｍ４は、０、１、２、３または４であり；
各Ｒ４１は互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシまたはＣ６〜Ｃ２４−アリール−Ｃ１〜Ｃ１０−アルキレン（ここで、前記最後に挙げた６種の基内のシクロアルキル、ヘテロシクロアルキル、ヘテロアリール、アリール、アリールオキシの環は、非置換であるか、または１個、２個、３個、４個もしくは５個の同一か異なるＲ４１ａ基で置換されており、かつここで、Ｃ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
Ｒ４２基、Ｒ４３基、Ｒ４４基およびＲ４５基のうちの少なくとも１個はＣＮであり、かつ残りの基は、互いに独立して、水素、塩素または臭素から選択され；
Ｘ４０は、Ｏ、Ｓ、ＳＯまたはＳＯ２であり；
Ａは、一般式（Ａ．１）、（Ａ．２）、（Ａ．３）または（Ａ．４）
【化５】
2020532222.tif 000092
（式中、
＊はそれぞれの場合において、分子の残りの部分との連結点を表し；
ｎ４は、０、１、２、３または４であり；
ｏ４は、０、１、２または３であり；
ｐ４は、０、１、２または３であり；
Ｒ４６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール−Ｃ１〜Ｃ１０−アルキレン（ここで、前記最後に挙げた３種の基内のシクロアルキル、アリールおよびアリール−アルキレンの環は、非置換であるか、または１個、２個、３個、４個もしくは５個の同一か異なるＲ４６ａ基で置換されており、かつここで、Ｃ１〜Ｃ２４−アルキル、Ｃ１〜Ｃ２４−ハロアルキル、およびＣ６〜Ｃ２４−アリール−Ｃ１〜Ｃ１０−アルキレンのアルキレン部分は、Ｏ、ＳおよびＮＲ４ｃから選択される１個もしくは複数のヘテロ原子またはヘテロ原子基により中断されていてもよい）であり；
各Ｒ４７は互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、前記最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４７ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲ４ｃから選択される１個または複数の基により中断されていてもよい）から選択され；
各Ｒ４８は互いに独立して、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、前記最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４８ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
各Ｒ４９は互いに独立して、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、前記最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４９ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
Ｒ４１ａ、Ｒ４６ａ、Ｒ４７ａ、Ｒ４８ａ、Ｒ４９ａは互いに独立して、Ｃ１〜Ｃ２４−アルキル、Ｃ１〜Ｃ２４−フルオロアルキル、Ｃ１〜Ｃ２４−アルコキシ、フッ素、塩素または臭素から選択され；
Ｒ４ａ、Ｒ４ｂ、Ｒ４ｃは互いに独立して、水素、Ｃ１〜Ｃ２０−アルキル、Ｃ３〜Ｃ２４−シクロアルキル、ヘテロシクロアルキル、ヘテロアリールまたはＣ６〜Ｃ２４−アリールから選択される）のジラジカルから選択されるジラジカルである）
のシアノ化化合物およびその混合物；
（Ｂ５）式（Ｖ）
【化６】
2020532222.tif 000093
（式中、
Ｘ５は、酸素または硫黄であり；
Ｒ５１は、非置換であるか、または１個もしくは複数のＲ５１ａ基で置換されているＣ１〜Ｃ２４−アルキルであるか、あるいはＲ５１は、非置換であるか、またはハロゲン、Ｒ５１１、ＯＲ５５２、ＮＨＲ５５２およびＮＲ５５２Ｒ５５７から選択される１個、２個、３個、４個または５個の置換基を持つフェニルであり；
Ｒ５１ａは互いに独立して、かつそれぞれの存在とは無関係に、シアノ、ハロゲン、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリル、アリールおよびヘテロアリールは、非置換であるか、またはハロゲン、Ｃ１〜Ｃ１８−アルキルおよびＣ１〜Ｃ１８−ハロアルキルから選択される１個または複数の置換基を持つ）から選択され；
Ｒ５２、Ｒ５３、Ｒ５４、Ｒ５５、Ｒ５６、Ｒ５７、Ｒ５８およびＲ５９は互いに独立して、水素、ハロゲン、Ｒ５５３、ＯＲ５５３、ＮＨＲ５５３またはＮＲ５５３Ｒ５５４
（式中、
Ｒ５１１は、Ｃ１〜Ｃ２０−アルキル、Ｃ６〜Ｃ２４−アリールまたはヘテロアリールから選択され；
Ｒ５５２およびＲ５５７は互いに独立して、Ｃ１〜Ｃ１８−アルキル、Ｃ６〜Ｃ２４−アリールまたはヘテロアリールから選択され；かつ
Ｒ５５３およびＲ５５４は互いに独立して、Ｃ１〜Ｃ１８−アルキル、Ｃ６〜Ｃ２４−アリールまたはヘテロアリールから選択される）から選択される）
のベンゾ（チ）オキサンテン化合物およびその混合物；
（Ｂ６）式（ＶＩＡ）または（ＶＩＢ）
【化７】
2020532222.tif 000094
（式中、
Ｘ６は、酸素または硫黄であり；
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１およびＲ６１２は互いに独立して、水素、ハロゲン、Ｒ６６１、ＯＲ６６１、ＮＨＲ６６１またはＮＲ６６１Ｒ６６２
（式中、
各Ｒ６６１は、Ｃ１〜Ｃ１８−アルキル、Ｃ６〜Ｃ２４−アリールまたはヘテロアリールから選択され；かつ
各Ｒ６６２は、Ｃ１〜Ｃ１８−アルキル、Ｃ６〜Ｃ２４−アリールまたはヘテロアリールから選択される）から選択される）
のベンゾイミダゾキサンテンイソキノリン化合物およびその混合物；
（Ｂ７）式（ＶＩＩ）
【化８】
2020532222.tif 000095
（ここで、示された前記ベンゾイミダゾール構造の前記６員環の１個または複数のＣＨ基は、窒素で置き換えられていてもよく、かつここで、前記記号はそれぞれ以下の通り定義される：
ｎ７は、前記式（ＶＩＩ）の各構造単位についての０〜（１０−ｐ７）（ここで、ｐ７は、示された前記ベンゾイミダゾール構造の前記６員環において窒素で置き換えられたＣＨ単位の数である）の数であり；
Ｘ７は、化学結合、Ｏ、Ｓ、ＳＯ、ＳＯ２、ＮＲ７１であり；かつ
Ｒは、そのそれぞれが置換基を持っていてもよい脂肪族基、脂環式基、アリール、ヘテロアリール、
そのそれぞれが前記式（ＶＩＩ）の前記構造単位の他の芳香族環に縮合されている芳香族もしくはヘテロ芳香族の環または環系であり、
Ｘ７が化学結合ではないとき、Ｆ、Ｃｌ、Ｂｒ、ＣＮ、Ｈであり；
ここで、２個のＲ基が結合されて１個の環式基を与えてもよく、かつ
ここで、Ｘ７およびＲは、ｎ７＞１のとき、同じでも、異なっていてもよく；
Ｒ７１はそれぞれ独立して、水素、その炭素鎖が１個もしくは複数の−Ｏ−、−Ｓ−、−ＣＯ−、−ＳＯ−および／または−ＳＯ２−部分を含んでいてもよく、かつ一置換もしくは多置換されていてもよいＣ１〜Ｃ１８−アルキルまたはシクロアルキル；
一置換もしくは多置換されていてもよいアリールまたはヘテロアリールである）
の少なくとも１つの構造単位を含む蛍光化合物およびその混合物；
（Ｂ８）式（ＶＩＩＩ）または（ＩＸ）
【化９】
2020532222.tif 000096
（ここで、
Ｒ８１、Ｒ８２はそれぞれ独立して、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、前記後者の３種の基内の芳香族環は、非置換であるか、またはＣ１〜Ｃ１０−アルキルで一置換もしくは多置換されている）であり；
Ｒ９２は、Ｃ１〜Ｃ３０−アルキル、Ｃ３〜Ｃ８−シクロアルキル、アリール、ヘテロアリール、アリール−Ｃ１〜Ｃ１０−アルキレン（ここで、前記後者の３種の基内の芳香族環は、非置換であるか、またはＣ１〜Ｃ１０−アルキルで一置換もしくは多置換されている）である）
のペリレン化合物；
（Ｂ９）式（Ｘ）
【化１０】
2020532222.tif 000097
（式中、
各Ｒ１０１は互いに独立して、水素、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、前記後者の３種の基内の芳香族環は、非置換であるか、またはＣ１〜Ｃ１０−アルキルで一置換もしくは多置換されている）であり；
Ｒ１０２は、水素、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、前記後者の３種の基内の芳香族環は、非置換であるか、またはＣ１〜Ｃ１０−アルキルで一置換もしくは多置換されている）である）
のナフタレンモノイミド化合物；
（Ｂ１０）７−（ジエチルアミノ）−３−（５−メチルベンゾ［ｄ］オキサゾール−２−イル）−２Ｈ−クロメン−２−オン；
（Ｂ１１）式（ＸＩＡ）または（ＸＩＢ）
【化１１】
2020532222.tif 000098
（式中、
各Ｒ１１１は互いに独立して、Ｃ１〜Ｃ１８アルキル、ハロゲンで、または直鎖もしくは分岐鎖のＣ１〜Ｃ１８アルキルで一置換もしくは多置換されていてもよいＣ４〜Ｃ８シクロアルキル、あるいはハロゲンで、または直鎖もしくは分岐鎖のＣ１〜Ｃ１８アルキルで一置換もしくは多置換されていてもよいフェニルまたはナフチルである）
のペリレン化合物およびその混合物；
（Ｂ１２）式（ＸＩＩＡ）または（ＸＩＩＢ）
【化１２】
2020532222.tif 000099
（式中、
各Ｒ１２１は互いに独立して、Ｃ１〜Ｃ１８アルキル、ハロゲンで、または直鎖もしくは分岐鎖のＣ１〜Ｃ１８アルキルで一置換もしくは多置換されていてもよいＣ４〜Ｃ８シクロアルキル、あるいはハロゲンで、または直鎖もしくは分岐鎖のＣ１〜Ｃ１８アルキルで一置換もしくは多置換されていてもよいフェニルまたはナフチルである）
のシアノ化ペリレン化合物およびその混合物；
（Ｂ１３）式（ＸＩＩＩ）
【化１３】
2020532222.tif 000100
（式中、
ｐ１３は、１、２、３または４であり；
Ｒ１３１およびＲ１３２は互いに独立して、非置換であるか、あるいはさらには非置換であるか、または１個、２個もしくは３個のＣ１〜Ｃ１０−アルキルで置換されているＣ６〜Ｃ１０−アリールで置換されているＣ１〜Ｃ１０−アルキル、
１個または複数の酸素により中断されているＣ２〜Ｃ２０−アルキル、
非置換であるか、または１個、２個もしくは３個のＣ１〜Ｃ１０−アルキルで置換されているＣ３〜Ｃ８−シクロアルキル、あるいは
非置換であるか、または１個、２個もしくは３個のＣ１〜Ｃ１０−アルキルで置換されているＣ６〜Ｃ１０−アリールであり；
各Ｒ１３３は互いに独立して、フッ素、塩素、Ｃ１〜Ｃ１６−アルキル、１個または複数の酸素により中断されたＣ２〜Ｃ１６−アルキル、Ｃ１〜Ｃ１６−アルコキシ、非置換であるか、またはフッ素、塩素、Ｃ１〜Ｃ１６−アルキル、１個もしくは複数の酸素により中断されたＣ２〜Ｃ１６−アルキル、Ｃ１〜Ｃ１６−アルコキシで一置換もしくは多置換されているＣ６〜Ｃ１０−アリールオキシあるいは非置換であるか、またはＣ１〜Ｃ６−アルキル、Ｃ１〜Ｃ６−アルコキシ−Ｃ１〜Ｃ６−アルキルおよびＣ１〜Ｃ６−アルコキシから選択される１個、２個または３個の基で置換されているＣ６〜Ｃ１０−アリールであり、
ここで、前記Ｒ１３３基は、＊で示される位置にある）
のペリレンビスイミド化合物およびその混合物；
（Ｂ１４）式（ＸＩＶ）
【化１４】
2020532222.tif 000101
（式中、
Ｒ１４１およびＲ１４２は、互いに独立して、水素、それぞれの場合において非置換もしくは置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールまたはＣ６〜Ｃ２４−アリールオキシから選択され；
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、互いに独立して、水素、ハロゲン、シアノ、ヒドロキシル、メルカプト、ニトロ、−ＮＥ１４１Ｅ１４２、−ＮＲＡｒ１４１ＣＯＲＡ１４２、−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、それぞれの場合において非置換もしくは置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４−アリールオキシまたはＣ６〜Ｃ２４−アリールチオから選択され、
ここで、Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合されているビフェニリル部分の炭素原子と共に、非置換であるか、もしくは置換されているさらなる縮合された芳香族または非芳香族の環系を形成してもよく；
ここで、
Ｅ１４１およびＥ１４２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり；
ＲＡｒ１４１およびＲＡｒ１４２はそれぞれ互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）
のペリレン化合物およびその混合物
（Ｂ１５）式（ＸＶ）
【化１５】
2020532222.tif 000102
の化合物；
（Ｂ１６）式（ＸＶＩ）
【化１６】
2020532222.tif 000103
（式中、
ｐ１６は、０、１、２、３または４であり；
Ｒ１６１およびＲ１６２は互いに独立して、非置換であるか、あるいはさらには非置換であるか、または１個、２個もしくは３個のＣ１〜Ｃ１０−アルキルで置換されているＣ６〜Ｃ１０−アリールで置換されているＣ１〜Ｃ１０−アルキル、
１個または複数の酸素により中断されているＣ２〜Ｃ２０−アルキル、
非置換であるか、または１個、２個もしくは３個のＣ１〜Ｃ１０−アルキルで置換されているＣ３〜Ｃ８−シクロアルキル、あるいは
非置換であるか、または１個、２個もしくは３個のＣ１〜Ｃ１０−アルキルで置換されているＣ６〜Ｃ１０−アリールであり；
Ｒ１６３は、存在する場合、互いに独立して、フッ素、塩素、Ｃ１〜Ｃ１６−アルキル、１個または複数の酸素により中断されたＣ２〜Ｃ１６−アルキル、Ｃ１〜Ｃ１６−アルコキシ、非置換であるか、またはフッ素、塩素、Ｃ１〜Ｃ１６−アルキル、１個もしくは複数の酸素により中断されたＣ２〜Ｃ１６−アルキル、Ｃ１〜Ｃ１６−アルコキシで一置換もしくは多置換されているＣ６〜Ｃ１０−アリールオキシあるいは非置換であるか、またはＣ１〜Ｃ６−アルキル、Ｃ１〜Ｃ６−アルコキシ−Ｃ１〜Ｃ６−アルキルおよびＣ１〜Ｃ６−アルコキシから選択される１個、２個または３個の基で置換されているＣ６〜Ｃ１０−アリールであり、
ここで、前記Ｒ１６３基は、＊で示される位置にある）
のテリレンビスイミド化合物およびその混合物から選択される少なくとも１種の有機蛍光着色剤Ｂとを含む、送信機。
【請求項２】
前記第１の電磁放射が、少なくとも３５０ｎｍ〜５００ｎｍの間のスペクトル範囲内の波長を含む、請求項１記載の送信機。
【請求項３】
前記放射源が発光ダイオード（ＬＥＤ）またはレーザダイオードである、請求項１または２記載の送信機。
【請求項４】
前記放射源が、４００ｎｍ〜４８０ｎｍの間の放出の中心波長を有する青色ＬＥＤである、請求項３記載の送信機。
【請求項５】
前記放射源が、ＵＶ−ＬＥＤ、ＲＧＢ  ＬＥＤシステム、有機ＬＥＤおよび冷白色ＬＥＤからなる群から選択され、前記冷白色ＬＥＤが、４０００Ｋ〜２００００Ｋの間の相関色温度を有する、請求項３記載の送信機。
【請求項６】
前記周波数変換体が、前記Ｂ１群、Ｂ２群、Ｂ３群、Ｂ４群、Ｂ５群、Ｂ７群、Ｂ８群、Ｂ１１群、Ｂ１２群、Ｂ１３群、Ｂ１４群、Ｂ１５群、Ｂ１６群またはそれらの混合物から選択される少なくとも１種の着色剤Ｂを含む、請求項１から５までのいずれか１項記載の送信機。
【請求項７】
前記周波数変換体が、Ｂ７群の化合物およびＢ１３群の化合物から選択される有機蛍光着色剤の組合せを含む、請求項１から６までのいずれか１項記載の送信機。
【請求項８】
前記周波数変換体の前記ポリマーマトリックス材料が、ポリスチレン、ポリカーボネート、ポリメチルメタクリレート、ポリメタクリレート、ポリビニルピロリドン、ポリ酢酸ビニル、ポリ塩化ビニル、ポリブテン、シリコーン、ポリアクリレート、エポキシ樹脂、ポリビニルアルコール、ポリ（エチレンビニルアルコール）−コポリマー、ポリアクリロニトリル、ポリ塩化ビニリデン、ポリスチレンアクリロニトリル（ＳＡＮ）、ポリブチレンテレフタレート、ポリエチレンテレフタレート、ポリビニルブチレート、ポリ塩化ビニル、ポリアミド、ポリオキシメチレン、ポリイミド、ポリエーテルイミド、２，５−フランジカルボキシレートポリエステルまたはそれらの混合物から選択され、好ましくは前記周波数変換体の前記ポリマーマトリックス材料が、ポリスチレン、ポリカーボネート、ポリエチレンテレフタレート、ポリメチルメタクリレートまたはポリエチレンフラノエートからなる、請求項１から７までのいずれか１項記載の送信機。
【請求項９】
前記周波数変換体が、少なくとも１種の散乱体、好ましくは散乱体としての無機白色顔料を追加的に含む、請求項１から８までのいずれか１項記載の送信機。
【請求項１０】
前記周波数変換体が、０．１〜９ｎｓ、特に４〜７ｎｓの範囲内の蛍光減衰時間（励起状態寿命）を有する、請求項１から９までのいずれか１項記載の送信機。
【請求項１１】
前記周波数変換体が、前記放射源から離れた配置で配置されており、前記放射源までの距離が０．０１〜１０ｃｍの範囲内である、請求項１から１０までのいずれか１項記載の送信機。
【請求項１２】
前記周波数変換体が、押出、印刷、被覆または成型により形成される、請求項１から１１までのいずれか１項記載の送信機。
【請求項１３】
前記変調器が前記放射源に接続されており、かつ前記放射源により放出された前記第１の電磁放射の少なくとも一部の強度が、送信される前記データに応じて変化するように、前記変調器が、前記放射源を制御するように適合されている、請求項１から１２までのいずれか１項記載の送信機。
【請求項１４】
前記可視スペクトル範囲内の変調された第２の電磁放射を送信する請求項１から１３までのいずれか１項記載の送信機を含む照射装置であって、少なくとも１００ｌｍ〜３００００ｌｍの範囲内である前記変調された第２の電磁放射の光束の値を生じるように適合されている、照射装置。
【請求項１５】
請求項１から１３までのいずれか１項記載の送信機を含み、
前記送信機により放出された前記変調された第２の電磁放射の少なくとも一部を検出するための受信機と、
前記検出された変調された第２の電磁放射からデータを抽出するためのデータ分析装置と
をさらに含むデータ送信システム。
【発明の詳細な説明】
【技術分野】
【０００１】
本発明は、データを送信するための、および可視スペクトル範囲内の電磁放射を放出するための送信機に関する。送信機は、第１の電磁放射を発生および放出するための放射源を備える。さらに、送信機は、送信されるデータに応じて第１の電磁放射を変調して、変調された第１の電磁放射を発生するように適合されている変調器を備える。さらに、本発明は、そのような送信機を含む照射装置に関する。さらに、本発明は、そのような送信機ならびに受信機およびデータ分析装置を含むデータ送信システムに関する。
【背景技術】
【０００２】
可視光通信（ＶＬＣ）は、急成長している技術分野であり、既存の無線技術を置き換えたり、補完したりする高速かつ安全な無線通信を実施することを目的としている。（インダストリー４．０、ＩＰ  ４．０（登録商標）などの基礎である）モノのインターネット、ウェアラブル（すなわち、インプラントまたはアクセサリーとして身に着けることができる、マイクロコントローラを備えたスマート電子装置）のような新技術および移動通信の一般的な増加により、データストリームが急増し、新しい通信路が必要とされている。リモートフォスファーＬＥＤにおいてとりわけ周波数変換体として使用することができる有機半導体は、その可視バンドギャップ、短い放射寿命および高いフォトルミネッセンス量子収率（ＰＬＱＹ）のために、ＶＬＣにとって多くの潜在的な利点をもたらす。実際、発光ダイオード（ＬＥＤ）による既存の照明源の置き換えはますます増えている。ＬｉＦｉ（ライトフィデリティ）は、その強度が変化するＬＥＤ照明を使用した照射による高速無線通信向けのデータの送信に対して確立された用語である。オフィス、街路灯および住宅におけるＬＥＤ照明の広範な使用と共に、ＬｉＦｉは、既存の照明インフラに加わる利益である。
【０００３】
依然として解決される必要がある重要な問題は、市販の白色ＬＥＤの遅い応答である。これまで、白色光を直接放出することができるＬＥＤは存在しない。白色光ＬＥＤは、黄色ルミネッセント材料で被覆もしくは覆われた青色放出または近紫外線放出ＬＥＤチップ（およそ４５０ｎｍの青色放出ＬＥＤの放出波長）から作製することができる。この考え方によれば、ルミネッセント材料は、ＬＥＤ光源（ＬＥＤチップ）に対して間隙を介在させずに直接適用される。この考え方は、「フォスファー・オン・ア・チップ（ｐｈｏｓｐｈｏｒ  ｏｎ  ａ  ｃｈｉｐ）」とも呼ばれる。フォスファー・オン・ア・チップ式ＬＥＤにおいて、使用されるルミネッセント材料は一般に、青色ＬＥＤ放出の一部を吸収して、広い黄色スペクトルを再放出する無機材料（例えば、ドープＹＡＧ）である。多くの場合、このタイプのＬＥＤは、冷白色光を発生し（すなわち、６０００Ｋを超える相関色温度ＣＣＴを有する）、その平均演色評価数ＣＲＩは低く、通常約７０〜８５である。
【０００４】
６０００Ｋ未満のＣＣＴを有するより快い自然な白色光を実現するために、異なる考え方を使用することができる。この考え方によれば、青色ＬＥＤチップからある一定の距離のところにあるポリマーマトリックスにルミネッセント材料を溶解または分散させる。この構造は「リモートフォスファー」と呼ばれる。
【０００５】
しかし、従来の蛍光体のフォトルミネッセンス寿命（蛍光／リン光寿命または励起状態寿命）は、高速のデータ送信をサポートするには長すぎる（１０ナノ秒超から最大数マイクロ秒程度の範囲）。ＬＥＤ照明によりデータを送信するため、ＩＥＥＥ  ８０２．１５．７−２０１１規格は、最大１２０Ｍｈｚの光クロック周波数を規定しており、これは、数ナノ秒程度のＬＥＤのオン・オフ時間を必要とする。ＬｉＦｉ用途のための１つの解決策は現在、白色光を実現するために赤色、緑色および青色を組み合わせるＲＧＢ−ＬＥＤの使用である。データ送信に十分に高速にするために、別の選択肢は、青色ＬＥＤ放出のみを使用して、蛍光寿命が長すぎる蛍光体により変換された他の波長をフィルタにかけて除くものである。ごく少量（典型的には約６％）のエネルギーがスペクトルの青色部分に存在するため、これらのシステムは範囲が限られている。Ｌｕｃｉｂｅｌ  ＬｉＦｉシステムのような、双方向線を通じた無線ネットワークを可能にする最初の市販のＬｉＦｉ製品は既に利用可能であるが、依然として相当な改善が必要である。
【０００６】
ＶＬＣ用途における周波数変換体材料として有用であるために、有機蛍光着色剤は、照射条件下で高い光安定性を有していなければならない。周波数変換体材料のさらなる重要な特徴は、高い蛍光量子収率と組み合わせた短い励起状態寿命であり、その理由は、通信路の容量がその帯域幅に比例し、変調帯域が、周波数変換体材料の励起状態寿命および蛍光量子収率に依存するからである。しかし、先行技術により既知の有機蛍光着色剤は、多くの場合、蛍光量子収率が不十分であると共に光安定性が不十分であり、かつ／または励起状態寿命が長く、これにより、固有のシステムの帯域幅は数ＭＨｚに制限される。
【０００７】
Ｈ．Ｃｈｕｎらは、「Ｖｉｓｉｂｌｅ  Ｌｉｇｈｔ  Ｃｏｍｍｕｎｉｃａｔｉｏｎ  ｕｓｉｎｇ  ａ  Ｂｌｕｅ  ＧａＮ  μＬＥＤ  ａｎｄ  Ｆｌｕｏｒｅｓｃｅｎｔ  Ｐｏｌｙｍｅｒ  Ｃｏｌｏｕｒ  Ｃｏｎｖｅｒｔｅｒ」という表題のそのオンライン論文（ｈｔｔｐｓ：／／ｐｕｒｅ．ｓｔｒａｔｈ．ａｃ．ｕｋ／ｐｏｒｔａｌ／ｆｉｌｅｓ／４４５８０３５６／Ｃｈｕｎ＿ｅｔａｌ＿ＩＥＥＥ＿ＰＴＬ＿２０１５＿Ｖｉｓｉｂｌｅ＿ｌｉｇｈｔ＿ｃｏｍｍｕｎｉｃａｔｉｏｎ＿ｕｓｉｎｇ＿ａ＿ｂｌｕｅ＿ＧａＮ＿ｕＬＥＤ＿ａｎｄ＿ｆｌｕｏｒｅｓｃｅｎｔ．ｐｄｆ）において、青色ＧａＮ  μＬＥＤと、黄色蛍光コポリマー、すなわちポリパラ−フェニレンビニレンの共役コポリマーとにより発生された白色光を使用して高速可視光通信を実現する新規の技術について記載している。この技術により、μＬＥＤの青色エレクトロルミネッセンスと、コポリマー周波数変換体の黄色フォトルミネッセンスとの間の比が改善される。ポリパラ−フェニレンビニレンの共役コポリマー（「Ｓｕｐｅｒ  Ｙｅｌｌｏｗ」）は、溶液中、６０％のフォトルミネッセンス量子収率を有する。照射条件下のポリパラ−フェニレンビニレンの共役コポリマーの光安定性に関する言及はない。
【０００８】
Ｍ．Ｔ．Ｓａｊｊａｄらは、Ａｄｖ．Ｏｐｔｉｃａｌ  Ｍａｔｅｒ．２０１５，３，５３６−５４０において、ＶＬＣ用周波数変換体材料として蛍光赤色放出ボロンジピロメテン（ＢＯＤＩＰＹ）−オリゴフルオレン星形分子について記載している。溶液中で測定された励起状態寿命は３．３６〜５．２２ｎｓの範囲内であり、溶液中の放出寿命（測定された寿命とフォトルミネッセンス量子収率との比）は４．４９〜８．８０ｎｓの範囲内である。通常、固体膜中の有機蛍光着色剤のフォトルミネッセンス量子収率は溶液中より低い。したがって、実際の使用条件に相当するであろう固体膜中の特定の蛍光（ｆｌｕｒｏｅｓｃｅｎｔ）化合物の放出寿命に関して、Ｓａｊｊａｄのデータはいかなる結論も出すことができない。照射条件下のＢＯＤＩＰＹ化合物の光安定性に関する言及はない。
【０００９】
上述の文書はいずれも、実際の使用条件下でフォトルミネッセンス（ｐｈｏｔｏｌｕｍｉｎｅｓｃｅｎｅ）量子収率およびフォトルミネッセンス寿命を測定することによる固体膜中の有機蛍光着色剤のいかなる光物理特性についても記載していない。
【００１０】
Ｍ．Ｔ．Ｓａｊｊａｄらは、Ａｐｐｌ．Ｐｈｙｓ．Ｌｅｔｔ．１１０，０１３３０２（２０１７）において、星形有機半導体のブレンドを使用した可視光通信向けの飽和赤色周波数変換体について記載している。
【００１１】
Ｍ．Ｔ．Ｓａｊｊａｄらは、そのオンラインで発表された論文「Ａ  ｎｏｖｅｌ  ｆａｓｔ  ｃｏｌｏｒ−ｃｏｎｖｅｒｔｅｒ  ｆｏｒ  ｖｉｓｉｂｌｅ  ｌｉｇｈｔ  ｃｏｍｍｕｎｉｃａｔｉｏｎ  ｕｓｉｎｇ  ａ  ｂｌｅｎｄ  ｏｆ  ｃｏｎｊｕｇａｔｅｄ  ｐｏｌｙｍｅｒｓ」（ｈｔｔｐｓ：／／ｐｕｒｅ．ｓｔｒａｔｈ．ａｃ．ｕｋ／ｐｏｒｔａｌ／ｆｉｌｅｓ／４１６０５６４４／Ｓａｊｊａｄ＿ｅｔａｌ＿ＡＣＳ＿Ｐｈｏｔｏｎｉｃｓ＿２０１５＿Ｎｏｖｅｌ＿ｆａｓｔ＿ｃｏｌｏｒ＿ｃｏｎｖｅｒｔｅｒ＿ｆｏｒ＿ｖｉｓｉｂｌｅ＿ｌｉｇｈｔ＿ｃｏｍｍｕｎｉｃａｔｉｏｎ．ｐｄｆ）において、可視光通信向けハイブリッドＬＥＤにおける市販の蛍光体を置き換える高速色変換体として、半導体ポリマーのブレンド、特に強蛍光緑色放出ポリ［２，５−ビス（２／，５／−ビス（２／／−エチルヘキシルオキシ）フェニル）−ｐ−フェニレンビニレン）（ＢＢＥＨＰ−ＰＰＶ）および橙赤色放出ポリ［２−メトキシ−５−（２−エチルヘキシルオキシ）−１，４−フェニレンビニレン］（ＭＥＨ−ＰＰＶ）を使用することについて記載している。可視光通信向けハイブリッドＬＥＤにおける市販の蛍光体を置き換える、非常に高い変調帯域を有するバランスがとれた広帯域の周波数変換体を実現することが可能であった。得られる周波数変換体は、緑色放出ＢＢＥＨＰ−ＰＰＶから橙赤色放出ＭＥＨ−ＰＰＶへの部分的なフェルスターエネルギー移動を利用する。達成した３ｄＢ変調帯域（電気的−電気的）は、市販されているフォスファーＬＥＤのものより４０倍高く、前述の赤色放出有機周波数変換体のものより５倍高かった。
【００１２】
良好な放出効率を維持しながら、好ましくは高い光安定性と共に、数ナノ秒程度の、好ましくはさらに短い蛍光寿命を有する蛍光体の需要は多い。さらに、良好な色再現および色温度を有する照明装置を提供することが同時に可能であるべきである。好ましくは、照明装置は、６０００Ｋ未満、好ましくは４０００Ｋ未満のＣＣＴおよび９０を超える平均演色評価数ＣＲＩおよび快いＲ９値を有するべきである。
【００１３】
したがって本発明の目的は、高い蛍光量子収率と組み合わせた短い励起状態寿命、データ送信に対する高い光安定性および良好な色再現ならびに良好な相関色温度を有する、データを送信するための、および可視スペクトル範囲内の電磁放射を放出するための送信機を含むＬｉＦｉ用途向けの非常に高い変調帯域を有する周波数変換体における使用のための有機蛍光着色剤を提供することである。好ましくは、（１種または複数種の）有機蛍光着色剤は、放射源から放出された光により大きく励起されるべきである。
【００１４】
好ましくは、有機蛍光着色剤は、以下の特徴のうちの１つまたは複数を有するべきである：
−数ナノ秒程度の短い蛍光寿命（励起状態寿命）；
−数ナノ秒程度の短い放出寿命；
−青色光および／または白色光照射条件下での高い耐光性（光安定性）；
−青色光および／または白色光照射条件下での高い熱安定性；
−水分および酸素に対する高い化学的安定性；
−高い蛍光量子収率（ＱＹ）；
−良好な溶液加工性；
−ポリマーマトリックス中への蛍光着色剤の良好な押出加工性；
ならびに
−約４５０ｎｍにおける大きな吸収。
【００１５】
ここで驚くべきことに、本明細書において定義される（Ｂ１）〜（Ｂ１６）群から選択される少なくとも１種の有機蛍光着色剤Ｂを含む周波数変換体を含む、データを送信するための、および可視スペクトル範囲内の電磁放射を放出するための送信機により、先行技術の前述の不利な点を克服することができることが明らかになった。
【００１６】
発明の概要
本発明は、データを送信するための、および可視スペクトル範囲内の電磁放射を放出するための送信機であって、
−第１の電磁放射を発生および放出するための放射源と、
−送信されるデータに応じて第１の電磁放射を変調して、変調された第１の電磁放射を発生するように適合されている変調器と、
−変調された第１の電磁放射の少なくとも一部を、変調された第１の電磁放射とは異なる変調された第２の電磁放射に変換するための周波数変換体と
を備え、
周波数変換体が、ポリマーマトリックス材料と、
（Ｂ１）式（Ｉ）
【化１】
2020532222.tif 000002
【００１７】
（式中、
Ｒ１基、Ｒ２基、Ｒ３基、Ｒ４基、Ｒ５基、Ｒ６基、Ｒ７基、Ｒ８基、Ｒ９基およびＲ１０基のうちの少なくとも１個は互いに独立して、１個、２個または３個のシアノ基と、０個、１個、２個、３個または４個のＲＡｒ置換基とを持つアリールであり、かつ残りのＲ１基、Ｒ２基、Ｒ３基、Ｒ４基、Ｒ５基、Ｒ６基、Ｒ７基、Ｒ８基、Ｒ９基およびＲ１０基は互いに独立して、水素あるいは非置換であるか、または１個、２個、３個、４個もしくは５個のＲＡｒ置換基を持つアリールから選択され、
ここで、
ＲＡｒは互いに独立して、かつそれぞれの存在とは無関係に、ハロゲン、
Ｃ１〜Ｃ３０−アルキル、Ｃ２〜Ｃ３０−アルケニル、Ｃ２〜Ｃ３０−アルキニル（ここで、後者の３種の基は、非置換であるか、または１個もしくは複数のＲａ基を持つ）、
Ｃ３〜Ｃ８−シクロアルキル、３〜８員ヘテロシクリル（ここで、後者の２種の基は、非置換であるか、または１個もしくは複数のＲｂ基を持つ）、
アリールまたはヘテロアリール（ここで、後者の２種の基は、非置換であるか、または１個もしくは複数のＲｃ基を持つ）
から選択され、
ここで、
Ｒａは互いに独立して、かつそれぞれの存在とは無関係に、シアノ、ハロゲン、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｂは互いに独立して、かつそれぞれの存在とは無関係に、シアノ、ハロゲン、Ｃ１〜Ｃ１８−アルキル、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｃは互いに独立して、かつそれぞれの存在とは無関係に、シアノ、ハロゲン、Ｃ１〜Ｃ１８−アルキル、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリルは、非置換であるか、または１個もしくは複数のＲｂ１基を持ち、かつここで、アリールおよびヘテロアリールは、非置換であるか、または１個もしくは複数のＲｃ１基を持つ）から選択され；
Ｒｂ１は互いに独立して、かつそれぞれの存在とは無関係に、ハロゲン、Ｃ１〜Ｃ１８−アルキルまたはＣ１〜Ｃ１８−ハロアルキルから選択され、
Ｒｃ１は互いに独立して、かつそれぞれの存在とは無関係に、ハロゲン、Ｃ１〜Ｃ１８−アルキルまたはＣ１〜Ｃ１８−ハロアルキルから選択される）
のナフトイルベンゾイミダゾール化合物およびその混合物；
（Ｂ２）式（ＩＩ）
【化２】
2020532222.tif 000003
【００１８】
（式中、
Ｒ２１、Ｒ２２、Ｒ２３、Ｒ２４、Ｒ２５、Ｒ２６、Ｒ２７、Ｒ２８、Ｒ２９およびＲ２１０はそれぞれ独立して、水素、シアノ、あるいは非置換であるか、または１個もしくは複数の同一か異なるＲ２Ａｒ置換基を有するアリールであり、
ここで、
各Ｒ２Ａｒは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１〜Ｃ３０−アルキル、Ｃ２〜Ｃ３０−アルケニル、Ｃ２〜Ｃ３０−アルキニル（ここで、後者の３種の基は、非置換であるか、または１個もしくは複数のＲ２ａ基を持つ）、
Ｃ３〜Ｃ８−シクロアルキル、３〜８員ヘテロシクリル（ここで、後者の２種の基は、非置換であるか、または１個もしくは複数のＲ２ｂ基を持つ）、
アリール、Ｕ−アリール、ヘテロアリールまたはＵ−ヘテロアリール（ここで、後者の４種の基は、非置換であるか、または１個もしくは複数のＲ２ｂ基を持つ）
から独立して選択され、
ここで、
各Ｒ２ａは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２ＲＡｒ３、−ＮＲ２Ａｒ２ＣＯＲ２Ａｒ３、−ＣＯＮＲ２Ａｒ２ＲＡｒ３、−ＳＯ２ＮＲ２Ａｒ２ＲＡｒ３、−ＣＯＯＲ２Ａｒ２、−ＳＯ３Ｒ２Ａｒ２、Ｃ３〜Ｃ８−シクロアルキル、３〜８員ヘテロシクリル、アリールまたはヘテロアリール（ここで、シクロアルキル基、ヘテロシクリル基、アリール基およびヘテロアリール基は、非置換であるか、または１個もしくは複数のＲ２ｂ基を持つ）から独立して選択され、かつここで、同じ炭素原子において結合された２個のＲ２ａ基は、＝Ｏ基を一緒に形成してもよく；
各Ｒ２ｂは、シアノ、ヒドロキシル、メルカプト、ハロゲン、Ｃ１〜Ｃ２０−アルコキシ、Ｃ１〜Ｃ２０−アルキルチオ、ニトロ、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ３〜Ｃ８−シクロアルキル、３〜８員ヘテロシクリル、アリールまたはヘテロアリール（ここで、後者の４種の基は、非置換であるか、または１個もしくは複数のＲ２ｂ１基を持つ）から独立して選択され、かつここで、同じ炭素原子において結合された２個のＲ２ｂ基は、＝Ｏ基を一緒に形成してもよく；
各Ｒ２ｂ１は、シアノ、ヒドロキシル、メルカプト、ニトロ、ハロゲン、−ＮＲ２Ａｒ２Ｒ２Ａｒ３、−ＮＲ２Ａｒ２ＣＯＲ２Ａｒ３、−ＣＯＮＲ２Ａｒ２Ｒ２Ａｒ３、−ＳＯ２ＮＲ２Ａｒ２Ｒ２Ａｒ３、−ＣＯＯＲ２Ａｒ２、−ＳＯ３Ｒ２Ａｒ２、−ＳＯ３Ｒ２Ａｒ２、Ｃ１〜Ｃ１８−アルキル、Ｃ２〜Ｃ１８−アルケニル、Ｃ２〜Ｃ１８−アルキニル、Ｃ１〜Ｃ１２−アルコキシまたはＣ１〜Ｃ１２−アルキルチオから独立して選択され、かつここで、同じ炭素原子において結合された２個のＲ２ｂ１基は、＝Ｏ基を一緒に形成してもよく；
Ｕは、−Ｏ−、−Ｓ−、−ＮＲ２Ａｒ１−、−ＣＯ−、−ＳＯ−または−ＳＯ２−部分であり；
Ｒ２Ａｒ１、Ｒ２Ａｒ２、Ｒ２Ａｒ３はそれぞれ独立して、水素、Ｃ１〜Ｃ１８−アルキル、３〜８員シクロアルキル、３〜８員ヘテロシクリル、アリールまたはヘテロアリール（ここで、アルキルは、非置換であるか、または１個もしくは複数のＲ２ａ基を持ち、ここで、３〜８員シクロアルキル、３〜８員ヘテロシクリル、アリールおよびヘテロアリールは、非置換であるか、または１個もしくは複数のＲ２ｂ基を持つ）である）
のシアノ化ナフトイルベンゾイミダゾール化合物（ただし、式（ＩＩ）の化合物は、少なくとも１個のシアノ基を含む）およびその混合物；
（Ｂ３）式（ＩＩＩ）
【化３】
2020532222.tif 000004
【００１９】
（式中、
Ｚ３置換基のうちの１個はシアノであり、かつ他のＺ３置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリール（ここで、
Ｃ１〜Ｃ１８−アルキル、Ｃ２〜Ｃ１８−アルケニル、Ｃ２〜Ｃ１８−アルキニルは、非置換であるか、または１個もしくは複数の同一か異なるＺ３ａ置換基を持ち、
Ｃ３〜Ｃ１２−シクロアルキルは、非置換であるか、または１個もしくは複数の同一か異なるＺ３ｂ置換基を持ち、かつ
Ｃ６〜Ｃ１４−アリールは、非置換であるか、または１個もしくは複数の同一か異なるＺ３Ａｒ置換基を持つ）であり；
Ｚ３＊置換基のうちの１個はシアノであり、かつ他のＺ３＊置換基は、ＣＯ２Ｒ３９、ＣＯＮＲ３１０Ｒ３１１、Ｃ１〜Ｃ１８−アルキル、Ｃ２〜Ｃ１８−アルケニル、Ｃ２〜Ｃ１８−アルキニル、Ｃ３〜Ｃ１２−シクロアルキルまたはＣ６〜Ｃ１４−アリール（ここで、
Ｃ１〜Ｃ１８−アルキル、Ｃ２〜Ｃ１８−アルケニル、Ｃ２〜Ｃ１８−アルキニルは、非置換であるか、または１個もしくは複数の同一か異なるＺ３ａ置換基を持ち、
Ｃ３〜Ｃ１２−シクロアルキルは、非置換であるか、または１個もしくは複数の同一か異なるＺ３ｂ置換基を持ち、かつ
Ｃ６〜Ｃ１４−アリールは、非置換であるか、または１個もしくは複数の同一か異なるＺ３Ａｒ置換基を持つ）であり；
Ｒ３１、Ｒ３２、Ｒ３３、Ｒ３４、Ｒ３５、Ｒ３６、Ｒ３７およびＲ３８はそれぞれ、水素、シアノ、臭素または塩素から独立して選択され、
ただし、Ｒ３１置換基、Ｒ３２置換基、Ｒ３３置換基、Ｒ３４置換基、Ｒ３５置換基、Ｒ３６置換基、Ｒ３７置換基またはＲ３８置換基のうちの１個、２個、３個、４個、５個、６個、７個または８個はシアノであり；
ここで、
Ｒ３９は、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリール（ここで、
Ｃ１〜Ｃ１０−アルキル、Ｃ２〜Ｃ１０−アルケニル、Ｃ２〜Ｃ１０−アルキニルは、非置換であるか、または１個もしくは複数の同一か異なるＲ３ａ置換基を持ち、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
Ｒ３１０およびＲ３１１はそれぞれ独立して、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリール（ここで、
Ｃ１〜Ｃ１０−アルキル、Ｃ２〜Ｃ１０−アルケニル、Ｃ２〜Ｃ１０−アルキニルは、非置換であるか、または１個もしくは複数の同一か異なるＲ３ａ置換基を持ち、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
各Ｚ３ａは独立して、ハロゲン、ヒドロキシル、ＮＲ３１０ａＲ３１１ａ、Ｃ１〜Ｃ１０−アルコキシ、Ｃ１〜Ｃ１０−ハロアルコキシ、Ｃ１〜Ｃ１０−アルキルチオ、Ｃ３〜Ｃ１２−シクロアルキル、Ｃ６〜Ｃ１４−アリール、Ｃ（＝Ｏ）Ｒ３９ａ；Ｃ（＝Ｏ）ＯＲ３９ａまたはＣ（Ｏ）ＮＲ３１０ａＲ３１１ａ（ここで、
Ｃ３〜Ｃ１２−シクロアルキルは、非置換であるか、または１個もしくは複数の同一か異なるＲ３ｂ置換基を持ち、かつ
Ｃ６〜Ｃ１４−アリールは、非置換であるか、または１個もしくは複数の同一か異なるＲ３Ａｒ置換基を持つ）であり；
各Ｚ３ｂおよび各Ｚ３Ａｒは独立して、ハロゲン、ヒドロキシル、ＮＲ３１０ａＲ３１１ａ、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ（＝Ｏ）Ｒ３９ａ；Ｃ（＝Ｏ）ＯＲ３９ａまたはＣ（Ｏ）ＮＲ３１０ａＲ３１１ａであり；
各Ｒ３ａは独立して、ハロゲン、ヒドロキシル、Ｃ１〜Ｃ１０−アルコキシ、Ｃ３〜Ｃ１２−シクロアルキルまたはＣ６〜Ｃ１４−アリールであり；
各Ｒ３ｂは独立して、ハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；
各Ｒ３Ａｒは独立して、ハロゲン、ヒドロキシル、Ｃ１〜Ｃ１０−アルキル、Ｃ１〜Ｃ１０−アルコキシ、Ｃ１〜Ｃ１０−ハロアルコキシ、Ｃ１〜Ｃ１０−アルキルチオ、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；
Ｒ３９ａは、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールであり；かつ
Ｒ３１０ａ、Ｒ３１１ａはそれぞれ独立して、水素、Ｃ１〜Ｃ１０−アルキル、Ｃ２〜Ｃ１０−アルケニル、Ｃ２〜Ｃ１０−アルキニル、Ｃ３〜Ｃ１２−シクロアルキルまたはＣ６〜Ｃ１４−アリールである）
のシアノ化ペリレン化合物およびその混合物；
（Ｂ４）式（ＩＶ）
【化４】
2020532222.tif 000005
【００２０】
（式中、
ｍ４は、０、１、２、３または４であり；
各Ｒ４１は互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシまたはＣ６〜Ｃ２４−アリール−Ｃ１〜Ｃ１０−アルキレン（ここで、最後に挙げた６種の基内のシクロアルキル、ヘテロシクロアルキル、ヘテロアリール、アリール、アリールオキシの環は、非置換であるか、または１個、２個、３個、４個もしくは５個の同一か異なるＲ４１ａ基で置換されており、かつここで、Ｃ１〜Ｃ２４−アルキル、Ｃ１〜Ｃ２４−ハロアルキル、Ｃ１〜Ｃ２４−アルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
Ｒ４２基、Ｒ４３基、Ｒ４４基およびＲ４５基のうちの少なくとも１個はＣＮであり、かつ残りの基は、互いに独立して、水素、塩素または臭素から選択され；
Ｘ４０は、Ｏ、Ｓ、ＳＯまたはＳＯ２であり；
Ａは、一般式（Ａ．１）、（Ａ．２）、（Ａ．３）または（Ａ．４）
【化５】
2020532222.tif 000006
【００２１】
（式中、
＊はそれぞれの場合において、分子の残りの部分との連結点を表し；
ｎ４は、０、１、２、３または４であり；
ｏ４は、０、１、２または３であり；
ｐ４は、０、１、２または３であり；
Ｒ４６は、水素、Ｃ１〜Ｃ２４−アルキル、Ｃ１〜Ｃ２４−ハロアルキル、Ｃ３〜Ｃ２４−シクロアルキル、Ｃ６〜Ｃ２４−アリールまたはＣ６〜Ｃ２４−アリール−Ｃ１〜Ｃ１０−アルキレン（ここで、最後に挙げた３種の基内のシクロアルキル、アリールおよびアリール−アルキレンの環は、非置換であるか、または１個、２個、３個、４個もしくは５個の同一か異なるＲ４６ａ基で置換されており、かつここで、Ｃ１〜Ｃ２４−アルキル、Ｃ１〜Ｃ２４−ハロアルキル、およびＣ６〜Ｃ２４−アリール−Ｃ１〜Ｃ１０−アルキレンのアルキレン部分は、Ｏ、ＳおよびＮＲ４ｃから選択される１個もしくは複数のヘテロ原子またはヘテロ原子基により中断されていてもよい）であり；
各Ｒ４７は互いに独立して、臭素、塩素、シアノ、−ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４７ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳおよびＮＲ４ｃから選択される１個または複数の基により中断されていてもよい）から選択され；
各Ｒ４８は互いに独立して、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４８ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
各Ｒ４９は互いに独立して、臭素、塩素、シアノ、ＮＲ４ａＲ４ｂ、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、Ｃ３〜Ｃ２４−シクロアルキル、ヘテロシクロアルキル、ヘテロアリール、Ｃ６〜Ｃ２４−アリール、Ｃ６〜Ｃ２４−アリールオキシ、Ｃ６〜Ｃ２４−アリール−Ｃ１〜Ｃ１０−アルキレン（ここで、最後に挙げた６種の基内のシクロアルキル、ヘテロシクロアルキル、ヘテロアリール、アリールおよびアリール−アルキレンの環は、非置換であるか、または１個、２個、３個、４個もしくは５個の同一か異なるＲ４９ａ基で置換されており、かつここで、Ｃ１〜Ｃ２４−アルキル、Ｃ１〜Ｃ２４−ハロアルキル、Ｃ１〜Ｃ２４−アルコキシ、Ｃ１〜Ｃ２４−ハロアルコキシ、およびＣ６〜Ｃ２４−アリール−Ｃ１〜Ｃ１０−アルキレンのアルキレン部分は、Ｏ、ＳもしくはＮＲ４ｃから選択される１個または複数の基により中断されていてもよい）から選択され；
Ｒ４１ａ、Ｒ４６ａ、Ｒ４７ａ、Ｒ４８ａ、Ｒ４９ａは互いに独立して、Ｃ１〜Ｃ２４−アルキル、Ｃ１〜Ｃ２４−フルオロアルキル、Ｃ１〜Ｃ２４−アルコキシ、フッ素、塩素または臭素から選択され；
Ｒ４ａ、Ｒ４ｂ、Ｒ４ｃは互いに独立して、水素、Ｃ１〜Ｃ２０−アルキル、Ｃ３〜Ｃ２４−シクロアルキル、ヘテロシクロアルキル、ヘテロアリールまたはＣ６〜Ｃ２４−アリールから選択される）のジラジカルから選択されるジラジカルである）
のシアノ化化合物およびその混合物；
（Ｂ５）式（Ｖ）
【化６】
2020532222.tif 000007
【００２２】
（式中、
Ｘ５は、酸素または硫黄であり；
Ｒ５１は、非置換であるか、または１個もしくは複数のＲ５１ａ基で置換されているＣ１〜Ｃ２４−アルキルであるか、あるいはＲ５１は、非置換であるか、またはハロゲン、Ｒ５１１、ＯＲ５５２、ＮＨＲ５５２およびＮＲ５５２Ｒ５５７から選択される１個、２個、３個、４個または５個の置換基を持つフェニルであり；
Ｒ５１ａは互いに独立して、かつそれぞれの存在とは無関係に、シアノ、ハロゲン、Ｃ３〜Ｃ８−シクロアルキル、３〜８員ヘテロシクリル、アリールまたはヘテロアリール（ここで、Ｃ３〜Ｃ８−シクロアルキル、３〜８員ヘテロシクリル、アリールおよびヘテロアリールは、非置換であるか、またはハロゲン、Ｃ１〜Ｃ１８−アルキルおよびＣ１〜Ｃ１８−ハロアルキルから選択される１個または複数の置換基を持つ）から選択され、
Ｒ５２、Ｒ５３、Ｒ５４、Ｒ５５、Ｒ５６、Ｒ５７、Ｒ５８およびＲ５９は互いに独立して、水素、ハロゲン、Ｒ５５３、ＯＲ５５３、ＮＨＲ５５３またはＮＲ５５３Ｒ５５４
（式中、
Ｒ５１１は、Ｃ１〜Ｃ２０−アルキル、Ｃ６〜Ｃ２４−アリールまたはヘテロアリールから選択され；
Ｒ５５２およびＲ５５７は互いに独立して、Ｃ１〜Ｃ１８−アルキル、Ｃ６〜Ｃ２４−アリールまたはヘテロアリールから選択され；かつ
Ｒ５５３およびＲ５５４は互いに独立して、Ｃ１〜Ｃ１８−アルキル、Ｃ６〜Ｃ２４−アリールまたはヘテロアリールから選択される）から選択される）
のベンゾ（チ）オキサンテン（ｂｅｎｚ（ｏｔｈｉ）ｏｘａｎｔｈｅｎｅ）化合物およびその混合物；
（Ｂ６）式（ＶＩＡ）または（ＶＩＢ）
【化７】
2020532222.tif 000008
【００２３】
（式中、
Ｘ６は、酸素または硫黄であり；
Ｒ６１、Ｒ６２、Ｒ６３、Ｒ６４、Ｒ６５、Ｒ６６、Ｒ６７、Ｒ６８、Ｒ６９、Ｒ６１０、Ｒ６１１およびＲ６１２は互いに独立して、水素、ハロゲン、Ｒ６６１、ＯＲ６６１、ＮＨＲ６６１またはＮＲ６６１Ｒ６６２
（式中、
各Ｒ６６１は、Ｃ１〜Ｃ１８−アルキル、Ｃ６〜Ｃ２４−アリールまたはヘテロアリールから選択され；かつ
各Ｒ６６２は、Ｃ１〜Ｃ１８−アルキル、Ｃ６〜Ｃ２４−アリールまたはヘテロアリールから選択される）から選択される）
のベンゾイミダゾキサンテンイソキノリン化合物およびその混合物；
（Ｂ７）式（ＶＩＩ）
【化８】
2020532222.tif 000009
【００２４】
（ここで、示されたベンゾイミダゾール構造の６員環の１個または複数のＣＨ基は、窒素で置き換えられていてもよく、かつここで、記号はそれぞれ以下の通り定義される：
ｎ７は、式（ＶＩＩ）の各構造単位についての０〜（１０−ｐ７）（ここで、ｐ７は、示されたベンゾイミダゾール構造の６員環において窒素で置き換えられたＣＨ単位の数である）の数であり；
Ｘ７は、化学結合、Ｏ、Ｓ、ＳＯ、ＳＯ２、ＮＲ７１であり；かつ
Ｒは、そのそれぞれが置換基を持っていてもよい脂肪族基、脂環式基、アリール、ヘテロアリール、
そのそれぞれが式（ＶＩＩ）の構造単位の他の芳香族環に縮合されている芳香族もしくはヘテロ芳香族の環または環系であり、
Ｘ７が化学結合ではないとき、Ｆ、Ｃｌ、Ｂｒ、ＣＮ、Ｈであり；
ここで、２個のＲ基が結合されて１個の環式基を与えてもよく、かつ
ここで、Ｘ７およびＲは、ｎ７＞１のとき、同じでも、異なっていてもよく；
Ｒ７１はそれぞれ独立して、水素、その炭素鎖が１個もしくは複数の−Ｏ−、−Ｓ−、−ＣＯ−、−ＳＯ−および／または−ＳＯ２−部分を含んでいてもよく、かつ一置換もしくは多置換されていてもよいＣ１〜Ｃ１８−アルキルまたはシクロアルキル；
一置換もしくは多置換されていてもよいアリールまたはヘテロアリールである）
の少なくとも１つの構造単位を含む蛍光化合物およびその混合物；
（Ｂ８）式（ＶＩＩＩ）または（ＩＸ）
【化９】
2020532222.tif 000010
【００２５】
（ここで、
Ｒ８１、Ｒ８２はそれぞれ独立して、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、後者の３種の基内の芳香族環は、非置換であるか、またはＣ１〜Ｃ１０−アルキルで一置換もしくは多置換されている）であり；
Ｒ９２は、Ｃ１〜Ｃ３０−アルキル、Ｃ３〜Ｃ８−シクロアルキル、アリール、ヘテロアリール、アリール−Ｃ１〜Ｃ１０−アルキレン（ここで、後者の３種の基内の芳香族環は、非置換であるか、またはＣ１〜Ｃ１０−アルキルで一置換もしくは多置換されている）である）
のペリレン化合物；
（Ｂ９）式（Ｘ）
【化１０】
2020532222.tif 000011
【００２６】
（式中、
各Ｒ１０１は互いに独立して、水素、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、後者の３種の基内の芳香族環は、非置換であるか、またはＣ１〜Ｃ１０−アルキルで一置換もしくは多置換されている）であり；
Ｒ１０２は、水素、Ｃ１〜Ｃ３０−アルキル、１個または複数の酸素により中断されているＣ２〜Ｃ３０−アルキル、Ｃ３〜Ｃ８−シクロアルキル、Ｃ６〜Ｃ１０−アリール、ヘテロアリール、Ｃ６〜Ｃ１０−アリール−Ｃ１〜Ｃ１０−アルキレン（ここで、後者の３種の基内の芳香族環は、非置換であるか、またはＣ１〜Ｃ１０−アルキルで一置換もしくは多置換されている）である）
のナフタレンモノイミド化合物；
（Ｂ１０）７−（ジエチルアミノ）−３−（５−メチルベンゾ［ｄ］オキサゾール−２−イル）−２Ｈ−クロメン−２−オン；
（Ｂ１１）式（ＸＩＡ）または（ＸＩＢ）
【化１１】
2020532222.tif 000012
【００２７】
（式中、
各Ｒ１１１は互いに独立して、Ｃ１〜Ｃ１８アルキル、ハロゲンで、または直鎖もしくは分岐鎖のＣ１〜Ｃ１８アルキルで一置換もしくは多置換されていてもよいＣ４〜Ｃ８シクロアルキル、あるいはハロゲンで、または直鎖もしくは分岐鎖のＣ１〜Ｃ１８アルキルで一置換もしくは多置換されていてもよいフェニルまたはナフチルである）
のペリレン化合物およびその混合物；
（Ｂ１２）式（ＸＩＩＡ）または（ＸＩＩＢ）
【化１２】
2020532222.tif 000013
【００２８】
（式中、
各Ｒ１２１は互いに独立して、Ｃ１〜Ｃ１８アルキル、ハロゲンで、または直鎖もしくは分岐鎖のＣ１〜Ｃ１８アルキルで一置換もしくは多置換されていてもよいＣ４〜Ｃ８シクロアルキル、あるいはハロゲンで、または直鎖もしくは分岐鎖のＣ１〜Ｃ１８アルキルで一置換もしくは多置換されていてもよいフェニルまたはナフチルである）
のシアノ化ペリレン化合物およびその混合物；
（Ｂ１３）式（ＸＩＩＩ）
【化１３】
2020532222.tif 000014
【００２９】
（式中、
ｐ１３は、１、２、３または４であり；
Ｒ１３１およびＲ１３２は互いに独立して、非置換であるか、あるいはさらには非置換であるか、または１個、２個もしくは３個のＣ１〜Ｃ１０−アルキルで置換されているＣ６〜Ｃ１０−アリールで置換されているＣ１〜Ｃ１０−アルキル、
１個または複数の酸素により中断されているＣ２〜Ｃ２０−アルキル、
非置換であるか、または１個、２個もしくは３個のＣ１〜Ｃ１０−アルキルで置換されているＣ３〜Ｃ８−シクロアルキル、あるいは
非置換であるか、または１個、２個もしくは３個のＣ１〜Ｃ１０−アルキルで置換されているＣ６〜Ｃ１０−アリールであり；
各Ｒ１３３は互いに独立して、フッ素、塩素、Ｃ１〜Ｃ１６−アルキル、１個または複数の酸素により中断されたＣ２〜Ｃ１６−アルキル、Ｃ１〜Ｃ１６−アルコキシ、非置換であるか、またはフッ素、塩素、Ｃ１〜Ｃ１６−アルキル、１個もしくは複数の酸素により中断されたＣ２〜Ｃ１６−アルキル、Ｃ１〜Ｃ１６−アルコキシで一置換もしくは多置換されているＣ６〜Ｃ１０−アリールオキシあるいは非置換であるか、またはＣ１〜Ｃ６−アルキル、Ｃ１〜Ｃ６−アルコキシ−Ｃ１〜Ｃ６−アルキルおよびＣ１〜Ｃ６−アルコキシから選択される１個、２個または３個の基で置換されているＣ６〜Ｃ１０−アリールであり、
ここで、Ｒ１３３基は、＊で示される位置にある）
のペリレンビスイミド化合物およびその混合物；
（Ｂ１４）式（ＸＩＶ）
【化１４】
2020532222.tif 000015
【００３０】
（式中、
Ｒ１４１およびＲ１４２は、互いに独立して、水素、それぞれの場合において非置換もしくは置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールまたはＣ６〜Ｃ２４−アリールオキシから選択され；
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、互いに独立して、水素、ハロゲン、シアノ、ヒドロキシル、メルカプト、ニトロ、−ＮＥ１４１Ｅ１４２、−ＮＲＡｒ１４１ＣＯＲＡ１４２、−ＣＯＮＲＡｒ１４１ＲＡｒ１４２、−ＳＯ２ＮＲＡ１４１ＲＡ１４２、−ＣＯＯＲＡｒ１４１、−ＳＯ３ＲＡｒ１４２、それぞれの場合において非置換もしくは置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルコキシ、Ｃ６〜Ｃ２４−アリール、Ｃ６〜Ｃ２４−アリールオキシまたはＣ６〜Ｃ２４−アリールチオから選択され、
ここで、Ｒ１４３およびＲ１４４、Ｒ１４４およびＲ１４５、Ｒ１４５およびＲ１４６、Ｒ１４６およびＲ１４７、Ｒ１４７およびＲ１４８、Ｒ１４８およびＲ１４９、Ｒ１４９およびＲ１４１０、Ｒ１４１１およびＲ１４１２、Ｒ１４１２およびＲ１４１３、Ｒ１４１３およびＲ１４１４、Ｒ１４１４およびＲ１４１５、Ｒ１４１５およびＲ１４１６、Ｒ１４１６およびＲ１４１７ならびに／またはＲ１４１７およびＲ１４１８は、それらが結合されているビフェニリル部分の炭素原子と共に、非置換であるか、もしくは置換されているさらなる縮合された芳香族または非芳香族の環系を形成してもよく；
ここで、
Ｅ１４１およびＥ１４２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり；
ＲＡｒ１４１およびＲＡｒ１４２はそれぞれ互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）
のペリレン化合物およびその混合物；
（Ｂ１５）式（ＸＶ）
【化１５】
2020532222.tif 000016
【００３１】
の化合物；
（Ｂ１６）式（ＸＶＩ）
【化１６】
2020532222.tif 000017
【００３２】
（式中、
ｐ１６は、０、１、２、３または４であり；
Ｒ１６１およびＲ１６２は互いに独立して、非置換であるか、あるいはさらには非置換であるか、または１個、２個もしくは３個のＣ１〜Ｃ１０−アルキルで置換されているＣ６〜Ｃ１０−アリールで置換されているＣ１〜Ｃ１０−アルキル、
１個または複数の酸素により中断されているＣ２〜Ｃ２０−アルキル、
非置換であるか、または１個、２個もしくは３個のＣ１〜Ｃ１０−アルキルで置換されているＣ３〜Ｃ８−シクロアルキル、あるいは
非置換であるか、または１個、２個もしくは３個のＣ１〜Ｃ１０−アルキルで置換されているＣ６〜Ｃ１０−アリールであり；
Ｒ１６３は、存在する場合、互いに独立して、フッ素、塩素、Ｃ１〜Ｃ１６−アルキル、１個または複数の酸素により中断されたＣ２〜Ｃ１６−アルキル、Ｃ１〜Ｃ１６−アルコキシ、非置換であるか、またはフッ素、塩素、Ｃ１〜Ｃ１６−アルキル、１個もしくは複数の酸素により中断されたＣ２〜Ｃ１６−アルキル、Ｃ１〜Ｃ１６−アルコキシで一置換もしくは多置換されているＣ６〜Ｃ１０−アリールオキシあるいは非置換であるか、またはＣ１〜Ｃ６−アルキル、Ｃ１〜Ｃ６−アルコキシ−Ｃ１〜Ｃ６−アルキルおよびＣ１〜Ｃ６−アルコキシから選択される１個、２個または３個の基で置換されているＣ６〜Ｃ１０−アリールであり、
ここで、Ｒ１６３基は、＊で示される位置にある）
のテリレンビスイミド化合物およびその混合物から選択される少なくとも１種の有機蛍光着色剤Ｂとを含む、送信機に関する。
【００３３】
本発明のさらなる態様は、可視スペクトル範囲内の変調された第２の電磁放射を送信する上および以下で定義の送信機を含む照射装置であって、少なくとも１００ｌｍ〜３００００ｌｍの範囲内である変調された第２の電磁放射の光束の値を生じるように適合されている、照射装置に関する。
【００３４】
本発明のさらなる態様は、上および以下で定義の送信機を含み、
−送信機により放出された変調された第２の電磁放射の少なくとも一部を検出するための受信機と、
−検出された変調された第２の電磁放射からデータを抽出するためのデータ分析装置と
をさらに含むデータ送信システムに関する。
【００３５】
発明の説明
蛍光着色剤には、特定の波長の光を吸収して、それを別の波長の光に変換することができるすべての材料が含まれる。有機蛍光着色剤は、有機蛍光顔料または有機蛍光色素であってもよい。
【００３６】
本発明の文脈において、「（１種または複数種の）ルミネッセント材料」という用語は（１種または複数種の）蛍光体とも呼ばれる。ルミネッセント材料は、無機固体または有機蛍光着色剤であってもよい。
【００３７】
したがって、本発明の文脈において、「蛍光体」および「着色剤」という用語は、第１の波長の光を第２の波長の光に変換するルミネッセント材料を記述するために同義で使用される。
【００３８】
「変換材料」という用語は、第１の波長の光子により励起されて、第２の異なる波長の光子を放出する材料を指す。
【００３９】
本発明の文脈において、「蛍光体変換型ＬＥＤ」は、ＬＥＤ素子により放出された光の色を異なる色に変換する、または変化させるための、その上に被覆された蛍光体材料層またはある一定の距離のところにある蛍光体材料層（リモートフォスファー配置）のいずれかを有するＬＥＤ素子を指す。
【００４０】
量子ドットは、量子力学的性質を示すほど十分小さい半導体材料でできたナノ結晶である。量子ドットは、著しく狭い放出スペクトルを示し、すなわち、並外れて小さいＦＷＨＭ（半値全幅）を有する。ドットの色出力は、結晶のサイズを制御することにより調整することができる。量子ドットのサイズが小さいほど、量子ドットは、より短い波長の光を放出する。
【００４１】
本発明の文脈において、「周波数変換体」は、特定の波長の光を吸収して、それを第２の波長の光に変換することができるすべての物理的デバイスを意味すると理解される。
【００４２】
本発明の文脈において、所与の分光分布Ｆ（λ）の「中心波長」という用語は、次の平均と定義される：λｃ＝∫λ・Ｆ（λ）ｄλ／∫Ｆ（λ）ｄλ。
【００４３】
本発明の文脈において、「青色ＬＥＤ」は、４２０〜４８０ｎｍ、好ましくは４４０〜４７０ｎｍの範囲内の、最も好ましくは４４０〜４６０ｎｍの放出の中心波長を有する電磁スペクトルの青色の範囲内の光を放出するＬＥＤを意味すると理解される。適した半導体材料は、炭化ケイ素、セレン化亜鉛、ならびに窒化アルミニウム（ＡｌＮ）、窒化ガリウム（ＧａＮ）、窒化インジウム（ＩｎＮ）および窒化インジウムガリウム（ＩｎＧａＮ）などの窒化物である。ＬＥＤは、典型的には、そのピーク波長に密に集中した狭い波長分布を有する。標準的なＩｎＧａＮベースの青色ＬＥＤはサファイア基板上に作製され、ピーク放出波長は通常、４４５〜４５５ｎｍを中心とする。
【００４４】
本発明の文脈において、「可視スペクトル範囲」という用語は、約３９０〜約８００ｎｍの波長を指す。より狭い意味では、「可視スペクトル範囲」という用語は、４００〜６８０ｎｍの間の波長範囲を指す。
【００４５】
白熱放射体ではない光源は相関色温度を有する。相関色温度（ＣＣＴ）は、ＬＥＤと同じ白色光を放出する、人間の目によって知覚される黒体放射体の温度である。相関色温度（ＣＣＴ）は、電気光源から放出された白色光の色の見えを表し、ケルビンで測定される。これは、ＣＩＥ国際規格にしたがって決定される。白色光源からのＣＣＴは通常、１５００Ｋ〜２００００Ｋ、特に２０００Ｋ〜２００００Ｋの範囲内である。より高いＣＣＴを有する白色光は、より低いＣＣＴを有する白色光と比べて、短波長領域（青色）において比較的より高い強度を含み、より長い波長領域（赤色）において比較的より低い強度を含む。したがって、より高いＣＣＴは一般に、より顕著な青色成分を有する白色光、すなわち冷調を示し、より低いＣＣＴは一般に、より顕著な赤色の色調を有する光、すなわち温調を示す。４５００Ｋ〜２００００Ｋの範囲内のＣＣＴを有する白色光はしばしば冷白色光と呼ばれ、２７００Ｋ〜３２００Ｋの範囲内のＣＣＴを有する白色光はしばしば温白色光と呼ばれ、３２００Ｋ〜４５００Ｋの間の範囲内のＣＣＴを有する白色光はしばしば昼白色と呼ばれる。より暖かい色温度は、生活空間に特に適している。
【００４６】
演色性（ＣＲＩ）は、光源によって物体の色が人間の目にどのように見えるようになるか、かつ色合いのわずかな変化がどの程度よく明らかになるかの尺度である。ＣＩＥ  １７．４、Ｉｎｔｅｒｎａｔｉｏｎａｌ  Ｌｉｇｈｔｉｎｇ  Ｖｏｃａｂｕｌａｒｙによれば、演色性（ＣＲＩ）は、「基準のイルミナントの下での色の見えとの意識的または無意識的な比較による物体の色の見えに対するイルミナントの効果」と定義される。平均または一般演色評価数Ｒａは、８種のパステルＣＩＥ標準（基準）色サンプルＲ１〜Ｒ８（ＣＩＥ  １３．３−１９９５）の色度の差から計算される。負の値もあり得る。黒体放射などの基準源は、（最大値である）１００のＣＲＩ指数（Ｒａ）を有するものと定義され、すなわち、１００の値は、基準源が基準と同じように色を与えることを示す。ＣＲＩ評価が低いほど、色再現の精度は低くなる。多くの一般的な室内照明用途の場合、８０を超えるＣＲＩ値（Ｒａ）が許容される。一般的な照明の場合、演色評価数は、８５を上回るべきである。正確な演色が必要とされる用途では、照明源に照らされた物体がより自然な発色を有するように人間の目に見えるように、少なくとも９０の高いＣＲＩ  Ｒａが通常は非常に望ましい。
【００４７】
ＣＲＩ  Ｒａは、６種の高飽和色（Ｒ９〜Ｒ１４）に対応する係数を含まない。これらのうち、Ｒ９は強い赤色に対応し、これは、色を与えるのに有益であり得る赤色−緑色のコントラストに影響を与え得る。多くの場合、赤色は、処理された色に混在して見出されることが多いため、正確に色を与えるために赤色をよく再現する能力が不可欠である。したがって、光源が赤色を正確に与えることができない場合、赤味を帯びているものは鈍くなる。したがって、高いＣＲＩ  Ｒａおよび正のＲ９値を有する光源は、最も鮮明な色を生じる傾向がある。
【００４８】
ＣＩＥ  １９３１標準表色系によれば、色は、特定の色曲線にしたがって人間の目によって知覚される。標準視感度曲線Ｖλは、人間の目の感度の波長依存性を説明する。５５５ｎｍの波長の単色光（緑色）の場合、視感度曲線は、６８３ｌｍ／Ｗの最大可能値を有する。光束は、知覚される光のパワーの尺度である。
【００４９】
本発明の文脈において、「蛍光減衰時間」および「励起状態寿命τｖ」という用語は同義で使用される。
【００５０】
放出（ｅｍｉｓｓｉｓｖｅ）寿命τ０は、τ０＝τｖ／ＱＹ（ここで、τｖは、測定された励起状態寿命であり、ＱＹは蛍光量子収率である）により計算される。
【００５１】
「Ｔ８０」という用語は、１２０ｍＷ／ｃｍ２の青色ＬＥＤ光および１００ｍＷ／ｃｍ２の白色ＬＥＤ光それぞれを照射している間、量子収率と吸収との積がその初期値の８０％まで減少する日単位の時間を意味すると理解される。
【００５２】
周波数変換体のポリマーマトリックスという用語の文脈における「実質的に」という用語は、「完全に」、「全体的に」および「すべて」という語を包含する。この語は、９０％以上、例えば９５％以上、特に９９％または１００％の割合を包含する。
【００５３】
「ハロゲン」という表現は、それぞれの場合において、フッ素、臭素、塩素またはヨウ素、特に塩素、臭化物またはヨウ素を表す。
【００５４】
本発明の文脈において、「それぞれの場合において非置換または置換アルキル、シクロアルキルおよびアリール」という表現は、非置換または置換アルキル、非置換または置換シクロアルキルおよび非置換または置換アリールを表す。
【００５５】
同じく、本発明の文脈において、「それぞれの場合において非置換または置換Ｃ１〜Ｃ３０−アルキル、ポリアルキレンオキシ、Ｃ１〜Ｃ３０−アルコキシ、Ｃ１〜Ｃ３０−アルキルチオ、Ｃ３〜Ｃ２０−シクロアルキル、Ｃ３〜Ｃ２０−シクロアルキルオキシ、Ｃ６〜Ｃ２４−アリールおよびＣ６〜Ｃ２４−アリールオキシ」という表現は、非置換または置換Ｃ１〜Ｃ３０−アルキル、非置換または置換ポリアルキレンオキシ、非置換または置換Ｃ１〜Ｃ３０−アルコキシ、非置換または置換Ｃ１〜Ｃ３０−アルキルチオ、非置換または置換Ｃ３〜Ｃ２０−シクロアルキル、非置換または置換Ｃ３〜Ｃ２０−シクロアルキルオキシ、非置換または置換Ｃ６〜Ｃ２４−アリールおよび非置換または置換Ｃ６〜Ｃ２４−アリールオキシを表す。
【００５６】
本発明において、「脂肪族基」という用語は、非環式の飽和もしくは不飽和の直鎖または分岐鎖の炭化水素基を指す。通常、脂肪族基は、１〜１００個の炭素原子を有する。脂肪族基の例は、アルキル、アルケニルおよびアルキニルである。
【００５７】
本発明において、「脂環式基」という用語は、通常３〜２０個の環炭素原子を有する環式の非芳香族の飽和または不飽和炭化水素基を指す。例は、シクロアルカン、シクロアルケンおよびシクロアルキンである。脂環式基はまた、Ｎ、Ｏ、ＳおよびＳＯ２から選択されるヘテロ原子またはヘテロ原子基を含んでいてもよい。
【００５８】
本明細書において使用され、かつアルコキシ、アルキルチオ、アルキルスルフィニル、アルキルスルホニル、アルキルアミノ、ジアルキルアミノ、アルキルカルボニル、アルコキシカルボニルなどのアルキル部分内の「アルキル」という用語は、通常１〜１００個（「Ｃ１〜Ｃ１００−アルキル」）、１〜３０個（「Ｃ１〜Ｃ３０−アルキル」）、１〜１８個（「Ｃ１〜Ｃ１８−アルキル」）、１〜１２個（「Ｃ１〜Ｃ１２−アルキル」）、１〜８個（「Ｃ１〜Ｃ８−アルキル」）または１〜６個（「Ｃ１〜Ｃ６−アルキル」）の炭素原子を有する直鎖または分岐鎖の飽和炭化水素基を指す。アルキルは、好ましくはＣ１〜Ｃ３０−アルキル、より好ましくはＣ１〜Ｃ２０−アルキルである。アルキル基の例は特に、メチル、エチル、ｎ−プロピル、イソプロピル、ｎ−ブチル、イソブチル、ｓｅｃ−ブチル、ｔｅｒｔ−ブチル、ｎ−ペンチル、１−メチルブチル、１−エチルプロピル、ネオ−ペンチル、ｎ−ヘキシル、１−メチルペンチル、２−メチルペンチル、１−エチルブチル、２−エチルブチル、ｎ−ヘプチル、１−メチルヘキシル、２−メチルヘキシル、１−エチルペンチル、１−プロピルブチル、２−エチルペンチル、ｎ−オクチル、１−メチルヘプチル、２−メチルヘプチル、１−エチルヘキシル、２−エチルヘキシル、１−プロピルペンチル、２−プロピルペンチル、ｎ−ノニルなどである。
【００５９】
置換アルキル基は、アルキル鎖の長さに応じて、１個または複数の（例えば、１個、２個、３個、４個、５個の、または５個を超える）置換基を有する。これらは、好ましくはそれぞれ互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換アルキル基は、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００６０】
置換アルキル基の特別な実施形態は、１個の水素原子がアリール基で置き換えられたアルキル基（「アラルキル」、以下、アリールアルキルまたはアリールアルキレンとも呼ばれる）、特にフェニル基で置き換えられたアルキル基である。アリール基は、さらには非置換でも、置換されていてもよく、適した置換基は、アリールについて後述される置換基である。アリール−Ｃ１〜Ｃ４−アルキルの特定の例には、ベンジル、１−フェネチル、２−フェネチル、１−フェニルプロピル、２−フェニルプロピル、３−フェニル−１−プロピル、２−フェニル−２−プロピル、ナフチルメチル、ナフチルエチルなどが含まれる。
【００６１】
置換アルキル基のさらなる特別な実施形態は、この基内の水素原子の一部またはすべてが上述のようにハロゲン原子で置き換えられていてもよいアルキル基、例えばＣ１〜Ｃ４−ハロアルキルである。
【００６２】
本明細書において使用される「アルケニル」という用語は、通常２〜１００個（「Ｃ２〜Ｃ１００−アルケニル」）、２〜１８個（「Ｃ２〜Ｃ１８−アルケニル」）、２〜１０個（「Ｃ２〜Ｃ１０−アルケニル」）、２〜８個（「Ｃ２〜Ｃ８−アルケニル」）または２〜６個（「Ｃ２〜Ｃ６−アルケニル」）の炭素原子および１個または複数の、例えば、２個または３個の二重結合を任意の位置に有する直鎖または分岐鎖の炭化水素基を指す。置換アルケニル基は、アルケニル鎖の長さに応じて、１個または複数の（例えば、１個、２個、３個、４個、５個の、または５個を超える）置換基を有する。これらは、好ましくはそれぞれ互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換アルケニル基は、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００６３】
本明細書において使用される「アルキニル」（その炭素鎖が１個または複数の三重結合を含んでいてもよいアルキルとも呼ばれる）という用語は、通常２〜１００個（「Ｃ２〜Ｃ１００−アルキニル」）、２〜１８個（「Ｃ２〜Ｃ１８−アルキニル（ａｌｋｎｙｌ）」）、２〜１０個（「Ｃ２〜Ｃ１０−アルキニル」）、２〜８個（「Ｃ２〜Ｃ８−アルキニル」）または２〜６個（「Ｃ２〜Ｃ６−アルキニル」）の炭素原子および１個または複数の、例えば、２個または３個の三重結合を任意の位置に有する直鎖または分岐鎖の炭化水素基を指す。置換アルキニル基は、アルキニル鎖の長さに応じて、１個または複数の（例えば、１個、２個、３個、４個、５個の、または５個を超える）置換基を有する。これらは、好ましくはそれぞれ互いに独立して、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、アルキルカルボニルオキシ、ホルミル、アシル、ＣＯＯＨ、カルボキシレート、−ＣＯＯＲＡｒ１、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換アルキニル基は、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００６４】
本明細書において使用される「アルコキシ」という用語は、酸素原子を介して結合されたアルキル基を指し、すなわち、「アルコキシ」基は、−Ｏ−アルキル（ここで、アルキルは、上で定義した通りである）と表すことができる。Ｃ１〜Ｃ２−アルコキシは、メトキシまたはエトキシである。Ｃ１〜Ｃ４−アルコキシは、例えば、メトキシ、エトキシ、ｎ−プロポキシ、１−メチルエトキシ（イソプロポキシ）、ブトキシ、１−メチルプロポキシ（ｓｅｃ−ブトキシ）、２−メチルプロポキシ（イソブトキシ）または１，１−ジメチルエトキシ（ｔｅｒｔ−ブトキシ）である。
【００６５】
したがって、本明細書において使用される「非置換または置換アルコキシ」という用語は、−Ｏ−アルキル（ここで、アルキルは、非置換であるか、または上で定義した通り置換されている）を指す。
【００６６】
本明細書において使用される「ポリオキシアルキレン」という用語は、酸素原子を介して分子の残りの部分に結合されたアルキル基（ここで、アルキルは、１個または複数の隣接していない酸素原子により中断されており、かつアルキルは、上で定義した通りである）を指す。
【００６７】
したがって、本明細書において使用される「非置換または置換ポリアルキレンオキシ」という用語は、−Ｏ−アルキル（ここで、アルキルは、１個または複数の隣接していない酸素原子により中断されており、かつアルキルは、非置換であるか、または上で定義した通り置換されている）を指す。
【００６８】
本明細書において使用される「アルキルチオ」という用語は、硫黄原子を介して結合されたアルキル基を指し、すなわち、「アルキルチオ」基は、−Ｓ−アルキル（ここで、アルキルは、上で定義した通りである）と表すことができる。Ｃ１〜Ｃ２−アルキルチオは、メチルチオまたはエチルチオである。Ｃ１〜Ｃ４−アルキルチオは、例えば、メチルチオ、エチルチオ、ｎ−プロピルチオ、１−メチルエチルチオ（イソプロピルチオ）、ブチルチオ、１−メチルプロピルチオ（ｓｅｃ−ブチルチオ）、２−メチルプロピルチオ（イソブチルチオ）または１，１−ジメチルエチルチオ（ｔｅｒｔ−ブチルチオ）である。
【００６９】
したがって、本明細書において使用される「非置換または置換アルキルチオ」という用語は、−Ｓ−アルキル（ここで、アルキルは、非置換であるか、または上で定義した通り置換されている）を指す。
【００７０】
本明細書において使用される「シクロアルキル」という用語は、通常３〜２４個（Ｃ３〜Ｃ２４−シクロアルキル）、３〜２０個（「Ｃ３〜Ｃ２０−シクロアルキル」）の原子、好ましくは３〜８個（「Ｃ３〜Ｃ８−シクロアルキル」）または３〜６個の炭素原子（「Ｃ３〜Ｃ６−シクロアルキル」）を有する単環式または二環式または多環式の飽和炭化水素基を指す。３〜６個の炭素原子を有する単環式基の例には、シクロプロピル、シクロブチル、シクロペンチルおよびシクロヘキシルが含まれる。３〜８個の炭素原子を有する単環式基の例には、シクロプロピル、シクロブチル、シクロペンチル、シクロヘキシル、シクロヘプチルおよびシクロオクチルが含まれる。７〜１２個の炭素原子を有する二環式基の例には、ビシクロ［２．２．１］ヘプチル、ビシクロ［３．１．１］ヘプチル、ビシクロ［２．２．２］オクチル、ビシクロ［３．３．０］オクチル、ビシクロ［３．２．１］オクチル、ビシクロ［３．３．１］ノニル、ビシクロ［４．２．１］ノニル、ビシクロ［４．３．１］デシル、ビシクロ［３．３．２］デシル、ビシクロ［４．４．０］デシル、ビシクロ［４．２．２］デシル、ビシクロ［４．３．２］ウンデシル、ビシクロ［３．３．３］ウンデシル、ビシクロ［４．３．３］ドデシルおよびペルヒドロナフチルが含まれる。多環式環の例は、ペルヒドロアントラシル、ペルヒドロフルオレニル、ペルヒドロクリセニル、ペルヒドロピセニルおよびアダマンチルである。
【００７１】
置換シクロアルキル基は、環サイズに応じて、１個または複数の（例えば、１個、２個、３個、４個、５個の、または５個を超える）置換基を有することができる。これらは、好ましくはそれぞれ互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換シクロアルキル基は、非置換または置換アルキル、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００７２】
本明細書において使用される「シクロアルキルオキシ」という用語は、酸素原子を介して結合されたシクロアルキル基を指し、すなわち、「シクロアルキルオキシ」基は、−Ｏ−シクロアルキル（ここで、シクロアルキルは、上で定義した通りである）と表すことができる。
【００７３】
したがって、本明細書において使用される「非置換または置換シクロアルキルオキシ」という用語は、−Ｏ−シクロアルキル（ここで、シクロアルキルは、非置換であるか、または上で定義した通り置換されている）を指す。
【００７４】
本明細書において使用される「シクロアルキルチオ」という用語は、硫黄原子を介して結合されたシクロアルキル基を指し、すなわち、「シクロアルキルチオ」基は、−Ｓ−シクロアルキル（ここで、シクロアルキルは、上で定義した通りである）と表すことができる。
【００７５】
したがって、本明細書において使用される「非置換または置換シクロアルキルチオ」という用語は、−Ｓ−シクロアルキル（ここで、シクロアルキルは、非置換であるか、または上で定義した通り置換されている）を指す。
【００７６】
「ヘテロシクロアルキル」という用語は、環員としての炭素原子に加えて、環員としてのＯ、Ｎ、ＮＲｃｃ、Ｓ、ＳＯおよびＳ（Ｏ）２から選択される１個、２個、３個もしくは４個のヘテロ原子またはヘテロ原子含有基を含む、一般に５〜８個の環員、好ましくは５個または６個の環員を有する非芳香族の部分不飽和または完全飽和の複素環を指し、ここで、Ｒｃｃは、水素、Ｃ１〜Ｃ２０−アルキル、Ｃ３〜Ｃ２４−シクロアルキル、ヘテロシクロアルキル、Ｃ６〜Ｃ２４−アリールまたはヘテロアリールである。ヘテロシクロアルキル基の例は特に、ピロリジニル、ピペリジニル、イミダゾリジニル、ピラゾリジニル、オキサゾリジニル、モルホリニル、チアゾリジニル、イソチアゾリジニル、イソオキサゾリジニル、ピペラジニル、テトラヒドロチオフェニル、ジヒドロチエン−２−イル、テトラヒドロフラニル、ジヒドロフラン−２−イル、テトラヒドロピラニル、２−オキサゾリニル、３−オキサゾリニル、４−オキサゾリニルおよびジオキサニルである。
【００７７】
置換ヘテロシクロアルキル基は、環サイズに応じて、１個または複数の（例えば、１個、２個、３個、４個、５個の、または５個を超える）置換基を有することができる。これらは、好ましくはそれぞれ互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換ヘテロシクロアルキル基は、非置換または置換アルキル、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００７８】
本発明において、「アリール」という用語は、フェニル、および分子の残りの部分に結合している少なくとも１個の縮合されたフェニレン環を有する二環式または多環式の炭素環を指す。少なくとも１個のフェニレン環を有する二環式または多環式の炭素環の例には、ナフチル、テトラヒドロナフチル、インダニル、インデニル、アントラセニル、フルオレニルなどが含まれる。好ましくは、「アリール」という用語は、フェニルおよびナフチルを表す。
【００７９】
置換アリールは、その環系の数およびサイズに応じて、１個または複数の（例えば、１個、２個、３個、４個、５個の、または５個を超える）置換基を有することができる。これらは、好ましくはそれぞれ互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換アリール基は、非置換または置換アルキル、非置換もしくは置換シクロアルキル、非置換もしくは置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２は、互いに独立して、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２はそれぞれ、それぞれから独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される１個または複数の、例えば１個、２個または３個の置換基を有する。
【００８０】
置換アリールは、好ましくは、少なくとも１個のアルキル基で置換されたアリールである（「アルカリル」、以下、アルキルアリールとも呼ばれる）。アルカリール基は、芳香族の環系のサイズに応じて、１個または複数の（例えば、１個、２個、３個、４個、５個、６個、７個、８個、９個の、または９個を超える）アルキル置換基を有することができる。アルキル置換基は、非置換でも、置換されていてもよい。この点に関して、非置換および置換アルキルに関する上の記述が参照される。特別な実施形態は、アルキルが非置換であるアルカリール基に関する。アルカリルは、好ましくは、１個、２個、３個、４個または５個、好ましくは１個、２個または３個、より好ましくは１個または２個のアルキル置換基を持つフェニルである。１個または複数のアルキル基を持つアリールは、例えば、２−、３−および４−メチルフェニル、２，４−、２，５−、３，５−および２，６−ジメチルフェニル、２，４，６−トリメチルフェニル、２−、３−および４−エチルフェニル、２，４−、２，５−、３，５−および２，６−ジエチルフェニル、２，４，６−トリエチルフェニル、２−、３−および４−ｎ−プロピルフェニル、２−、３−および４−イソプロピルフェニル、２，４−、２，５−、３，５−および２，６−ジ−ｎ−プロピルフェニル、２，４，６−トリプロピルフェニル、２−、３−および４−イソプロピルフェニル、２，４−、２，５−、３，５−および２，６−ジイソプロピルフェニル、２，４，６−トリイソプロピルフェニル、２−、３−および４−ブチルフェニル、２，４−、２，５−、３，５−および２，６−ジブチルフェニル、２，４，６−トリブチルフェニル、２−、３−および４−イソブチルフェニル、２，４−、２，５−、３，５−および２，６−ジイソブチルフェニル、２，４，６−トリイソブチルフェニル、２−、３−および４−ｓｅｃ−ブチルフェニル、２，４−、２，５−、３，５−および２，６−ジ−ｓｅｃ−ブチルフェニル、２，４，６−トリ−ｓｅｃ−ブチルフェニル、２−、３−および４−ｔｅｒｔ−ブチルフェニル、２，４−、２，５−、３，５−および２，６−ジ−ｔｅｒｔ−ブチルフェニルならびに２，４，６−トリ−ｔｅｒｔ−ブチルフェニルである。
【００８１】
Ｃ６〜Ｃ２４−アリールオキシ：酸素原子（−Ｏ−）を介して骨格に結合している、上で定義したＣ６〜Ｃ２４−アリール。フェノキシおよびナフチルオキシが好ましい。
【００８２】
したがって、本明細書において使用される「非置換または置換アリールオキシ」という用語は、−Ｏ−アリール（ここで、アリールは、非置換であるか、または上で定義した通り置換されている）を指す。
【００８３】
Ｃ６〜Ｃ２４−アリールチオ：硫黄原子（−Ｓ−）を介して骨格に結合している、上で定義したＣ６〜Ｃ２４−アリール。フェニルチオおよびナフチルチオが好ましい。
【００８４】
したがって、本明細書において使用される「非置換または置換アリールチオ」という用語は、−Ｓ−アリール（ここで、アリールは、非置換であるか、または上で定義した通り置換されている）を指す。
【００８５】
本発明の文脈において、「ヘタリール」という表現（ヘテロアリールとも呼ばれる）は、ヘテロ芳香族基、単環式基または多環式基を含む。環炭素原子に加えて、これらは、１個、２個、３個、４個の、または４個を超えるヘテロ原子を環員として有する。ヘテロ原子は、好ましくは、酸素、窒素、セレンおよび硫黄から選択される。ヘタリール基は、好ましくは、５〜１８個、例えば、５個、６個、８個、９個、１０個、１１個、１２個、１３個または１４個の環原子を有する。
【００８６】
単環式ヘタリール基は、好ましくは５員または６員ヘタリール基、例えば２−フリル（フラン−２−イル）、３−フリル（フラン−３−イル）、２−チエニル（チオフェン−２−イル）、３−チエニル（チオフェン−３−イル）、１Ｈ−ピロール−２−イル、１Ｈ−ピロール−３−イル、ピロール−１−イル、イミダゾール−２−イル、イミダゾール−１−イル、イミダゾール−４−イル、ピラゾール−１−イル、ピラゾール−３−イル、ピラゾール−４−イル、ピラゾール−５−イル、３−イソオキサゾリル、４−イソオキサゾリル、５−イソオキサゾリル、３−イソチアゾリル、４−イソチアゾリル、５−イソチアゾリル、２−オキサゾリル、４−オキサゾリル、５−オキサゾリル、２−チアゾリル、４−チアゾリル、５−チアゾリル、１，２，４−オキサジアゾール−３−イル、１，２，４−オキサジアゾール−５−イル、１，３，４−オキサジアゾール−２−イル、１，２，４−チアジアゾール−３−イル、１，２，４−チアジアゾール−５−イル、１，３，４−チアジアゾール−２−イル、４Ｈ−［１，２，４］−トリアゾール−３−イル、１，３，４−トリアゾール−２−イル、１，２，３−トリアゾール−１−イル、１，２，４−トリアゾール−１−イル、ピリジン−２−イル、ピリジン−３−イル、ピリジン−４−イル、３−ピリダジニル、４−ピリダジニル、２−ピリミジニル、４−ピリミジニル、５−ピリミジニル、２−ピラジニル、１，３，５−トリアジン−２−イルおよび１，２，４−トリアジン−３−イルである。
【００８７】
多環式ヘタリール基は、２個、３個、４個の、または４個を超える縮合環を有する。縮合環（ｆｕｓｅｄ−ｏｎ  ｒｉｎｇ）は、芳香族、飽和または部分不飽和であってもよい。多環式ヘタリール基の例は、キノリニル、イソキノリニル、インドリル、イソインドリル、インドリジニル、ベンゾフラニル、イソベンゾフラニル、ベンゾチオフェニル、ベンゾオキサゾリル、ベンゾイソオキサゾリル、ベンゾチアゾリル、ベンゾオキサジアゾリル、ベンゾチアジアゾリル、ベンゾオキサジニル、ベンゾピラゾリル、ベンゾイミダゾリル、ベンゾトリアゾリル、ベンゾトリアジニル、ベンゾセレノフェニル、チエノチオフェニル、チエノピリミジル、チアゾロチアゾリル、ジベンゾピロリル（カルバゾリル）、ジベンゾフラニル、ジベンゾチオフェニル、ナフト［２，３−ｂ］チオフェニル、ナフサ［２，３−ｂ］フリル、ジヒドロインドリル、ジヒドロインドリジニル、ジヒドロイソインドリル、ジヒドロキノリニルおよびジヒドロイソキノリニルである。
【００８８】
置換ヘタリール基は、その環系の数およびサイズに応じて、１個または複数の（例えば、１個、２個、３個、４個、５個の、または５個を超える）置換基を有することができる。これらは、好ましくはそれぞれ互いに独立して、非置換または置換アルキル、非置換または置換アルケニル、非置換または置換アルキニル、非置換または置換シクロアルキル、非置換または置換シクロアルキルオキシ、非置換または置換シクロアルキルチオ、非置換または置換ヘテロシクロアルキル、非置換または置換アリール、非置換または置換アリールオキシ、非置換または置換アリールチオ、非置換または置換ヘタリール、フッ素、塩素、臭素、ヨウ素、ヒドロキシル、メルカプト、非置換または置換アルコキシ、非置換または置換ポリアルキレンオキシ、非置換または置換アルキルチオ、非置換または置換シクロルアルキルオキシ、非置換または置換アリールオキシ、非置換または置換アリールチオ、シアノ、ニトロ、非置換または置換アルキルカルボニルオキシ、ホルミル、アシル、ＣＯＯＨ、カルボキシレート、−ＣＯＯＲＡｒ１、−ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１およびＥ２は、水素、非置換もしくは置換Ｃ１〜Ｃ１８−アルキル、非置換もしくは置換Ｃ２〜Ｃ１８−アルケニル、非置換もしくは置換Ｃ２〜Ｃ１８−アルキニル、非置換もしくは置換Ｃ３〜Ｃ２０−シクロアルキルまたは非置換もしくは置換Ｃ６〜Ｃ１０−アリールであり、かつＲＡｒ１およびＲＡｒ２は、互いに独立して、水素、非置換もしくは置換Ｃ１〜Ｃ１８−アルキル、非置換もしくは置換Ｃ３〜Ｃ２０−シクロアルキル、非置換もしくは置換ヘテロシクリル、非置換もしくは置換Ｃ６〜Ｃ２０−アリールまたは非置換もしくは置換ヘテロアリールである）から選択される。特に、置換ヘタリール基は、非置換または置換アルキル、非置換または置換シクロアルキル、非置換または置換アリール、フッ素、塩素、臭素、ヒドロキシル、アルコキシ、ポリアルキレンオキシ、メルカプト、アルキルチオ、シアノ、ニトロ、ＮＥ１Ｅ２、−ＮＲＡｒ１ＣＯＲＡｒ２、−ＣＯＮＲＡｒ１ＲＡｒ２、−ＳＯ２ＮＲＡｒ１ＲＡｒ２および−ＳＯ３ＲＡｒ２（ここで、Ｅ１、Ｅ２、ＲＡｒ１およびＲＡｒ２は、上で定義した通りである）から選択される１個または複数の、例えば１個、２個または３個の置換基を有する。
【００８９】
縮合環系は、脂環式、脂肪族複素環式、芳香族およびヘテロ芳香族の環ならびにそれらの組合せ、縮合により結合されたヒドロ芳香族を含み得る。縮合環系は、２個、３個またはそれ以上（例えば、４個、５個、６個、７個または８個）の環を含む。縮合環系内の環の結合され方に応じて、オルト縮合（すなわち、各環が、隣接する各環と少なくとも一辺または２個の原子を共有する）と、１個の炭素原子が２個を超える環に属するペリ縮合とが区別される。好ましい縮合環系はオルト縮合環系である。
【００９０】
本発明の化合物の部分構造を示す式中に＃または＊が現れる場合、これは、残りの分子における連結結合を表す。
【００９１】
周波数変換体
本発明の送信機において使用される特定の周波数変換体は、変調された第１の電磁放射が、所望のスペクトル範囲内であり得る変調された第２の電磁放射に変換される利点をもたらす。したがって、所望のスペクトル範囲の全帯域幅をデータ送信のために使用することができる。したがって、そのようなデータ送信の距離を長くすることができる。
【００９２】
本発明の送信機のある実施形態によれば、変調された第２の電磁放射の波長は、４５０〜７５０ｎｍ、特に４５０ｎｍ〜７００ｎｍの範囲である。したがって、送信機により放出される可視光、特に白色光は、周波数変換体により直接発生され、したがって、可視光が最後に放出される場合、光の周波数を変換するためのさらなる要素は必要でない。本発明の送信機は、第２の電磁放射の帯域幅を使用してデータを送信することができ、したがって、放出された光の青色のスペクトル範囲のみが使用されるデータ送信と比べてデータ送信の距離は長くなる。
【００９３】
本発明のある実施形態によれば、第１の電磁放射は、少なくとも３５０ｎｍ〜５００ｎｍの間のスペクトル範囲内の波長を含む。このスペクトル範囲内では、費用効率が高い放射源が利用可能である。さらに、このスペクトル範囲は、より広い可視スペクトル範囲への変換、特に白色光への変換に有利である。放射源は、上述のスペクトル範囲内またはその一部内にある電磁放射のみを放出することができることに留意されたい。さらに、放射源は、少なくとも放出された波長がこのスペクトル範囲内である限り、このスペクトル範囲外の電磁放射を放出することもできる。
【００９４】
多くの様々な放射源を本発明の送信機により使用することができる。しかし、本発明のある実施形態によれば、放射源は発光ダイオード（ＬＥＤ）である。さらに、レーザダイオードを放射源として使用することができる。
【００９５】
特に、放射源は、４００ｎｍ〜４８０ｎｍの間の放出の中心波長を有する青色ＬＥＤである。青色ＬＥＤは、青色光を放出する発光ダイオードである。別の実施形態によれば、４００ｎｍ〜４８０ｎｍの間の放出の中心波長を有する電磁放射を放出する別の放射源も使用することができる。
【００９６】
１つの実施形態によれば、本発明の送信機の放射源は、ＵＶ−ＬＥＤ、ＲＧＢ  ＬＥＤシステム、有機ＬＥＤおよび冷白色ＬＥＤからなる群から選択され、前記冷白色ＬＥＤは、４０００Ｋ〜２００００Ｋの間の相関色温度を有する。ＵＶ−ＬＥＤは、紫外電磁放射、すなわち、４００ｎｍ未満の波長を有する電磁放射を放出する発光ダイオードである。ＲＧＢ  ＬＥＤシステムは、赤色、緑色および青色ＬＥＤからなる。これら３つのＬＥＤは、特定のスペクトル、特に白色光を放出するために独立して調整される。さらに、冷白色ＬＥＤも、その光放出が混合される赤色、緑色および青色ＬＥＤを使用して白色光を生成することができる。さらに、蛍光体材料を使用して、青色または紫外ＬＥＤから放出された単色光を広域スペクトルの白色光に変換することができる。
【００９７】
例えば、第１の電磁放射を発生するために蛍光体材料が使用されている場合、第１の電磁放射を発生するために初期の周波数変換体が既に使用されている。データ送信のために使用される変調の前にそのような従来の変換が行われる限り、蛍光体材料によるそのような従来の変換も本発明による送信機において使用することができることに留意されたい。第１の電磁放射が変調された後、上述の特定の周波数変換体が本発明の送信機により使用される。この場合、全スペクトル範囲の第２の電磁放射が特定の周波数変換体により発生される利点を活かして、広範囲のデータ送信を使用することができる。
【００９８】
本発明のある実施形態によれば、周波数変換体は、放射源により放出された変調された第１の電磁放射の少なくとも一部を、可視スペクトル範囲を含む変調された第２の電磁放射に変換する。上述のように、第１の電磁放射も可視スペクトル範囲内であり得る。したがって、周波数変換体は、可視スペクトル範囲の一部を可視スペクトル範囲の別の部分に変換することができる。しかし、周波数変換体は、変調された第１の電磁放射の波長を、変調された第２の電磁放射の他の波長に変化させる。
【００９９】
可視スペクトル範囲を含む電磁放射は光とも呼ばれる。したがって、第１の電磁放射が可視スペクトル範囲内である場合、周波数変換体は、光変換体または周波数変換体と呼ばれることもある。さらに、周波数変換体は波長変換体と呼ばれることがある。
【０１００】
本発明のある実施形態によれば、送信機の周波数変換体は、変調された第１の電磁放射の第１の波長を、前記第１の波長より長い変調された第２の電磁放射の第２の波長に変換するように適合されている。したがって、変換は、より長い波長へと行われる。そのような変換は、例えば、青色ＬＥＤの放出された放射の変換により白色光を発生するのに有利である。しかし、より短い波長への変換も使用することができる。この場合、第１の電磁放射の波長は、特に、白色光が放出される場合、放出される可視スペクトル範囲の中心波長より長い。
【０１０１】
特に、第１の電磁放射の帯域幅は、第２の電磁放射の帯域幅より狭い。したがって、本発明の送信機により使用される周波数変換体は、初期の電磁放射の帯域幅を広げる。
【０１０２】
本発明の送信機のさらなる実施形態によれば、周波数変換体は、０．１〜９ｎｓの範囲内の蛍光減衰時間（励起状態寿命τｖ）を有する。本発明の送信機の好ましい実施形態によれば、周波数変換体は、３〜９ｎｓの範囲内の励起状態寿命τｖを有する。より好ましくは、周波数変換体は、４〜８ｎｓ、特に４〜７ｎｓの範囲内の励起状態寿命τｖを有する。さらにとりわけ、周波数変換体は、５〜７ｎｓの範囲内の励起状態寿命τｖを有する。
【０１０３】
非常に短い減衰時間（励起状態寿命）を有することは、上で定義した周波数変換体の特定の利点である。そのような短い減衰時間は、変換された電磁放射の変調が実質的に変わらないという利点をもたらし、したがって、信号伝送が、変換された変調された電磁放射により可能である。減衰時間がより長いと、第１の電磁放射の変調がぼやけ、したがって、信号伝送は悪影響を受ける。
【０１０４】
本発明の送信機のさらなる実施形態によれば、周波数変換体は、放射源から離れた配置で配置されている。特に、放射源の距離は、０．０１〜１０ｃｍの範囲内である。好ましくは、放射源の距離は、０．１〜８ｃｍの範囲内、より好ましくは０．５〜７ｃｍの範囲内である。そのような配置は、周波数変換体が蛍光体ベースである場合、リモートフォスファーとしても既知である。したがって、周波数変換体は、放射源に直接適用されない。周波数変換体の寿命は、そのような離れた配置により有利に延びる。
【０１０５】
本発明の色変換体は、様々なプロセスにより生成することができる。
【０１０６】
１つの方法では、少なくとも１種の着色剤Ｂと、希望するならば散乱粒子（散乱体（ｓｃｔｔｅｒｉｎｇ  ｂｏｄｉｅｓ））とが押出によりポリマー中で混合される。引き続き、これを溶融加工（押出）して、ポリマーマトリックス中の蛍光材料の膜／プレート／射出成形品を生成することができる。
【０１０７】
代替方法では、ポリマーと、着色剤Ｂと、希望するならば散乱粒子とを適した溶媒に溶解させることができる。次いで、得られた溶液／分散物は、ガラスなどの基板上に被覆される。溶媒が乾いた後、膜は基板から剥がされる。
【０１０８】
別の代替方法では、インクジェット印刷またはスクリーン印刷などの印刷技術を使用して周波数変換体を生成することができる。
【０１０９】
本発明の送信機のさらなる実施形態によれば、変調器は放射源に接続されている。この場合、変調器は、放射源を制御するように適合されている。特に、放射源により放出された第１の電磁放射の少なくとも一部の強度が、送信されるデータに応じて変化するように、放射源を制御することができる。この場合、放出された電磁放射の小さい強度変化にビットが含まれる強度変調が使用される。しかし、他の変調技術も使用することができる。
【０１１０】
上述のように、本発明によれば、第１の電磁放射が変調される。そのような変調は、放射源の制御により実施することができる。別の実施形態によれば、第１の電磁放射はまた、この放射が放射源により放出された後に、ただし第２の電磁放射への変換前に変調することができる。この場合、変調器は、放射源と周波数変換体との間に配置された別個の要素である。
【０１１１】
さらに別の実施形態によれば、周波数変換体が、制御することができる能動素子である場合、変調器を周波数変換体に接続することができる。しかし、この場合も、変調は、第１の電磁放射の変換前に行われる。
【０１１２】
本発明によれば、周波数変換体は特に、第１の電磁放射の変調に対応して第２の電磁放射が変調されるように適合されている。特に、本発明による送信機により使用される周波数変換体の短い減衰時間によって変調は実質的に変わらない。
【０１１３】
本発明はまた、上述の可視スペクトル範囲内の変調された第２の電磁放射を送信する送信機を含む照射装置にも関する。特に、変調された第２の電磁放射は、所望の放出スペクトル、特に白色光を発生する４５０〜７５０ｎｍ、好ましくは４５０ｎｍ〜７００ｎｍの範囲内の波長を含む帯スペクトルを有する。
【０１１４】
さらに、照射装置は、少なくとも１００ｌｍ〜３００００ｌｍの範囲内である変調された第２の電磁放射の光束の値を生じるように適合されている。そのような照射装置は、例えば、照明、特に建物内の照明に、インフラ装置に、さらに自動車照明の分野において使用することができる。照射装置は、少なくとも１００ｌｍ〜３００００ｌｍの範囲内である任意の光束を与えることができると言える。しかし、光束の値がこの範囲を下回ることもあるように照射装置を減光することもできて、したがって、照射装置が照明に使用されないとき、データ送信を行うこともできる。
【０１１５】
さらに、本発明は、上述の送信機を含むデータ送信システムに関する。データ送信システムは、加えて、送信機により放出された変調された第２の電磁放射の少なくとも一部を検出するための受信機を含む。さらに、データ送信システムは、検出された変調された第２の電磁放射からデータを抽出するためのデータ分析装置を含む。
【０１１６】
受信機は、光検出器、カメラまたは太陽電池を含んでいてもよい。さらに、受信機は、送信機により放出された変調された第２の電磁放射にフィルタをかけるための赤外フィルタを含んでいてもよい。したがって、広範囲の電磁放射をデータ送信システムにより受信および分析することができ、データ送信が可能な送信機と受信機との間の距離が長くなる。
【０１１７】
ポリマーマトリックス材料
本発明による周波数変換体のポリマーマトリックスは好ましくは実質的にまたは完全に、ポリスチレン、ポリカーボネート、ポリメチルメタクリレート、ポリビニルピロリドン、ポリメタクリレート、ポリ酢酸ビニル、ポリ塩化ビニル、ポリブテン、シリコーン、ポリアクリレート、エポキシ樹脂、ポリビニルアルコール、ポリ（エチレンビニルアルコール）−コポリマー（ＥＶＡ、ＥＶＯＨ）、ポリアクリロニトリル、ポリ塩化ビニリデン（ＰＶＤＣ）、ポリスチレンアクリロニトリル（ＳＡＮ）、ポリブチレンテレフタレート（ＰＢＴ）、ポリエチレンテレフタレート（ＰＥＴ）、ポリビニルブチレート（ＰＶＢ）、ポリ塩化ビニル（ＰＶＣ）、ポリアミド、ポリオキシメチレン、ポリイミド、ポリエーテルイミド、２，５−フランジカルボキシレートポリエステルからなる。
【０１１８】
特に、少なくとも１種のポリマーは実質的にまたは完全に、ポリスチレン、ポリカーボネート、ポリエチレンテレフタレートからなる。同じく特に、少なくとも１種のポリマーはポリメチルメタクリレートからなる。同じく特に、少なくとも１種のポリマーはポリエチレンフラノエートからなる。
【０１１９】
ポリスチレンは、本明細書において、とりわけ、スチレンおよび／またはスチレンの誘導体の重合により生じるすべてのホモポリマーまたはコポリマーを意味すると理解される。スチレンの誘導体は、例えば、アルファ−メチルスチレン、オルト−、メタ−、パラ−メチルスチレン、パラ−ブチルスチレン、特にパラ−ｔｅｒｔ−ブチルスチレンなどのアルキルスチレン、パラ−メトキシスチレン、パラ−ブトキシスチレン、パラ−ｔｅｒｔ−ブトキシスチレンなどのアルコキシスチレンである。一般に、適したポリスチレンは、（ＧＰＣにより決定される）１００００〜１００００００ｇ／ｍｏｌ、好ましくは２００００〜７５００００ｇ／ｍｏｌ、より好ましくは３００００〜５０００００ｇ／ｍｏｌの平均モル質量Ｍｎを有する。
【０１２０】
好ましい実施形態において、周波数変換体のマトリックスは実質的にまたは完全に、スチレンまたはスチレン誘導体のホモポリマーからなる。とりわけ、ポリマーはポリスチレンからなる。
【０１２１】
本発明のさらなる好ましい実施形態において、マトリックスは実質的にまたは完全にスチレンコポリマーからなり、これは、本出願の文脈においてポリスチレンと同様に見なされる。スチレンコポリマーは、さらなる構成成分として、例えば、モノマーとしてのブタジエン、アクリロニトリル、無水マレイン酸、ビニルカルバゾールまたはアクリル酸、メタクリル酸もしくはイタコン酸のエステルを含んでいてもよい。適したスチレンコポリマーは一般に、少なくとも２０重量％のスチレン、好ましくは少なくとも４０％、より好ましくは少なくとも６０重量％のスチレンを含む。別の実施形態において、それは、少なくとも９０重量％のスチレンを含む。
【０１２２】
好ましいスチレンコポリマーは、スチレン−アクリロニトリルコポリマー（ＳＡＮ）およびアクリロニトリル−ブタジエン−スチレンコポリマー（ＡＢＳ）、スチレン−１，１’−ジフェニルエテンコポリマー、アクリル酸エステル−スチレン−アクリロニトリルコポリマー（ＡＳＡ）、メチルメタクリレート−アクリロニトリル−ブタジエン−スチレンコポリマー（ＭＡＢＳ）である。さらなる好ましいポリマーはアルファ−メチルスチレン−アクリロニトリルコポリマー（ＡＭＳＡＮ）である。スチレンホモポリマーまたはコポリマーは、例えば、フリーラジカル重合、カチオン重合、アニオン重合により、または有機金属触媒（例えばチーグラー・ナッタ触媒）の影響下で調製することができる。これは、アイソタクチック、シンジオタクチックもしくはアタクチックなポリスチレンまたはコポリマーをもたらすことができる。それらは、好ましくは、フリーラジカル重合により調製される。この重合は、懸濁重合、乳化重合、溶液重合または塊状重合として実施することができる。適したポリスチレンの調製は、例えば、Ｏｓｃａｒ  Ｎｕｙｋｅｎ，Ｐｏｌｙｓｔｙｒｅｎｅｓ  ａｎｄ  Ｏｔｈｅｒ  Ａｒｏｍａｔｉｃ  Ｐｏｌｙｖｉｎｙｌ  Ｃｏｍｐｏｕｎｄｓ，ｉｎ  Ｋｒｉｃｈｅｌｄｏｒｆ，Ｎｕｙｋｅｎ，Ｓｗｉｆｔ，Ｎｅｗ  Ｙｏｒｋ  ２００５，ｐ．７３−１５０およびその中で引用されている参考文献；ならびにＥｌｉａｓ，Ｍａｃｒｏｍｏｌｅｃｕｌｅｓ，Ｗｅｉｎｈｅｉｍ  ２００７，ｐ．２６９−２７５に記載されている。
【０１２３】
別の好ましい実施形態において、ポリマーはポリエチレンテレフタレートからなる。ポリエチレンテレフタレートは、テレフタル酸とのエチレングリコールの縮合により得ることができる。
【０１２４】
同じくとりわけ、ポリマーはポリカーボネートからなる。ポリカーボネートは、芳香族または脂肪族ジヒドロキシル化合物との炭酸のポリエステルである。好ましいジヒドロキシル化合物は、例えば、メチレンジフェニレンジヒドロキシル化合物、例えばビスフェノールＡである。ポリカーボネートを調製する１つの手段は、界面重合におけるホスゲンとの適したジヒドロキシル化合物の反応である。別の手段は、縮合重合におけるジフェニルカーボネートなどの炭酸のジエステルとの反応である。適したポリカーボネートの調製は、例えば、Ｅｌｉａｓ，Ｍａｃｒｏｍｏｌｅｃｕｌｅｓ，Ｗｅｉｎｈｅｉｍ  ２００７，ｐ．３４３−３４７に記載されている。
【０１２５】
さらなる好ましい実施形態において、（ｉ）脂肪族Ｃ２〜Ｃ２０−ジオールおよび脂環式Ｃ３〜Ｃ２０−ジオールから選択される少なくとも１種のジオールを、（ｉｉ）２，５−フランジカルボン酸および／またはその誘導体を生成するエステルと、（ｉｉｉ）任意選択で１，２−シクロヘキサンジカルボン酸、１，４−シクロヘキサンジカルボン酸、３，４−フランジカルボン酸、テレフタル酸および２，６−ナフタル酸から選択される少なくとも１種のさらなるジカルボン酸および／またはそれらの誘導体を生成するエステルと反応させることにより得ることができる少なくとも１種の２，５−フランジカルボキシレートポリエステル（Ａ）を含むポリマーマトリックス材料。
【０１２６】
適した脂肪族Ｃ２〜Ｃ２０−ジオールは、好ましくは直鎖または分岐鎖のＣ２〜Ｃ１５−アルカンジオール、特に直鎖または分岐鎖のＣ２〜Ｃ１０−アルカンジオール、例えばエタン−１，２−ジオール（エチレングリコール）、プロパン−１，２−ジオール、プロパン−１，３−ジオール（プロピレングリコール）、ブタン−１，３−ジオール、ブタン−１，４−ジオール（ブチレングリコール）、２−メチル−１，３−プロパンジオール、ペンタン−１，５−ジオール、２，２−ジメチル−１，３−プロパンジオール（ネオペンチルグリコール）、ヘキサン−１，６−ジオール、ヘプタン−１，７−ジオール、オクタン−１，８−ジオール、ノナン−１，９−ジオール、デカン−１，１０−ジオールなどである。適した脂環式Ｃ３〜Ｃ２０−ジオールは、好ましくはＣ３〜Ｃ１０−シクロアルキレンジオール、例えば１，２−シクロペンタンジオール、１，３−シクロペンタンジオール、１，２−シクロヘキサンジオール、１，４−シクロヘキサンジオール、１，２−シクロヘプタンジオールまたは１，４−シクロヘプタンジオールである。他の適した脂環式Ｃ３〜Ｃ２０−ジオールには、１，３−シクロヘキサンジメタノールおよび１，４−シクロヘキサンジメタノールもしくは２，２，４，４−テトラメチル−１，３−シクロブタンジオールまたはそれらの組合せが含まれる。特に好ましいジオールは、Ｃ２〜Ｃ６−アルカンジオール、特にエタン−１，２−ジオール、プロパン−１，２−ジオール、プロパン−１，３−ジオール、ブタン−１，３−ジオール、ブタン−１，４−ジオール、ペンタン−１，５−ジオール、２，２−ジメチル−１，３−プロパンジオールおよびそれらの混合物である。とりわけ好ましいのは、エタン−１，２−ジオールおよびプロパン−１，３−ジオールである。特に好ましいのはエタン−１，２−ジオールである。
【０１２７】
とりわけ好ましいのはまた、生物学的に誘導された（「バイオ由来」）Ｃ２〜Ｃ１０−アルカンジオール、特にＣ２〜Ｃ６−アルカンジオール、例えばエタン−１，２−ジオールおよびプロパン−１，３−ジオールである。バイオベースのエタン−１，２−ジオールは、リグノセルロース系バイオマス源から、その中に含まれる炭水化物の変換により得ることができる。バイオマスからＣ２〜Ｃ１０−アルカンジオールを調製するための方法は、例えば米国特許出願公開第２０１１／０３０６８０４号明細書により、当技術分野において既知である。
【０１２８】
好ましくは、ジオール成分（ｉ）は、好ましいと述べた１種のジオール、特にエタン−１，２−ジオールのみから構成される。ジオール成分（ｉ）はまた、２種、３種の、または３種を超える異なるジオールを含んでいてもよい。２種、３種の、または３種を超える異なるジオールが使用される場合、好ましいと上で述べたものが好ましい。この場合、成分（ｉ）の全重量に基づいて、エタン−１，２−ジオールが好ましくは主成分である。
【０１２９】
２，５−フランジカルボン酸の誘導体を生成するエステルは特に、２，５−フランジカルボン酸のＣ１〜Ｃ１０−ジアルキルエステルである。特に好ましいジエステルは、２，５−フランジカルボン酸のＣ１〜Ｃ６−ジアルキルエステル、特にジメチルエステルおよびジエチルエステルである。成分（ｉｉ）はまた、２，５−フランジカルボン酸の２種、３種の、または３種を超える異なるジエステルを含んでいてもよい。２，５−フランジカルボン酸は、バイオベースの糖から生成することができる。２，５−二置換フラン、例えば５−ヒドロキシメチルフルフラールの空気酸化をＣｏ、Ｍｎおよび／またはＣｅを含む触媒と共に使用する２，５−フランジカルボン酸の調製のための経路は、国際公開第２０１０／１３２７４０号、国際公開第２０１１／０４３６６０号、国際公開第２０１１／０４３６６１号、米国特許出願公開第２０１１／０２８２０２０号明細書、米国特許出願公開第２０１４／０３３６３４９号明細書および国際公開第２０１５／１３７８０４号において最近報告された。２，５−フランジカルボン酸のジアルキルエステルの調製のための経路も、例えば、国際公開第２０１１／０４３６６１号に記載されている。
【０１３０】
好ましくは、成分（ｉｉ）は、２，５−フランジカルボン酸または２，５−フランジカルボン酸の（１種または複数種の）ジエステルのみから構成される。
【０１３１】
好ましくは、２，５−フランジカルボキシレートポリエステル（Ａ）は、ポリ（エチレン−２，５−フランジカルボキシレート）、ポリ（プロピレン−２，５−フランジカルボキシレート）、ポリ（エチレン−ｃｏ−プロピレン−２，５−フランジカルボキシレート）、ポリ（ブチレン−２，５−フランジカルボキシレート）、ポリ（ペンチレン−２，５−フランジカルボキシレート）、ポリ（ネオペンチレン−２，５−フランジカルボキシレート）およびそれらの混合物から選択される。特に、本発明による周波数変換体における使用のためのポリマーマトリックス材料は、ポリ（エチレン−２，５−フランジカルボキシレート）、ポリ（トリメチレン−２，５−フランジカルボキシレート）およびポリ（ブチレン−２，５−フランジカルボキシレート）からなり得、これらから実質的になり得、またはこれらから選択され得る。特に、本発明による周波数変換体における使用のためのポリマーマトリックス材料はポリ（エチレン−２，５−フランジカルボキシレート）からなる。さらなる特定の実施形態において、周波数変換体のポリマーマトリックス材料は、上で定義した異なる２，５−フランジカルボキシレートポリエステル（Ａ）の混合物（ブレンド）、例えば、ポリ（エチレン−２，５−フランジカルボキシレート）およびポリ（プロピレン−２，５−フランジカルボキシレート）のブレンドを含む。ポリ（プロピレン−２，５−フランジカルボキシレート）はポリ（トリメチレン−２，５−フランジカルボキシレート）とも呼ばれ；ポリ（ブチレン−２，５−フランジカルボキシレート）はポリ（テトラメチレン−２，５−フランジカルボキシレート）とも呼ばれ、ポリ（ペンチレン−２，５−フランジカルボキシレート）はポリ（ペンタメチレン−２，５−フランジカルボキシレート）とも呼ばれる。
【０１３２】
同じく適しているのは、上で定義した少なくとも１種のジオール成分（ｉ）と、上で定義した成分（ｉｉ）と、１，２−シクロヘキサンジカルボン酸、１，４−シクロヘキサンジカルボン酸、３，４−フランジカルボン酸、テレフタル酸および２，６−ナフタル酸ならびに／またはそれらの誘導体を生成するエステルから選択される少なくとも１種のさらなる二酸またはジエステル成分（ｉｉｉ）とを反応させることにより得ることができる２，５−フランジカルボキシレートポリエステル（Ａ）である。１，２−シクロヘキサンジカルボン酸、１，４−シクロヘキサンジカルボン酸、３，４−フランジカルボン酸、テレフタル酸および２，６−ナフタル酸の誘導体を生成するエステルは特に、Ｃ１〜Ｃ１０−ジアルキルエステルである。特に好ましいエステルは、Ｃ１〜Ｃ６−ジアルキルエステル、特にジメチルエステルおよびジエチルエステルである。成分（ｉｉ）および成分（ｉｉｉ）の組合せを使用するとき、成分（ｉｉ）が、成分（ｉｉ）および（ｉｉｉ）の全重量に基づいた主成分である。例は、ポリ（エチレン−２，５−フランジカルボキシレート−ｃｏ−１，２−シクロヘキサンジカルボキシレート）、ポリ（エチレン−２，５−フランジカルボキシレート−ｃｏ−１，４−シクロヘキサンジカルボキシレート）、ポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレート）、好ましくはポリ（エチレン−２，５−フランジカルボキシレート−ｃｏ−テレフタレート）、ポリ（エチレン−２，５−フランジカルボキシレート−ｃｏ−２，６−ナフタレート）またはポリ（エチレン−２，５−フランジカルボキシレート−ｃｏ−３，４−フランジカルボキシレートである。
【０１３３】
２，５−フランジカルボキシレートポリエステル（Ａ）は、米国特許第２，５５１，７３１号明細書に記載の通り調製することができる。
【０１３４】
好ましい実施形態において、酸素を除いて重合されたポリマーが使用される。好ましくは、重合中のモノマーは、合計で１０００ｐｐｍを超えない、より好ましくは１００ｐｐｍを超えない、特に好ましくは１０ｐｐｍを超えない酸素を含んでいた。
【０１３５】
本発明の１つの実施形態において、適したポリマーは透明なポリマーである。別の実施形態において、適したポリマーは不透明なポリマーである。
【０１３６】
上述のポリマーは、（Ｂ１）〜（Ｂ１６）群の化合物およびそれらの混合物のための、ならびに存在する場合は、他の周波数変換材料のためのマトリックス材料となる。（Ｂ１）〜（Ｂ１６）群の（１種または複数種の）蛍光着色剤が、しかし、任意選択で他の変換材料も、ポリマーに溶解されてもよく、または均質に分布した混合物の形態であってもよい。好ましい実施形態において、（１種または複数種の）蛍光着色剤がポリマーに溶解される。
【０１３７】
適したポリマーは、さらなる構成成分として、添加剤、例えば難燃剤、酸化防止剤、光安定剤、ＵＶ吸収剤、フリーラジカルスカベンジャー、帯電防止剤を含んでいてもよい。この種類の安定剤は当業者に既知である。
【０１３８】
適した酸化防止剤またはフリーラジカルスカベンジャーは、例えば、フェノール類、特にブチルヒドロキシアニソール（ＢＨＡ）もしくはブチルヒドロキシトルエン（ＢＨＴ）などの立体障害フェノール、または立体障害アミン（ＨＡＬＳ）である。この種類の安定剤は、例えば、ＢＡＳＦからＩｒｇａｎｏｘ（登録商標）の商品名で販売されている。場合によっては、酸化防止剤およびフリーラジカルスカベンジャーは、例えば、ＢＡＳＦからＩｒｇａｆｏｓ（登録商標）の商品名で販売されているホスファイトまたはホスホナイトなどの二次安定剤で補うことができる。本発明の好ましい実施形態において、適したポリマーは、いかなる酸化防止剤またはフリーラジカルスカベンジャーも含まない。
【０１３９】
適したＵＶ吸収剤は、例えば、２−（２−ヒドロキシフェニル）−２Ｈ−ベンゾトリアゾール（ＢＴＺ）などのベンゾトリアゾール、（２−ヒドロキシフェニル）−ｓ−トリアジン（ＨＰＴ）などのトリアジン、ヒドロキシベンゾフェノン（ＢＰ）またはオキサルアニリドである。この種類のＵＶ吸収剤は、例えば、ＢＡＳＦからＵｖｉｎｕｌ（登録商標）の商品名で販売されている。
【０１４０】
有機蛍光着色剤Ｂ
（Ｂ１）〜（Ｂ１５）群の化合物は、放射源の青色光成分の少なくとも一部を吸収し、可視スペクトル内で放出する。好ましくは、（Ｂ１）〜（Ｂ１５）群の各化合物は、ポリマー膜中で測定される少なくとも８０％の蛍光量子収率を有する。
【０１４１】
Ｂ１６群の化合物は、６００〜６５０ｎｍのスペクトル範囲内の光を効率的に吸収する。Ｂ１６群の化合物は通常、蛍光化合物の励起電子の少なくとも一部を受け取る。この蛍光化合物は、青色光を吸収することによりエネルギーをＢ１６群の化合物に伝達する役割を果たすことができる増感剤であり得る。この場合、Ｂ１６群の化合物は、フェルスター共鳴エネルギー移動（ＦＲＥＴ）の意味で、励起状態の受け取った電子を使用して光を放出することができる。あるいはこの蛍光化合物は、Ｂ１〜Ｂ１５群からの他の着色剤のいずれかであり得、それらの放出電子は、（Ｂ１６）群の化合物により再吸収され（ｒｅ−ａｂｓｏｒｐｔｅｄ）得る。好ましくは、Ｂ１６群の各化合物は、ポリマー膜中で測定される少なくとも４０％の蛍光量子収率を有する。
【０１４２】
好ましくは、周波数変換体は、Ｂ１群、Ｂ２群、Ｂ３群、Ｂ４群、Ｂ５群、Ｂ７群、Ｂ８群、Ｂ１１群、Ｂ１２群、Ｂ１３群、Ｂ１４群、Ｂ１５群、Ｂ１６群またはそれらの混合物から選択される少なくとも１種の着色剤Ｂを含む。
【０１４３】
同じく好ましくは、周波数変換体は、Ｂ１群、Ｂ２群、Ｂ３群、Ｂ４群、Ｂ５群、Ｂ７群、Ｂ８群、Ｂ１１群、Ｂ１２群、Ｂ１３群、Ｂ１４群、Ｂ１５群およびそれらの混合物から選択される群から選択される少なくとも１種の着色剤Ｂを含む。
【０１４４】
特別な実施形態において、周波数変換体は、Ｂ７群の化合物およびＢ１３群の化合物を含む有機蛍光着色剤の組合せを含む。
【０１４５】
有機蛍光着色剤（Ｂ１）
式（Ｉ）のナフトイルベンゾイミダゾール化合物は、ＥＰ  １７１５１９３１．７により既知である。式（Ｉ）の化合物は通常、黄色蛍光化合物である。
【０１４６】
周波数変換体における使用に関して、式（Ｉ−Ａ）
【化１７】
2020532222.tif 000018
【０１４７】
（式中、
Ｒ３およびＲ４はそれぞれ独立して、水素、フェニル、１個もしくは２個のシアノ基を持つフェニルまたはＣ１〜Ｃ１０−アルキルから選択される１個、２個もしくは３個の置換基を持つフェニルであり；かつ
Ｒ７、Ｒ８、Ｒ９およびＲ１０はそれぞれ独立して、水素、フェニル、１個もしくは２個のシアノ基を持つフェニルまたはＣ１〜Ｃ１０−アルキルから選択される１個、２個もしくは３個の置換基を持つフェニルである）
の化合物に対応する式（Ｉ）の化合物が好ましい。
【０１４８】
式（Ｉ−Ａ）の化合物のうち、Ｒ８およびＲ１０が同じ意味を有する化合物が好ましい。同じく、Ｒ７およびＲ９が同じ意味を有する化合物が好ましい。特に、Ｒ８およびＲ１０は同じ意味を有し、かつＲ７およびＲ９は同じ意味を有する。特に、Ｒ７およびＲ９は同じ意味を有し、かつ水素である。
【０１４９】
本発明の特に好ましい実施形態は、式（Ｉ−Ａ）（式中、
Ｒ３およびＲ４はそれぞれ、水素、フェニル、１個または２個のシアノ基を持つフェニルおよび１個、２個または３個のＣ１〜Ｃ１０−アルキル置換基を持つフェニル；特に水素、フェニルまたは１個のシアノ基を持つフェニルから独立して選択され；
Ｒ７は水素であり；
Ｒ８は、フェニル、１個もしくは２個のシアノ基を持つフェニルまたは１個、２個もしくは３個のＣ１〜Ｃ１０−アルキル置換基を持つフェニルであり；
Ｒ９は水素であり；かつ
Ｒ１０は、フェニル、１個もしくは２個のシアノ基を持つフェニルまたは１個、２個もしくは３個のＣ１〜Ｃ１０−アルキル置換基を持つフェニルである）
の化合物に関する。
【０１５０】
特に、Ｒ８は４−シアノフェニルである。特に、Ｒ１０は４−シアノフェニルである。
【０１５１】
本発明のさらに特に好ましい実施形態は、式（Ｉ−Ａ）（式中、
Ｒ３は、フェニル、１個のシアノ基を持つフェニル；またはＣ１〜Ｃ１０−アルキルから選択される１個の置換基を持つフェニルであり；
Ｒ４は水素であり；
Ｒ８およびＲ１０はそれぞれ、１個のシアノ基を持つフェニルであり；
Ｒ７およびＲ９はそれぞれ水素である）
の化合物に関する。
【０１５２】
特に、Ｒ３は、１個のシアノ基を持つフェニルである；
本発明のさらなる特に好ましい実施形態は、式（Ｉ−Ａ）（式中、
Ｒ３水素；
Ｒ４は、フェニル、１個のシアノ基を持つフェニルまたはＣ１〜Ｃ１０−アルキルから選択される１個の置換基を持つフェニル；特に１個のシアノ基を持つフェニルであり；
Ｒ８およびＲ１０はそれぞれ、１個のシアノ基を持つフェニルであり；
Ｒ７およびＲ９はそれぞれ水素である）
の化合物に関する。
【０１５３】
式（Ｉ−Ａ）の好ましい化合物の例は、式（Ｉ−Ａ．１）、（Ｉ−Ａ．２）（Ｉ−Ａ．３）および（Ｉ−Ａ．４）
【化１８】
2020532222.tif 000019
【０１５４】
の化合物である。
【０１５５】
式（Ｉ）の化合物およびその混合物は、標準的な方法と同様に、例えば、国際公開第２０１２／１６８３９５号、特に６４〜８１頁に、または国際公開第２０１５／０１９２７０号、２１〜３０頁に記載されているように調製することができる。
【０１５６】
有機蛍光着色剤（Ｂ２）
式（ＩＩ）のシアノ化ナフトイルベンゾイミダゾール化合物は、国際公開第２０１５／０１９２７０号により既知である。式（ＩＩ）の化合物は通常、緑色蛍光色素、黄緑色蛍光色素または黄色蛍光色素である。本発明の周波数変換体における使用に関して、化合物（ＩＩ）は、好ましくは、式（ＩＩ−Ａ）
【化１９】
2020532222.tif 000020
【０１５７】
の化合物およびその混合物から選択され、
式中、
Ｒ２３およびＲ２４はそれぞれ独立して、シアノ、フェニル、４−シアノフェニルまたはＣ１〜Ｃ１０−アルキルから選択される１個、２個もしくは３個の置換基を持つフェニル、特にシアノ、フェニルまたは４−シアノフェニルであり；かつ
Ｒ２７、Ｒ２８、Ｒ２９およびＲ２１０はそれぞれ独立して、水素、シアノ、フェニル、４−シアノフェニルまたはＣ１〜Ｃ１０−アルキルから選択される１個、２個もしくは３個の置換基を持つフェニル、特に水素、シアノ、フェニルまたは４−シアノフェニルである。
【０１５８】
さらに好ましいのは、国際公開第２０１５／０１９２７０号に、１６頁、第２段落〜２０頁、第３段落に記載の化合物である。本発明の周波数変換体における使用に関して、特に好ましいのは、式（ＩＩ−１）、（ＩＩ−２）、（ＩＩ−３）、（ＩＩ−４）、（ＩＩ−５）、（ＩＩ−６）、（ＩＩ−７）、（ＩＩ−８）、（ＩＩ−９）、（ＩＩ−１０）、（ＩＩ−１１）、（ＩＩ−１２）、（ＩＩ−１３）、（ＩＩ−１４）、（ＩＩ−１５）、（ＩＩ−１６）、（ＩＩ−１７）、（ＩＩ−１８）、（ＩＩ−１９）、（ＩＩ−２０）、（ＩＩ−２１）、（ＩＩ−２２）、（ＩＩ−２３）、（ＩＩ−２４）、（ＩＩ−２５）、（ＩＩ−２６）、（ＩＩ−２７）、（ＩＩ−２８）、（ＩＩ−２９）、（ＩＩ−３０）、（ＩＩ−３１）、（ＩＩ−３２）、（ＩＩ−３３）、（ＩＩ−３４）、（ＩＩ−３５）、（ＩＩ−３６）、（ＩＩ−３７）、（ＩＩ−３８）、（ＩＩ−３９）、（ＩＩ−４０）、（ＩＩ−４１）、（ＩＩ−４２）、（ＩＩ−４３）、（ＩＩ−４４）、（ＩＩ−４５）、（ＩＩ−４６）、（ＩＩ−４７）、（ＩＩ−４８）、（ＩＩ−４９）、（ＩＩ−５０）
【化２０−１】
2020532222.tif 000021
【０１５９】
【化２０−２】
2020532222.tif 000022
【０１６０】
【化２０−３】
2020532222.tif 000023
【０１６１】
【化２０−４】
2020532222.tif 000024
【０１６２】
の化合物から選択される式（ＩＩ）の化合物またはその混合物である。
【０１６３】
とりわけ好ましいのは、化合物（ＩＩ−１１）、（ＩＩ−１２）、（ＩＩ−１３）および（ＩＩ−１４）ならびにそれらの混合物である。
【０１６４】
有機蛍光着色剤（Ｂ３）
式（ＩＩＩ）の化合物は、国際公開第２０１５／１６９９３５号により既知である。式（ＩＩＩ）の化合物は通常、黄色蛍光色素または黄緑色蛍光色素である。本発明の周波数変換体における使用に関して、式（ＩＩＩ）の化合物は、以下の式（ＩＩＩ−ａ）および（ＩＩＩ−ｂ）の化合物ならびに式（ＩＩＩ−ｃ）および（ＩＩＩＩ−ｄ）の化合物：
【化２１】
2020532222.tif 000025
【０１６５】
を個々に、およびそれらの混合物を包含し、
式中、Ｒ３１、Ｒ３２、Ｒ３３、Ｒ３４、Ｒ３５、Ｒ３６、Ｒ３７、Ｒ３８、Ｚ３およびＺ３＊はそれぞれ、上で定義した通りである。
【０１６６】
特に、国際公開第２０１５／１６９９３５号に、１２頁、９行目〜１３頁、３１行目に記載の化合物が好ましい。本発明の周波数変換体における使用に関して、好ましいのは、式（ＩＩＩ−１）、（ＩＩＩ−２）、（ＩＩＩ−３）、（ＩＩＩ−４）、（ＩＩＩ−５）、（ＩＩＩ−６）、（ＩＩＩ−７）、（ＩＩＩ−８）、（ＩＩＩ−９）、（ＩＩＩ−１０）、（ＩＩＩ−１１）、（ＩＩＩ−１２）、（ＩＩＩ−１３）、（ＩＩＩ−１４）、（ＩＩＩ−１５）、（ＩＩＩ−１６）、（ＩＩＩ−１７）、（ＩＩＩ−１８）、（ＩＩＩ−１９）、（ＩＩＩ−２０）
【化２２−１】
2020532222.tif 000026
【０１６７】
【化２２−２】
2020532222.tif 000027
【０１６８】
の化合物から選択される式（ＩＩＩ）の化合物およびその混合物であり、
式中、
Ｚ３は、Ｃ１〜Ｃ６−アルキル、Ｃ１〜Ｃ６−アルコキシカルボニル、フェニル、または１個、２個もしくは３個のＣ１〜Ｃ４−アルキル基を持つフェニルから選択され；かつ
Ｚ３＊は、Ｃ１〜Ｃ６−アルキル、Ｃ１〜Ｃ６−アルコキシカルボニル、フェニル、または１個、２個もしくは３個のＣ１〜Ｃ４−アルキル基を持つフェニルから選択される。
【０１６９】
特別な実施形態において、Ｚ３＊は、Ｚ３と同じ意味を有する。
【０１７０】
これらのうち、式（１０．ａ）、（１０．ｂ）
【化２３】
2020532222.tif 000028
【０１７１】
のペリレン化合物ならびに式（１０．ａ）および（１０．ｂ）の化合物の混合物が特に好ましく、
式中、
Ｒ２置換基、Ｒ３置換基、Ｒ６置換基およびＲ７置換基のうちの３個は水素であり；かつ
Ｒ２置換基、Ｒ３置換基、Ｒ６置換基およびＲ７置換基のうちの１個はシアノである。
【０１７２】
有機蛍光着色剤（Ｂ４）
式（ＩＶ）のシアノ化化合物は、国際公開第２０１６／１５１０６８号の主題である。式（ＩＶ）の化合物は通常、黄色蛍光色素または黄緑色蛍光色素である。本発明の周波数変換体における使用に関して、式（ＩＶ）の化合物は、好ましくは、Ｘ４０がＯである化合物である。同じく好ましいのは、Ｘ４０がＳである式（ＩＶ）の化合物である。国際公開第２０１６／１５１０６８号に、２４頁、１０行目〜３４頁、４行目に記載の化合物が好ましい。
【０１７３】
これらのうち、Ａが式（Ａ．２）の基である式（ＩＶ）の化合物が特に好ましい。Ａが式（Ａ．２）の基である式（ＩＶ）の化合物は、式（ＩＶ−Ａ．２）
【化２４】
2020532222.tif 000029
【０１７４】
（式中、
ｍ４、Ｘ４０、Ｒ４１、Ｒ４２、Ｒ４３、Ｒ４４、Ｒ４５およびＲ４６は、上で定義した通りである）
の化合物とも呼ばれる。
【０１７５】
式（Ｉ−Ａ．２）の化合物において、Ｒ４６は、好ましくは、水素、直鎖Ｃ１〜Ｃ２４−アルキル、分岐鎖Ｃ３〜Ｃ２４−アルキル、Ｃ６〜Ｃ１０−アリールおよびＣ６〜Ｃ１０−アリール−Ｃ１〜Ｃ１０−アルキレン（ここで、最後に挙げた２種の部分内のアリール環は、非置換であるか、または１個、２個、３個、４個もしくは５個の同一か異なるＲ４６ａ基で置換されている）から選択される。特に、Ｒ４６は、直鎖Ｃ１〜Ｃ２４−アルキル、式（Ｂ．１）の基および式（Ｂ．２）の基
【化２５】
2020532222.tif 000030
【０１７６】
（式中、
＃は、窒素原子との結合部位であり；
式（Ｂ．１）中のＲｄおよびＲｅは互いに独立してＣ１〜Ｃ２３−アルキルから選択され、ここで、Ｒｄ基およびＲｅ基の炭素原子の合計は２〜２３の整数であり；
式（Ｂ．２）中のＲｆ、ＲｇおよびＲｈはＣ１〜Ｃ２０−アルキルから独立して選択され、ここで、Ｒｆ基、Ｒｇ基およびＲｈ基の炭素原子の合計は３〜２３の整数である）
から選択される。
【０１７７】
式（Ｂ．１）の好ましい基は、１−メチルエチル、１−メチルプロピル、１−メチルブチル、１−メチルペンチル、１−メチルヘキシル、１−メチルヘプチル、１−メチルオクチル、１−エチルプロピル、１−エチルブチル、１−エチルペンチル、１−エチルヘキシル、１−エチルヘプチル、１−エチルオクチル、１−プロピルブチル、１−プロピルペンチル、１−プロピルヘキシル、１−プロピルヘプチル、１−プロピルオクチル、１−ブチルペンチル、１−ブチルヘキシル、１−ブチルヘプチル、１−ブチルオクチル、１−ペンチルヘキシル、１−ペンチルヘプチル、１−ペンチルオクチル、１−ヘキシルヘプチル、１−ヘキシルオクチル、１−ヘプチルオクチルである。
【０１７８】
式（Ｂ．２）の特に好ましい基はｔｅｒｔ．−ブチルである。
【０１７９】
同じく特に、Ｒ４６は、式（Ｃ．１）の基、式（Ｃ．２）の基または式（Ｃ．３）の基
【化２６】
2020532222.tif 000031
【０１８０】
（ここで、
＃は、窒素原子との結合側（ｂｏｎｄｉｎｇ  ｓｉｄｅ）を表し；
Ｂは、存在する場合、−Ｏ−および−Ｓ−から選択される１個または複数の隣接していない基により中断されていてもよいＣ１〜Ｃ１０−アルキレン基であり；
ｙは、０または１であり、
Ｒｉは互いに独立して、Ｃ１〜Ｃ２４−アルキル、Ｃ１〜Ｃ２４−フルオロアルキル、フッ素、塩素または臭素から選択され；
Ｒｋは互いに独立してＣ１〜Ｃ２４−アルキルから選択され；
式Ｃ．２およびＣ．３中のｘは、１、２、３、４または５である）である。
【０１８１】
好ましくは、ｙは０であり、すなわち、変数Ｂは存在しない。
【０１８２】
その存在とは無関係に、Ｒｉは、好ましくはＣ１〜Ｃ２４−アルキル、より好ましくは直鎖Ｃ１〜Ｃ１０−アルキルまたは分岐鎖Ｃ３〜Ｃ１０−アルキル、特にイソプロピルから選択される。その存在とは無関係に、Ｒｋは、好ましくはＣ１〜Ｃ２４−アルキル、より好ましくは直鎖Ｃ１〜Ｃ１０−アルキルまたは分岐鎖Ｃ３〜Ｃ１０−アルキルから選択される。式Ｃ．２およびＣ．３中の変数ｘは、好ましくは、１、２または３である。
【０１８３】
実施形態の特別な群は、式（ＩＶ−Ａ．２）（式中、変数ｍ４、Ｘ４０、Ｒ４１、Ｒ４２、Ｒ４３、Ｒ４４およびＲ４５は、互いに独立して、または特に組合せで、以下の意味を有する：
Ｘ４０は、ＯまたはＳであり；
Ｒ４２およびＲ４４はそれぞれシアノであり；
Ｒ４３およびＲ４５はそれぞれ水素であり、またはＲ４３およびＲ４５の一方は臭素であり、かつＲ４３およびＲ４５の他方は水素であり；
Ｒ４１は、シアノ、臭素、および非置換であるか、またはＣ１〜Ｃ４−アルキルから選択される１個もしくは２個の基を持つフェニルから選択され；
Ｒ４６は、水素、Ｃ１〜Ｃ２４−直鎖アルキル、分岐鎖Ｃ３〜Ｃ２４−アルキル、式（Ｃ．１）の基、式（Ｃ．２）の基および式（Ｃ．３）の基から選択され；
ｍ４は、０または１である）
の化合物に関する。
【０１８４】
さらにより好ましくは、
Ｘ４０は、ＯまたはＳであり；
Ｒ４２およびＲ４４はそれぞれシアノであり；
Ｒ４３およびＲ４５はそれぞれ水素であり；
Ｒ４１は、シアノ、臭素、あるいは非置換であるか、またはＣ１〜Ｃ４−アルキルから選択される１個もしくは２個の基を持つフェニル；特にシアノから選択され；
Ｒ４６は、直鎖Ｃ１〜Ｃ２４−アルキル、分岐鎖Ｃ３〜Ｃ２４−アルキル、式（Ｃ．１）の基、式（Ｃ．２）の基または式（Ｃ．３）の基；特に直鎖Ｃ１〜Ｃ２４−アルキル、分岐鎖Ｃ３〜Ｃ２４−アルキル、またはＣ１〜Ｃ４−アルキルから選択される１個もしくは２個の基を持つフェニル、例えば２，６−ジイソプロピルフェニルから選択され；
ｍ４は、０または１である。
【０１８５】
式（ＩＶ−Ａ．２）の好ましい化合物の例を下に示す：
【化２７−１】
2020532222.tif 000032
【０１８６】
【化２７−２】
2020532222.tif 000033
【０１８７】
特に、有機蛍光着色剤（Ｂ４）は、化合物ＩＶ−Ａ．２−１、ＩＶ−Ａ．２−６またはＩＶ−Ａ．２−９から選択される。
【０１８８】
有機蛍光着色剤（Ｂ５）
式（Ｖ）のベンゾキサンテン化合物は、国際公開第２０１４／１３１６２８号により既知である。それは通常、黄色蛍光性である。それは通常、黄色蛍光色素または黄緑色蛍光色素である。式（Ｖ）のベンゾチオキサンテン化合物は、例えば米国特許第３，３５７，９８５号明細書により既知である。
【０１８９】
好ましいのは、式（Ｖ）（式中、Ｒ５１は、非置換であるか、またはＣ１〜Ｃ１０−アルキルから選択される１個もしくは２個の置換基を持つフェニルであり、Ｒ５３およびＲ５４はそれぞれフェニルであり、かつＲ５２、Ｒ５５、Ｒ５６、Ｒ５７、Ｒ５８およびＲ５９はそれぞれ水素である）のベンゾキサンテン化合物である。適した化合物は、国際公開第２０１４／１３１６２８号の図２Ａ、図２Ｂおよび図２Ｃに示されている。
【０１９０】
好ましいのはまた、式（Ｖ）（式中、Ｘ５は、ＯまたはＳであり、Ｒ５１はＣ１〜Ｃ２４−アルキルであり、かつＲ５２〜Ｒ５９は水素である）のベンゾ（チ）オキサンテン化合物である。好ましくは、Ｒ５１はＣ６〜Ｃ２０−アルキルである。
【０１９１】
適した化合物を以下に示す
【化２８】
2020532222.tif 000034
【０１９２】
【化２９】
2020532222.tif 000035
【０１９３】
有機蛍光着色剤（Ｂ６）
式（ＶＩＡ）および（ＶＩＢ）のベンゾイミダゾキサンテンイソキノリン化合物は、国際公開第２０１５／０６２９１６号により既知である。適した化合物は、国際公開第２０１５／０６２９１６号の３頁、２４行目〜８頁、２４行目、特に図３Ａ、図３Ｂ、図３Ｃに示されている。
【０１９４】
有機蛍光着色剤（Ｂ７）
式（ＶＩＩ）の構造単位を有する化合物は、国際公開第２０１２／１６８３９５号により既知である。一般に、それは黄色蛍光色素である。本発明の周波数変換体における使用に関して、式（ＶＩＩ）の構造単位を有する化合物は、好ましくは、国際公開第２０１２／１６８３９５号に、２８頁、１４行目〜３２頁、５行目に記載の化合物である。
【０１９５】
本発明の周波数変換体における使用に関して、式（ＶＩＩ）の構造単位を有する化合物は、より好ましくは、式（ＶＩＩ−１）、（ＶＩＩ−２）、（ＶＩＩ−３）、（ＶＩＩ−４）、（ＶＩＩ−５）、（ＶＩＩ−６）、（ＶＩＩ−７）、（ＶＩＩ−８）、（ＶＩＩ−９）、（ＶＩＩ−１０）、（ＶＩＩ−１１）、（ＶＩＩ−１２）、（ＶＩＩ−１３）、（ＶＩＩ−１４）、（ＶＩＩ−１５）、（ＶＩＩ−１６）、（ＶＩＩ−１７）、（ＶＩＩ−１８）、（ＶＩＩ−１９）、（ＶＩＩ−２０）、（ＶＩＩ−２１）、（ＶＩＩ−２２）、（ＶＩＩ−２３）、（ＶＩＩ−２４）、（ＶＩＩ−２５）、（ＶＩＩ−２６）、（ＶＩＩ−２７）、（ＶＩＩ−２８）、（ＶＩＩ−２９）、（ＶＩＩ−３０）、（ＶＩＩ−３１）、（ＶＩＩ−３２）、（ＶＩＩ−３３）、（ＶＩＩ−３４）、（ＶＩＩ−３５）、（ＶＩＩ−３６）、（ＶＩＩ−３７）、（ＶＩＩ−３８）、（ＶＩＩ−３９）、（ＶＩＩ−４０）、（ＶＩＩ−４１）、（ＶＩＩ−４２）、（ＶＩＩ−４３）、（ＶＩＩ−４４）、（ＶＩＩ−４５）、（ＶＩＩ−４６）、（ＶＩＩ−４７）、（ＶＩＩ−４８）、（ＶＩＩ−４９）、（ＶＩＩ−５０）、（ＶＩＩ−５１）、（ＶＩＩ−５２）、（ＶＩＩ−５３）、（ＶＩＩ−５４）、（ＶＩＩ−５５）
【化３０−１】
2020532222.tif 000036
【０１９６】
【化３０−２】
2020532222.tif 000037
【０１９７】
【化３０−３】
2020532222.tif 000038
【０１９８】
【化３０−４】
2020532222.tif 000039
【０１９９】
【化３０−５】
2020532222.tif 000040
【０２００】
（ここで、
ｎ７は、０、１、２、３、４、５、６、７、８、９または１０からの数であり；
Ｒ７１は独立して、水素、その炭素鎖が１個もしくは複数の−Ｏ−、−Ｓ−、−ＣＯ−、−ＳＯ−および／または−ＳＯ２−部分を含んでいてもよく、かつ一置換もしくは多置換されていてもよいＣ１〜Ｃ１８−アルキルまたはシクロアルキル；
一置換もしくは多置換されていてもよいアリールまたはヘテロアリールである）
の化合物またはそれらの混合物から選択される。
【０２０１】
特に好ましいのは、式（ＶＩＩ−５）、（ＶＩＩ−６）、（ＶＩＩ−７）および（ＶＩＩ−８）の化合物ならびにそれらの混合物である。特に好ましいのはまた、式（ＶＩＩ−５６）、（ＶＩＩ−５７）、（ＶＩＩ−５８）および（ＶＩＩ−５９）の化合物ならびにそれらの混合物である。
【０２０２】
有機蛍光着色剤（Ｂ８）
式（ＶＩＩＩ）および（ＩＸ）のペリレンイミド化合物は、例えば、国際公開第２００７／００６７１７号または米国特許第６，４７２，０５０号明細書により、当技術分野において周知である。式（ＩＸ）の９−シアノ置換ペリレン−３，４−ジカルボン酸モノイミドはまた、国際公開第２００４／０２９０２８号により既知である。それらは通常、橙色蛍光色素である。
【０２０３】
好ましくは、式（ＶＩＩＩ）の化合物において、Ｒ８１およびＲ８２は、直鎖もしくは分岐鎖のＣ１〜Ｃ１８アルキル基、ハロゲンで、または直鎖もしくは分岐鎖のＣ１〜Ｃ１８アルキルで一置換もしくは多置換されていてもよいＣ４〜Ｃ８シクロアルキル基、あるいはハロゲンで、または直鎖もしくは分岐鎖のＣ１〜Ｃ１８アルキルで一置換もしくは多置換されていてもよいフェニルまたはナフチルである。
【０２０４】
好ましくは、Ｒ８１およびＲ８２は同じ意味を有する。
【０２０５】
１つの実施形態において、式ＶＩＩＩ中のＲ８１およびＲ８２は、国際公開第２００９／０３７２８３号に、１６頁、１９行目〜２５頁、８行目に記載のいわゆる燕尾置換（ｓｗａｌｌｏｗｔａｉｌ  ｓｕｂｓｔｉｔｕｔｉｏｎ）された化合物を表す。好ましい実施形態において、Ｒ８１およびＲ８２は互いに独立して、１−アルキルアルキル、例えば１−エチルプロピル、１−プロピルブチル、１−ブチルペンチル、１−ペンチルヘキシルまたは１−ヘキシルヘプチルである。
【０２０６】
好ましい実施形態において、有機蛍光着色剤（Ｂ８）は、式（ＶＩＩＩ−１）
【化３１】
2020532222.tif 000041
【０２０７】
（式中、
ｘ８は、１、２または３であり；
ｙ８は、１、２または３であり；
Ｒ１８１はＣ１〜Ｃ４−アルキルであり；かつ
Ｒ１８２はＣ１〜Ｃ４−アルキルである）
の化合物から選択される。
【０２０８】
好ましくは、ｘ８は２である。好ましくは、ｙ８は２である。好ましくは、Ｒ１８１およびＲ１８２は、イソプロピルおよびｔｅｒｔ−ブチルから選択される。
【０２０９】
式（ＶＩＩＩ）の好ましい化合物はＮ，Ｎ’−ビス（２，６−ジイソプロピルフェニル）−３，４，９，１０−ペリレンテトラカルボン酸ジイミド（ＣＡＳ番号：８２９５３−５７−９）である。
【０２１０】
式（ＩＸ）の適した９−シアノ置換ペリレン−３，４−ジカルボン酸モノイミドは、好ましくは、Ｒ９２が、直鎖もしくは分岐鎖のＣ１〜Ｃ１８アルキル基、ハロゲンで、または直鎖もしくは分岐鎖のＣ１〜Ｃ１８アルキルで一置換もしくは多置換されていてもよいＣ４〜Ｃ８シクロアルキル基、あるいはハロゲンで、または直鎖もしくは分岐鎖のＣ１〜Ｃ１８アルキルで一置換もしくは多置換されていてもよいフェニルまたはナフチルであるものである。
【０２１１】
１つの実施形態において、式ＩＸ中のＲ９２は、国際公開第２００９／０３７２８３号に、１６頁、１９行目〜２５頁、８行目に記載のいわゆる燕尾置換された化合物を表す。好ましい実施形態において、Ｒ９２は、１−アルキルアルキル、例えば１−エチルプロピル、１−プロピルブチル、１−ブチルペンチル、１−ペンチルヘキシルまたは１−ヘキシルヘプチルである。
【０２１２】
別の好ましい実施形態において、Ｒ９２は、２，４−ジ（ｔｅｒｔ−ブチル）フェニル２，６−ジイソプロピルフェニルまたは２，６−ジ（ｔｅｒｔ−ブチル）フェニルである。特に、Ｒ９２は２，６−ジイソプロピルフェニルである。
【０２１３】
有機蛍光着色剤（Ｂ９）
式（Ｘ）の４−アミノ置換ナフタルイミド化合物は当技術分野において既知である。式（Ｘ）の適した４−アミノ置換ナフタルイミド化合物は、好ましくは、Ｒ１０１が、直鎖もしくは分岐鎖のＣ１〜Ｃ１０−アルキル、１個もしくは複数の酸素により中断されているＣ２〜Ｃ１０−アルキル、またはＣ３〜Ｃ８−シクロアルキルであるものである。Ｒ１０２は、好ましくは水素である。式（Ｘ）の適した化合物は４−（ブチルアミノ）−Ｎ−ブチル−１，８−ナフタルイミド（ＣＡＳ番号：１９１２５−９９−６）である。同じく好ましくは、Ｒ１０２は、直鎖または分岐鎖のＣ１〜Ｃ１０−アルキルである。式（Ｘ）の化合物は、２ステップで合成することができる。第１のステップは、１，４−ジオキサンまたは２−メトキシエタノールなどの溶媒中、還流下で対応する４−クロロ−１，８−ナフタルイミドを与えるアミンとの４−クロロ−１，８−ナフタル酸無水物の縮合であり得る。第２のステップは、塩素原子を脂肪族一級アミンまたは二級アミンで置換するものである。
【０２１４】
有機蛍光着色剤（Ｂ１０）
７−（ジエチルアミノ）−３−（５−メチルベンゾ［ｄ］オキサゾール−２−イル）−２Ｈ−クロメン−２−オンはＤｉｓｐｅｒｓｅ  Ｙｅｌｌｏｗ（ＣＡＳ登録番号３４５６４−１３−１）としても既知である。
【０２１５】
有機蛍光着色剤（Ｂ１１）
式（ＸＩＡ）および（ＸＩＢ）の化合物は、米国特許第５，４７０，５０２号明細書により既知である。それらは通常、黄色蛍光色素である。好ましいのは、式（ＸＩＡ）および（ＸＩＢ）（式中、Ｒ１１１は、直鎖Ｃ１〜Ｃ１０−アルキルまたは分岐鎖Ｃ３〜Ｃ１０−アルキルである）の化合物である。好ましい例は、ジイソブチル−３，９−ペリレンジカルボキシレート、ジイソブチル−３，１０−ペリレンジカルボキシレートおよびそれらの混合物である。特に好ましいのは、ジイソブチル−３，９−ペリレンジカルボキシレートおよびジイソブチル−３，１０−ペリレンジカルボキシレートの混合物である。
【０２１６】
有機蛍光着色剤（Ｂ１２）
式（ＸＩＩＡ）および（ＸＩＩＢ）の化合物は、米国特許第５，４７０，５０２号明細書により既知である。それらは通常、黄色蛍光色素である。好ましいのは、式（ＸＩＩＡ）および（ＸＩＩＢ）（式中、Ｒ１２１は、直鎖Ｃ１〜Ｃ１０−アルキルまたは分岐鎖Ｃ３〜Ｃ１０−アルキルである）の化合物である。好ましい例は、ジイソブチル−４，１０−ジシアノペリレン−３，９−ジカルボキシレートおよびジイソブチル−４，９−ジシアノペリレン−３，１０−ジカルボキシレートならびにそれらの混合物である。特に好ましいのは、ジイソブチル−４，１０−ジシアノペリレン−３，９−ジカルボキシレートおよびジイソブチル−４，９−ジシアノペリレン−３，１０−ジカルボキシレートの混合物である。
【０２１７】
有機蛍光着色剤（Ｂ１３）
式（ＸＩＩＩ）の化合物の適した例は、例えば、国際公開第２００７／００６７１７号に、特に１頁、５行目〜２２頁、６行目に；米国特許第４，８４５，２２３号明細書、特に２段、５４行目〜６段、５４行目に；国際公開第２０１４／１２２５４９号に、特に３頁、２０行目〜９頁、１１行目に；欧州特許第３０７２８８７号明細書に、かつ優先日に未公開のＥＰ  １６１９２６１７．５に、特に３５頁、３４行目〜３７頁、２９行目に記載のペリレン誘導体である。式（ＸＩＩＩ）の化合物は、通常橙色または赤色蛍光着色剤である。好ましいのは、式（ＸＩＩＩ）（式中、Ｒ１３１およびＲ１３２はそれぞれ、Ｃ１〜Ｃ１０−アルキル、２，６−ジ（Ｃ１〜Ｃ１０−アルキル）アリールおよび２，４−ジ（Ｃ１〜Ｃ１０−アルキル）アリールから独立して選択される）の化合物である。より好ましくは、Ｒ１３１およびＲ１３２は同一である。とりわけ、Ｒ１３１およびＲ１３２はそれぞれ、２，６−ジイソプロピルフェニルまたは２，４−ジ−ｔｅｒｔ−ブチルフェニルである。Ｒ１３３は、好ましくは、非置換であるか、またはフッ素、塩素、Ｃ１〜Ｃ１０−アルキルおよびフェニルから選択される１個もしくは２個の同一か異なる置換基で置換されているフェノキシである。好ましくは、ｐ１３は、２、３または４、特に２または４である。
【０２１８】
式（ＸＩＩＩ）の化合物は、例えば、国際公開第２００７／００６７１７号、米国特許第４，８４５，２２３号明細書、欧州特許第３０７２８８７号明細書および国際公開第２０１４／１２２５４９号に記載の方法と同様に調製することができる。
【０２１９】
適した有機蛍光着色剤Ｂ１３は、例えば、Ｎ，Ｎ’−ビス（２，６−ジイソプロピルフェニル）−１，６，７，１２−テトラフェノキシペリレン−３，４：９，１０−テトラカルボキシミド、Ｎ，Ｎ’−ビス（２，６−ジイソプロピルフェニル）−１，７−ジ（２，６−ジイソプロピルフェノキシ）ペリレン−３，４：９，１０−テトラカルボキシミド、Ｎ，Ｎ’−ビス（２，６−ジイソプロピルフェニル）−１，６−ジ（２，６−ジイソプロピルフェノキシ）ペリレン−３，４：９，１０−テトラカルボキシミド、Ｎ，Ｎ’−ビス（２，６−ジイソプロピルフェニル）−１，７−ジ（ｐ−ｔｅｒｔ−オクチルフェノキシ）ペリレン−３，４；９，１０−テトラカルボキシミド、Ｎ，Ｎ’−ビス（２，６−ジイソプロピルフェニル）−１，７−ジフェノキシペリレン−３，４；９，１０−テトラカルボキシミド、Ｎ，Ｎ’−ビス（２，６−ジイソプロピルフェニル）−１，７−ジ（２，６−ジフェニルフェノキシ）ペリレン−３，４；９，１０−テトラカルボキシミド、Ｎ，Ｎ’−ビス（２，６−ジイソプロピルフェニル）−１，６−ジ（２，６−ジフェニルフェノキシ）ペリレン−３，４；９，１０−テトラカルボキシミド、Ｎ，Ｎ’−ビス（２，６−ジイソプロピルフェニル）−１，６，７，１２−テトラ（２−フェニルフェノキシ）ペリレン−３，４：９，１０−テトラカルボキシミド、Ｎ，Ｎ’−ビス（２，６−ジイソプロピルフェニル）−１，７−ジ（２，３−ジフルオロフェノキシ）ペリレン−３，４：９，１０−テトラカルボキシミド、Ｎ，Ｎ’−ビス（２，６−ジイソプロピルフェニル）−１，６，７，１２−テトラ（２，３−ジフルオロフェノキシ）ペリレン−３，４：９，１０−テトラカルボキシミド、Ｎ，Ｎ’−ビス（２，６−ジイソプロピルフェニル）−１，６，７，１２−テトラ（３−フルオロフェノキシ）ペリレン−３，４：９，１０−テトラカルボキシミド、Ｎ，Ｎ’−ビス（２，６−ジイソプロピルフェニル）−１，６，７，１２−テトラ（２，６−ジフルオロフェノキシ）ペリレン−３，４：９，１０−テトラカルボキシミド、Ｎ，Ｎ’−ビス（２，６−ジイソプロピルフェニル）−１，６，７，１２−テトラ（２，５−ジフルオロフェノキシ）ペリレン−３，４：９，１０−テトラカルボキシミド、Ｎ，Ｎ’−ビス（２，６−ジイソプロピルフェニル）−１，６，７，１２−テトラ（２，３−ジクロロフェノキシ）ペリレン−３，４：９，１０−テトラカルボキシミド、Ｎ，Ｎ’−ビス（２，６−ジイソプロピルフェニル）−１，６，７，１２−テトラ（３−クロロフェノキシ）ペリレン−３，４：９，１０−テトラカルボキシミド、Ｎ，Ｎ’−ビス（２，６−ジイソプロピルフェニル）−１，６，７，１２−テトラ（２，６−ジクロロフェノキシ）ペリレン−３，４：９，１０−テトラカルボキシミド、Ｎ，Ｎ’−ビス（２，６−ジイソプロピルフェニル）−１，６，７，１２−テトラ（２，５−ジクロロフェノキシ）ペリレン−３，４：９，１０−テトラカルボキシミドである。
【０２２０】
特に、有機蛍光着色剤（Ｂ１３）は、化合物（ＸＩＩＩ−１）、（ＸＩＩＩ−２）、（ＸＩＩＩ−３）および（ＸＩＩＩ−４）
【化３２】
2020532222.tif 000042
【０２２１】
から選択される。
【０２２２】
有機蛍光着色剤（Ｂ１４）
式（ＸＩＶ）の化合物は、国際公開第２０１７／１２１８３３号の主題である。式（ＸＩＶ）の化合物は、通常橙色または赤色蛍光着色剤である。式（ＸＩＶ）（ここで、Ｒ１４１およびＲ１４２は、互いに独立して、非置換であるか、または１個、２個もしくは３個のＣ１〜Ｃ６−アルキルで置換されているフェニルから選択され；かつＲ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８はそれぞれ水素である）の化合物が好ましい。上で定義した式（ＸＩＶ）の化合物は、好ましくは、
【化３３】
2020532222.tif 000043
【０２２３】
である。
【０２２４】
式（ＸＩＶ）の化合物は、式（ＸＩＶａ）
【化３４】
2020532222.tif 000044
【０２２５】
（ここで、
Ｈａｌは、それぞれの場合において臭素であり、またはそれぞれの場合において塩素であり；かつ
Ｒ１４１およびＲ１４２は、上で定義した通りである）
の適切な塩化または臭化ペリレンビスイミドを、
式（ＸＩＶｂ）の２，２’−ビフェノール化合物および適切な場合は式（ＸＩＶｃ）の２，２’−ビフェノール化合物
【化３５】
2020532222.tif 000045
【０２２６】
（ここで、
Ｒ１４３、Ｒ１４４、Ｒ１４５、Ｒ１４６、Ｒ１４７、Ｒ１４８、Ｒ１４９、Ｒ１４１０、Ｒ１４１１、Ｒ１４１２、Ｒ１４１３、Ｒ１４１４、Ｒ１４１５、Ｒ１４１６、Ｒ１４１７およびＲ１４１８は、上で定義した通りである）
と反応させることにより調製することができる。
【０２２７】
式（ＸＩＶｃ）の２，２’−ビフェノールも、式（ＸＩＶｂ）の２，２’−ビフェノールのために定義された通りであり得る（式（ＸＩＶｂ）の１種のみの２，２’−ビフェノールがハロゲン交換反応に使用される場合）。
【０２２８】
有機蛍光着色剤（Ｂ１５）
式（ＸＶ）の化合物の適した例は、例えば、国際公開第２０１６／０２６８６３号に、特に６頁、３２行目〜１８頁、２６行目に記載の化合物である。特に好ましいのは、国際公開第２０１６／０２６８６３号の化合物２４５５、２４５２、２５１７および２４４０である。式（ＸＶ）の化合物の適した例はまた、欧州特許第３１０１０８７号明細書、特に［００５９］〜［００７８］に記載の化合物である。
【０２２９】
特に、有機蛍光着色剤（Ｂ１５）は、式（ＸＶ−１）
【化３６】
2020532222.tif 000046
【０２３０】
の化合物である。
【０２３１】
有機蛍光着色剤（Ｂ１６）
第１の好ましい実施形態において、有機蛍光着色剤（Ｂ１６）は、化合物（ＸＶＩ−１）
【化３７】
2020532222.tif 000047
【０２３２】
（式中、
ｘ１６１は、１、２または３であり；
ｙ１６２は、１、２または３であり；
Ｒ１６１はＣ１〜Ｃ４−アルキルであり；かつ
Ｒ１６２はＣ１〜Ｃ４−アルキルである）
から選択される。
【０２３３】
好ましくは、ｘ１６１は２である。好ましくは、ｙ１６２は２である。好ましくは、Ｒ１６１およびＲ１６２は、イソプロピルまたはｔｅｒｔ−ブチルから選択される。
【０２３４】
さらなる好ましい実施形態において、有機蛍光着色剤（Ｂ１６）は、化合物（ＸＶＩ−２）
【化３８】
2020532222.tif 000048
【０２３５】
（式中、
ｘ１６１は、１、２または３であり；
ｙ１６２は、１、２または３であり；
Ｒ１６１はＣ１〜Ｃ４−アルキルであり；かつ
Ｒ１６２はＣ１〜Ｃ４−アルキルである）
から選択される。
【０２３６】
好ましくは、ｘ１６１は２である。好ましくは、ｙ１６２は２である。好ましくは、Ｒ１６１およびＲ１６２は、イソプロピルまたはｔｅｒｔ−ブチルから選択される。
【０２３７】
周波数変換体は、上で定義した、例えば１、２、３、４、５、６、７、８、９、１０または１０より後からの複数種の有機蛍光着色剤（Ｂ）を含んでいてもよい。好ましくは、周波数変換体は、混合光が、例えば、特定の色温度および／または演色評価数を有する白色光を発生するように、各着色剤が異なる色を生じる、有機蛍光着色剤（Ｂ１）、（Ｂ２）、（Ｂ３）、（Ｂ４）、（Ｂ５）、（Ｂ６）、（Ｂ７）、（Ｂ８）、（Ｂ９）、（Ｂ１０）、（Ｂ１１）、（Ｂ１２）、（Ｂ１３）、（Ｂ１４）、（Ｂ１５）または（Ｂ１６）のうちの少なくとも２種、例えば２種、３種または４種の異なる群から選択される有機蛍光着色剤（Ｂ）を含む。より好ましくは、周波数変換体は、Ｂ１群、Ｂ２群、Ｂ３群、Ｂ４群、Ｂ５群、Ｂ７群、Ｂ８群、Ｂ１１群、Ｂ１２群、Ｂ１３群、Ｂ１４群、Ｂ１５群、Ｂ１６群から選択される少なくとも２種の着色剤Ｂ、例えば２種、３種もしくは４種またはそれらの混合物を含む。特に、色変換体は、Ｂ７群の化合物およびＢ１３群の化合物から選択される有機蛍光着色剤の組合せを含む。
【０２３８】
特に、有機蛍光着色剤Ｂは、以下の化合物またはそれらの混合物から選択される：
【化３９−１】
2020532222.tif 000049
【０２３９】
【化３９−２】
2020532222.tif 000050
【０２４０】
（式中、Ｒ２置換基、Ｒ３置換基、Ｒ６置換基およびＲ７置換基のうちの３個は水素であり、かつＲ２置換基、Ｒ３置換基、Ｒ６置換基およびＲ７置換基のうちの１個はシアノである）；
【化４０−１】
2020532222.tif 000051
【０２４１】
【化４０−２】
2020532222.tif 000052
【０２４２】
【化４０−３】
2020532222.tif 000053
【０２４３】
【化４０−４】
2020532222.tif 000054
【０２４４】
特定の実施形態において、有機蛍光着色剤は、黄色放出着色剤および赤色放出着色剤の組合せ、または黄色放出着色剤および橙色放出着色剤の組合せ、または黄緑色放出着色剤および赤色放出着色剤の組合せであり得る。２種を超える有機蛍光着色剤、例えば黄色放出着色剤、黄緑色放出着色剤および赤色放出着色剤または黄色放出着色剤、黄緑色放出着色剤および橙色放出着色剤を使用することが有益な場合もある。
【０２４５】
特定の実施形態において、上で定義した（１種または複数種の）有機蛍光着色剤（Ｂ）は、ポリマーマトリックス材料に埋め込まれる。
【０２４６】
ポリマーマトリックス中の上で定義した（１種または複数種の）有機蛍光着色剤（Ｂ）の濃度は、周波数変換体の厚さおよびポリマーのタイプに応じて設定される。薄いポリマー層が使用される場合、（１種または複数種の）有機蛍光着色剤の濃度は一般に、厚いポリマー層の場合より高い。典型的には、ポリマー中の（１種または複数種の）有機蛍光着色剤（Ｂ）の量は、実現されるべき相関色温度ＣＣＴにも依存する。（１種または複数種の）黄色蛍光着色剤および（１種または複数種の）赤色蛍光着色剤の濃度を高くすることにより、ＬＥＤから放出される光がより長い波長に調整され、必要なＣＣＴを有する白色光が得られることを当業者なら理解するであろう。
【０２４７】
典型的には、本発明による（１種または複数種の）赤色有機蛍光着色剤の濃度は、通常、使用されるポリマーの量に基づいて、０．０００１〜０．５重量％、好ましくは０．００１〜０．１重量％の範囲内である。（１種または複数種の）黄色または黄緑色有機蛍光着色剤の濃度は典型的には、使用されるポリマーの量に基づいて、０．００２〜０．５重量％、好ましくは０．００３〜０．４重量％である。
【０２４８】
例えば、ＣＣＴまたは演色評価数（ＣＲＩ）を考えると、（１種または複数種の）黄色蛍光着色剤および（１種または複数種の）赤色蛍光着色剤の混合物を使用することが有利な場合がある。（１種または複数種の）黄色または黄緑色放出有機蛍光着色剤対（１種または複数種の）赤色有機蛍光着色剤の比は、典型的には、１：１〜２５：１、好ましくは２：１〜２０：１、より好ましくは２：１〜１５：１の範囲内、例えば１０：１または３：１または４：１である。着色剤の比は、選ばれた光源に依存することを当業者であれば容易に理解するであろう。所望のＣＣＴについて、４２０ｎｍ〜４８０ｎｍの間の放出の中心波長を有する青色ＬＥＤにより光が発生される場合の黄色色素／赤色着色剤の比は、６０００〜２００００Ｋの間のＣＣＴを有する白色ＬＥＤにより光が発生される場合の黄色着色剤／赤色着色剤の比と比較して、はるかに大きい。
【０２４９】
顔料／散乱体
特別な実施形態において、周波数変換体は、散乱体としての少なくとも１種の無機白色顔料を追加的に含む。
【０２５０】
上述の実施形態のいずれかによれば、周波数変換体は、散乱体としての少なくとも１種の無機白色顔料を追加的に含むことができる。同じく、上述の実施形態のいずれかによれば、周波数変換体は、少なくとも１種の有機散乱体を追加的に含むことができる。
【０２５１】
好ましい実施形態において、有機蛍光着色剤を含む層またはマトリックスのうちの少なくとも１つは、光のための散乱体を含む。
【０２５２】
適した散乱体は、ＤＩＮ  １３３２０による０．０１〜１０μｍ、好ましくは０．１〜１μｍ、より好ましくは０．１５〜０．４μｍの平均粒径を有する無機白色顔料、例えば二酸化チタン、硫酸バリウム、リトポン、酸化亜鉛、硫化亜鉛、炭酸カルシウム、特にＴｉＯ２に基づく散乱体である。これらの散乱体は、典型的には、それぞれの場合において散乱体を含む層のポリマーに基づいて、０．０１〜２．０重量％、好ましくは０．０５〜１重量％、より好ましくは０．１〜０．５重量％の量で含まれる。
【０２５３】
適した有機光散乱体には、ポリ（アクリレート）；ポリ（アルキルメタクリレート）、例えばポリ（メチルメタクリレート）（ＰＭＭＡ）；ポリ（テトラフルオロエチレン）（ＰＴＦＥ）；シリコーンベースの散乱剤、例えば加水分解されたポリ（アルキルトリアルコキシシラン）およびそれらの混合物に基づくものが含まれる。これらの光散乱体のサイズ（平均直径−重量平均）は、通常、０．５〜５０μｍ、好ましくは（ｐｒｅｆｅａｂｌｙ）１〜１０μｍの範囲内である。これらの光散乱体は、典型的には、それぞれの場合において散乱体を含む層のポリマーに基づいて、１〜１０重量％の量で含まれる。有用な光散乱体は、例えば３〜５重量％のＰＭＭＡベースの散乱剤および１．５〜２重量％のシリコーンベースの散乱体の混合物である。
【０２５４】
同様に適しているのは、欧州特許出願公開第６３４４４５号明細書に記載されているように、ＴｉＯ２と組み合わせた、コア／シェル形態を有するアクリル酸ビニルに基づくポリマー粒子を含む光散乱組成物である。
【０２５５】
周波数変換体が、１種を超える有機蛍光着色剤を含む場合、本発明の１つの実施形態において、複数種の蛍光着色剤が１つの層内に互いに並んで存在することが可能である。
【０２５６】
別の実施形態において、様々な蛍光着色剤が様々な層内に存在する。
【０２５７】
特別な実施形態において、周波数変換体は、各層が少なくとも１種の有機蛍光着色剤を含む多層構造、好ましくは二層構造を有する。本実施形態において、層のうちの１つまたは１つを超えるがすべてではない層またはすべての層が、散乱体、好ましくはＴｉＯ２を含む。
【０２５８】
１つの実施形態において、周波数変換体は、一緒に積層されて複合体を形成した複数のポリマー層からなり、異なるポリマー層内に様々な蛍光着色剤および／または散乱体が存在することができる。
【０２５９】
さらなる実施形態において、周波数変換体の少なくとも１つのポリマー層は、ガラス繊維で機械的に強化されている。
【０２６０】
適した周波数変換体は、任意の所望の幾何学的配置であり得る。周波数変換体は、例えば、膜、シートまたはプラーク（ｐｌａｑｕｅｓ）の形態でもよい。同様に、有機蛍光着色剤を含むマトリックスは、液滴状または半球状であっても、あるいは凸面および／もしくは凹面、平面または球面を有するレンズの形態であってもよい。本発明の１つの実施形態において、少なくとも１種の有機蛍光着色剤を含むポリマー層（マトリックス）は、厚さ２５〜１０００マイクロメートル（μｍ）、好ましくは３５〜４００μｍ、特に５０〜３００μｍである。
【０２６１】
別の実施形態において、有機蛍光着色剤を含むポリマー層は、厚さ０．２〜５ｍｍ、好ましくは０．３〜３ｍｍ、より好ましくは０．４〜１ｍｍである。特に好ましくは、有機蛍光着色剤を含むポリマー層は、厚さ４００〜９００μｍ、特に４００〜８５０μｍである。
【０２６２】
周波数変換体が１つの層からなるか、または積層構造を有する場合、好ましい実施形態において、個々の層は連続的であり、穴または中断が全くない。
【０２６３】
本発明の周波数変換体は、任意選択で、バッキング層などのさらなる構成要素を含んでいてもよい。
【０２６４】
バッキング層は、周波数変換体に機械的安定性を与える働きをする。バッキング層用の材料のタイプは重要ではない。ただし、透明であり、かつ所望の機械的強度を有するものとする。バッキング層に適した材料は、例えば、ガラス、あるいはポリカーボネート、ポリスチレンまたはポリメタクリレートもしくはポリメチルメタクリレートなどの透明な硬い有機ポリマーである。
【０２６５】
バッキング層は一般に、０．１ｍｍ〜１０ｍｍ、好ましくは０．２ｍｍ〜５ｍｍ、より好ましくは０．３ｍｍ〜２ｍｍの厚さを有する。
【０２６６】
本発明の１つの実施形態において、本発明の周波数変換体は、国際公開第２０１２／１５２８１２号に開示されているように、酸素および／または水に対する少なくとも１つのバリア層を有する。バリア層に適したバリア材料の例は、例えば、ガラス、石英、金属酸化物、ＳｉＯ２、Ａｌ２Ｏ３層およびＳｉＯ２層の交互層から構成される多層系、窒化チタン、ＳｉＯ２／金属酸化物多層材料、ポリビニルアルコール、ポリアクリロニトリル、ポリ塩化ビニリデン（ＰＶＤＣ）、液晶ポリマー（ＬＣＰ）、ポリスチレン−アクリロニトリル（ＳＡＮ）、ポリブチレンテレフタレート（ＰＢＴ）、ポリブチレンナフタレート（ＰＢＮ）、ポリエチレンテレフタレート（ＰＥＴ）、ポリエチレンナフタレート（ＰＥＮ）、ポリビニルブチレート（ＰＢＴ）、ポリ塩化ビニル（ＰＶＣ）、ポリアミド、ポリオキシメチレン、ポリイミド、ポリエーテルイミド、エポキシ樹脂、エチレン−酢酸ビニル（ＥＶＡ）から誘導されるポリマーならびにエチレン−ビニルアルコール（ＥＶＯＨ）から誘導されるポリマーである。
【０２６７】
バリア層に好ましい材料は、ガラスまたはＡｌ２Ｏ３層およびＳｉＯ２層の交互層から構成される多層系である。
【０２６８】
好ましくは、適したバリア層は、酸素に対する透過性が低い。
【０２６９】
より好ましくは、適したバリア層は、酸素および水に対する透過性が低い。
【図面の簡単な説明】
【０２７０】
ここで、図面を参照して本発明の実施形態を説明する。
【図１】本発明による送信機のある実施形態を含む、本発明によるデータ送信システムのある実施形態の概略図である。
【０２７１】
図１を参照して、本発明による送信機１のある実施形態を説明する：
送信機は、第１の電磁放射３を発生および放出するための放射源２を備える。放射源２は、青色光を放出するＬＥＤであり、放出の中心波長は、４００ｎｍ〜４８０ｎｍの間、特に４４０ｎｍ〜４７０ｎｍの間である。
【０２７２】
さらに、第１の電磁放射３が周波数変換体４を照らすように、送信機１は、放射源２により放出された第１の電磁放射３の方向に配置されている周波数変換体４を含む。周波数変換体４は、放射源２から離れた配置で配置されている。本実施形態において、放射源２と周波数変換体との間の距離は０．１〜１０ｃｍである。
【０２７３】
１つの実施形態によれば、放射源２および周波数変換体４は、ハウジング５内に配置されてもよい。ハウジング５は、送信機により放出される電磁放射に関して部分的に透明である。好ましい実施形態によれば、放射源２および周波数変換体４は、ハウジング５内に配置されない。周波数変換体４は、ハウジング５の透明な部分の内面に適用される。特に、周波数変換体４は、押出、印刷、被覆または成型により形成される。
【０２７４】
周波数変換体４は、放射源２により放出された第１の電磁放射３の少なくとも一部を第２の電磁放射６に変換する。第２の電磁放射６は、第１の電磁放射３とは異なる。周波数変換体４は、第１の電磁放射３の第１の波長を、第１の波長より長い第２の電磁放射６の第２の波長に変換するように適合されている。
【０２７５】
周波数変換体４が、放射源２により放出された青色光を、白色光を生成する可視スペクトル範囲内の帯スペクトルに変換するように、第２の電磁放射６は、４５０ｎｍ〜７００ｎｍの範囲内の波長を含む帯スペクトルを有する。第１の電磁放射、すなわち、青色ＬＥＤにより放出された青色光の帯域幅は、第２の電磁放射の帯域幅より狭い。したがって、放出された青色光は白色光に広幅化する。
【０２７６】
周波数変換体４により発生された白色光は、送信機１により最後に放出される。したがって、送信機１は、可視スペクトル範囲内の電磁放射を放出する。
【０２７７】
さらに、送信機１は、放射源２を制御するための制御ユニット７を備える。特に、放射源２は、制御ユニット７によりオン・オフすることができる。さらに、制御ユニット７は、放射源２を形成する青色ＬＥＤの青色光放出の強度を制御することができる。例えば、強度は、パルス幅変調（ＰＷＭ）により制御することができる。
【０２７８】
さらに、送信機１は、送信されるデータに応じて、放射源２により放出された第１の電磁放射を変調するように適合されている変調器８を備える。本実施形態において、変調器８は制御ユニット７に接続されている。変調器８は、変調信号を制御ユニット７に伝送する。次いで、制御ユニット７は、この変調信号を放射源２の制御に適用する。変調信号は、光強度を制御するためのパルス幅変調から独立していることに留意されたい。送信されるデータは、変調信号によりコード化される。特に、強度変調を使用してデータを送信することができ、すなわち、放射源２により放出された第１の電磁放射３の強度は、送信されるデータに応じて変化する。しかし、変化は非常に小さいため、見る人には知覚できない。
【０２７９】
さらに、変調器８はデータ源９に接続されている。データ源９は、送信されるデータを変調器８に伝送し、変調器８は、そのようなデータを、制御ユニットにより使用することができる変調信号に変換する。
【０２８０】
したがって、放射源２を形成する青色ＬＥＤは、送信されるデータにしたがって変調される第１の電磁放射３として青色光を放出する。そのような変調された青色光は、周波数変換体４により変調された白色光に変換され、変調された白色光は、変調された第２の電磁放射６を生成する。したがって、本実施形態の周波数変換体４は、光変換体または周波数変換体と呼ばれることもある。
【０２８１】
周波数変換体４は、以下でより詳しく説明する特定の特性を有する。周波数変換体４の１つの特性は、本実施形態では白色光である変換された電磁放射が、第１の電磁放射３の変調に対応して変調されることである。データ送信のために使用される変調は周波数変換体４により維持される。以下でより詳しく説明するように、蛍光が、周波数変換体４による周波数変換のために使用される。しかし、蛍光減衰時間はかなり短く、したがって、変調はぼやけない。
【０２８２】
第２の電磁放射６の、すなわち、白色光の光束の値は、少なくとも１００ｌｍ〜３００００ｌｍの範囲内であり得る。したがって、一方でデータを送信するための、かつ他方で照射光を放出するための送信機１を含む照射装置が形成される。そのような照射装置は、照明器具、ランプまたはその他の任意の照明装置が従来使用され得るあらゆる場所で使用することができる。
【０２８３】
加えて、知覚できないより低い光束も発生させることができるように照射装置を減光することもできて、したがって、照射装置が照明に使用されないとき、データ送信を行うこともできる。
【０２８４】
以下において、本発明によるデータ送信システムのある実施形態を説明する：
データ送信システムは、上述の送信機１を含む。さらに、データ送信システムは受信ユニット１０を含む。受信ユニット１０は、送信機１により放出された変調された第２の電磁放射６の少なくとも一部を検出するための受信機１１を含む。したがって、受信機１１は、第２の電磁放射６を照射される位置にある。さらに、送信機１により放出された変調された第２の電磁放射６にフィルタをかけるために、光学フィルタ１２が受信機１１の前に配置されてもよい。受信機１１は、光検出器、太陽電池、またはカメラ、例えばコンピュータもしくはスマートフォンのカメラであってもよい。
【０２８５】
受信ユニット１０は、受信機１１に接続されているデータ分析装置１３をさらに含む。データ分析装置１３は、当技術分野において既知の通り、検出された変調された第２の電磁放射６からデータを抽出するように適合されている。
【０２８６】
変調器８により適用される変調は、様々に適用することができることに留意されたい。上述の実施形態において、変調が強度変化により放射源２に直接適用されるように、変調器８は制御ユニット７に接続されている。他の実施形態によれば、変調器８はまた、放射源２と周波数変換体４との間に位置していてもよい。この場合、変調されていない第１の電磁放射が、放射源２により発生および放出される。次いで、周波数変換体４を照らす変調された第１の電磁放射３が発生されるように、第１の変調されていない電磁放射３が変調器により変調される。上述の通り、次いで、周波数変換体４は、変調された第１の電磁放射３を、特に照射装置の白色光である変調された第２の電磁放射６に変換する。
【０２８７】
他の実施形態において、変調器は、周波数変換体４に組み込まれることさえある。しかし、この場合、周波数変換体４は、変調器により制御することができる能動素子でなければならない。
【０２８８】
以下において、送信機１および送信機１を使用するデータ送信システムの実施形態において使用される周波数変換体４の一例を詳しく説明する：
【０２８９】
符号の説明
１  送信機
２  放射源
３  第１の電磁放射
４  周波数変換体
５  ハウジング
６  第２の電磁放射
７  制御ユニット
８  変調器
９  データ源
１０  受信ユニット
１１  受信機
１２  赤外フィルタ
１３  分析ユニット。
【０２９０】
例
以下の図および例は、本発明を説明するためのものであり、限定するものと解釈されるべきではない。
【０２９１】
以下の色素１〜２４を例において使用した。
【０２９２】
色素１：（Ｂ１３群からの着色剤）
Ｎ，Ｎ’−ビス（２，６−ジイソプロピルフェニル）−１，６，７，１２−テトラフェノキシペリレン−３，４：９，１０−テトラカルボキシミド
色素１は、例えば、ＢＡＳＦ  ＳＥから購入することができる。
【０２９３】
色素２：（Ｂ１２群からの着色剤）
ジイソブチル４，９−ジシアノペリレン−３，１０−ジカルボキシレートとのジイソブチル４，１０−ジシアノペリレン−３，９−ジカルボキシレート混合物
【化４１】
2020532222.tif 000055
【０２９４】
色素２は、例えば、ＢＡＳＦ  ＳＥから購入することができる。
【０２９５】
色素３：（Ｂ８群からの着色剤）
【化４２】
2020532222.tif 000056
【０２９６】
色素３は、例えば、ＢＡＳＦ  ＳＥから購入することができる。
【０２９７】
色素４：（Ｂ８群からの着色剤）
Ｎ，Ｎ’−ビス（２，６−ジイソプロピルフェニル）−３，４，９，１０−ペリレンテトラカルボン酸ジイミド
【化４３】
2020532222.tif 000057
【０２９８】
色素４は、例えば、ＢＡＳＦ  ＳＥから購入することができる。
【０２９９】
色素５：（Ｂ１３群からの着色剤）
【化４４】
2020532222.tif 000058
【０３００】
色素５は、欧州特許第３０７２８８７号明細書に記載の方法と同様に調製することができる。
【０３０１】
色素６：（Ｂ１３群からの着色剤）
【化４５】
2020532222.tif 000059
【０３０２】
２．２ｇ（２．６ｍｍｏｌ）の１，６，７，１２−テトラクロロ−Ｎ，Ｎ’−２，６−ジイソプロピルフェニルペリレン−３，４，９，１０−テトラカルボン酸ジイミド、４．２５ｇ（３１．２ｍｍｏｌ）の２−イソプロピルフェノール、２．５２ｇ（１８．２ｍｍｏｌ）のＫ２ＣＯ３および１７０ｍＬのＮ−メチルピロリドンの混合物を９０℃まで１７時間加熱した。その後、混合物を１１０℃まで１０時間加熱した。さらに２．１２ｇ（１５．６ｍｍｏｌ）の２−イソプロピルフェノールおよび１．２６ｇのＫ２ＣＯ３を加え、２３時間加熱し続けた。さらに２．１２ｇ（１５．６ｍｍｏｌ）の２−イソプロピルフェノールおよび１．２６ｇのＫ２ＣＯ３を加え、６時間加熱し続けた。生成物を１Ｌの希ＨＣｌで沈殿させた。ジクロロメタンで抽出後、７．５ｇの液体粗材料を得、これを、トルエンジコロロメタン（ｔｏｌｕｅｎｅ  ｄｉｃｈｏｌｏｒｏｍｅｔｈａｎｅ）を使用するカラムクロマトグラフィーによりさらに精製した。０．２８ｇの純粋な表題化合物を単離した。
【０３０３】
Ｒｆ（石油エーテル／酢酸エチル８：１）＝０．３。
【０３０４】
ラムダ極大放出：６１６ｎｍ（ポリカーボネート中）。
【０３０５】
色素７：（Ｂ１１群からの着色剤）
ジイソブチルペリレン−３，１０−ジカルボキシレートとのジイソブチルペリレン−３，９−ジカルボキシレート混合物
【化４６】
2020532222.tif 000060
【０３０６】
色素７は、例えば、ＢＡＳＦ  ＳＥから購入することができる。
【０３０７】
色素８：（Ｂ５群からの着色剤）
【化４７】
2020532222.tif 000061
【０３０８】
色素８は、国際公開第２０１４／１３１６２８号に記載の通り調製することができる。
【０３０９】
色素９：（Ｂ７群からの着色剤）
【化４８】
2020532222.tif 000062
【０３１０】
色素９は、国際公開第２０１２／１６８３９５号の例１０に記載の通り調製することができる。
【０３１１】
色素１０：（Ｂ３群からの着色剤）
化合物（１０．ａ）および（１０．ｂ）
【化４９】
2020532222.tif 000063
【０３１２】
（式中、
Ｒ２置換基、Ｒ３置換基、Ｒ６置換基およびＲ７置換基のうちの３個は水素であり；かつ
Ｒ２置換基、Ｒ３置換基、Ｒ６置換基およびＲ７置換基のうちの１個はシアノである）
の混合物。
【０３１３】
色素１０は、国際公開第２０１５／１６９９３５号の例３に記載の通り調製することができる。
【０３１４】
色素１１：（Ｂ１群からの着色剤）
【化５０】
2020532222.tif 000064
【０３１５】
１１．１
【化５１】
2020532222.tif 000065
【０３１６】
の調製
国際公開第２０１２／１６８３９５号の例６に記載の手順にしたがって、表題化合物ならびに対応する一臭化化合物および二臭化化合物および四臭化化合物の混合物を得た。三臭化化合物は約４０重量％を占める。
【０３１７】
１１．２  表題化合物の調製
２．５ｇ（０．００５ｍｏｌ）ｇの例１１．１の三臭化化合物、４．４１ｇ（０．０３ｍｏｌ）の４−シアノフェニルボロン酸、５ｍＬの水に溶解させた２．０７ｇ（０．０１５ｍｏｌ）の炭酸カリウムおよび０．１７４ｇ（０．０００１５ｍｏｌ）のテトラキストリフェニルホスフィンパラジウム（０）の混合物を９０℃で４時間加熱した。室温まで冷却した後、残留物を濾過して取り出し、メタノールおよび水で洗い、真空中で乾燥し、２．２９ｇの粗生成物を得た。この化合物をカラムクロマトグラフィー（シリカゲル；トルエン／酢酸エチル２０：１）により精製し、０．９２ｇ（３２％）の黄色の固体を得た。
【０３１８】
Ｒｆ（トルエン／酢酸エチル１０：１）＝０．３。
【０３１９】
ラムダ極大放出＝５０８ｎｍ（ポリカーボネート）。
【０３２０】
色素１２：（Ｂ２群からの着色剤）
【化５２】
2020532222.tif 000066
【０３２１】
の混合物
色素１２は、国際公開第２０１５／０１９２７０号の例３に記載の通り調製することができる。
【０３２２】
色素１３：（Ｂ５群からの着色剤）
【化５３】
2020532222.tif 000067
【０３２３】
色素１３は、国際公開第２０１４／１３１６２８号（化合物２４０１）に記載の通り調製することができる。
【０３２４】
色素１４：（Ｂ１３群からの着色剤）
【化５４】
2020532222.tif 000068
【０３２５】
５ｇ（５．９ｍｍｏｌ）のＮ，Ｎ’−（２，６−ジイソプロピルフェニル）−１，６，７，１２−テトラクロロペリレンテトラカルボン酸ジイミド、４．２３ｇ（２４．９ｍｍｏｌ）のビフェニル−２−オール、１３８．２１ｇ（１６．９ｍｍｏｌ）の炭酸カリウムおよび３０ｍＬのＮ−メチル−２−ピロリドン（ＮＭＰ）の混合物を室温で２４時間、次いで１１５℃で４８時間撹拌した。８０℃まで冷却した後、反応混合物を１０ｍＬの酢酸および２０ｍＬの水の混合物に過剰に（ｔｒｏｐｗｉｓｅ）１５分以内で加え、２時間にわたり室温まで冷却し、次いで濾過した。残留物を３００ｍＬのエタノール／水（１：１）の混合物で、次いで６００ｍＬのエタノール／水／ＮＭＰ（４：４：１）の混合物で洗った。残留物を３５ｍＬのエタノールおよび５ｍＬのＮＭＰの混合物に還流下で溶解させ、次いで室温まで冷却し、分離し、５．６ｇ（６２％）の赤色色素を得、これを、シクロヘキサン／酢酸エチルを使用するクロマトグラフィーにより精製した。収量は２．０６ｇ（２３％）であった。Ｒｆ（シロヘキサン（ｃｙｌｏｈｅｘａｎｅ）／酢酸エチル１０：１）＝０．２９。
【０３２６】
色素１５：（Ｂ１４群からの着色剤）
【化５５】
2020532222.tif 000069
【０３２７】
色素１５は、国際公開第２０１７／１２１８３３号の例１に記載の通り調製することができる。
【０３２８】
色素１６：（Ｂ５群からの着色剤）
【化５６】
2020532222.tif 000070
【０３２９】
色素１６は、国際公開第２０１４／１３１６２８号に記載の化合物と同様に調製することができる。
【０３３０】
色素１７：（Ｂ４群からの着色剤）
【化５７】
2020532222.tif 000071
【０３３１】
色素１７は、国際公開第２０１６／１５１０６８号の例６に記載の通り調製することができる。
【０３３２】
色素１８：（Ｂ４群からの着色剤）
【化５８】
2020532222.tif 000072
【０３３３】
色素１８は、国際公開第２０１６／１５１０６８号の例５に記載の通り調製することができる。
【０３３４】
色素１９：（Ｂ１群からの着色剤）
化合物
【化５９】
2020532222.tif 000073
【０３３５】
の混合物
１９．１  ２，４−ジブロモ−６−ニトロアニリン
１０ｇ（０．０７２ｍｏｌ）の２−ニトロアニリン、１００ｍＬの氷酸、１４．５ｍＬ（０．２９ｍｏｌ；４６．４ｇ）の臭素の混合物を約４５℃で加熱した。２時間後、さらに３．０ｍＬ（０．０６ｍｏｌ）の臭素を加え、反応混合物をさらに２時間撹拌した。過剰な臭素を脱ガスした。反応混合物に水を加えた。沈殿物を吸引して取り出し、水で洗い、乾燥し、２１．０ｇ（９８％）の黄色の固体を得た。
【０３３６】
Ｒｆ（トルエン／酢酸エチル１０：１）＝０．８。
【０３３７】
１９．２  ４−［４−アミノ−３−（４−シアノフェニル）−５−ニトロフェニル］ベンゾニトリル
３６７ｍＬのトルエン、１９．４５ｇ（０．０６６ｍｏｌ）の１９．１の化合物、２１．７２ｇ（０．２４２ｍｏｌ）の４−シアノフェニルボロン酸、５０ｍＬの水に溶解させた３１．６ｇ（０．１１４ｍｏｌ）の炭酸カリウム、６．０２ｇ（０．００６６ｍｏｌ）のトリス（ジベンジリデンアセトン）ジパラジウムおよびトルエン中の２６ｍＬ（０．０２６４ｍｏｌ）のトリ−ｔｅｒｔ−ブチルホスフィン溶液の混合物を窒素下、８０〜９０℃で３時間加熱した。反応混合物を室温まで冷却した。沈殿物を濾過し、水で洗い、２１．６ｇ（９６％）の黄色の固体に乾燥した。
【０３３８】
Ｒｆ（トルエン／酢酸エチル１０：１）＝０．２９。
【０３３９】
１９．３  ４−［３，４−ジアミノ−５−（４−シアノフェニル）フェニル］ベンゾニトリル
１９．９ｇ（０．０５８４ｍｏｌ）の１９．２の化合物、４００ｍＬのエタノール、１００ｍＬのＮ−メチルピロリドンおよび４４．０ｇ（０．２３２８ｍｏｌ）の塩化亜鉛（ＩＩ）の混合物を還流下、８５℃で２時間加熱した。室温までの冷却および濾過の後、蒸留によりエタノールを濾液から除去した。水およびエタノールを加えることにより、表題化合物を沈殿させた。沈殿物を濾過して取り出し、熱水で洗い、真空中で乾燥し、無機塩を含む２５．９ｇ（１４３％）の黄色の化合物を得た。
【０３４０】
Ｒｆ（トルエン／酢酸エチル１０：１）＝０．１。
【０３４１】
１９．４
【化６０】
2020532222.tif 000074
【０３４２】
の混合物
２５０ｍＬのキノリン、８．８ｇ（０．０３２ｍｏｌ）の４−ブロモ−１，８−ナフタル酸無水物、１１．０ｇ（０．０３２ｍｏｌ；純度９０％）の１９．３からの混合物、６．０ｇ（０．０３２ｍｏｌ）の酢酸亜鉛の混合物を窒素下、１３０℃で２時間加熱した。室温まで冷却した後、２００ｍＬのメタノールを加えた。混合物を一晩撹拌し、続いて濾過した。残留物をメタノールおよび水で洗った。１１．４５ｇ（６５％）の黄色の沈殿物を得た。
【０３４３】
Ｒｆ（トルエン／酢酸エチル１０：１）＝０．５。
【０３４４】
１９．５  表題化合物の混合物
１１．０ｇ（０．０２ｍｏｌ）の１９．４からの化合物の混合物、２．６８ｇ（０．０２ｍｏｌ）のフェニルボロン酸、５．５２ｇ（０．０４ｍｏｌ）の炭酸カリウム、３０ｍＬの水、２５０ｍＬのトルエンおよび０．２３ｇ（０．０００２ｍｏｌ）のテトラキストリフェニルホスフィンパラジウムの混合物を９０℃で２時間加熱した。室温まで冷却した後、残留物を濾過して取り出し、メタノールおよび水で洗い、真空中で乾燥し、１０．５（９５％）の黄黒色の残留物を得た。この残留物を還流下で加熱することにより４００ｍＬのトルエンに溶解させ、２．０ｇの活性炭を加え、混合物を３０分間撹拌し、続いて高温濾過した。濾液を一晩徐冷し、沈殿物を濾過して取り出した。収量：パラジウムを含まない２．３ｇの表題化合物。
【０３４５】
Ｒｆ（トルエン／酢酸エチル１０：１）＝０．５。
【０３４６】
ラムダ極大放出：５１９ｎｍ（ポリカーボネート中）。
【０３４７】
色素２０：（Ｂ５群からの着色剤）
【化６１】
2020532222.tif 000075
【０３４８】
色素２０は、国際公開第２０１４／１３１６２８号に記載の通り調製することができる。
【０３４９】
色素２１：（Ｂ１５群からの着色剤）
【化６２】
2020532222.tif 000076
【０３５０】
色素２１は、国際公開第２０１２／１６８３９５号に記載の方法と同様に調製することができる。
【０３５１】
色素２２：（Ｂ７群からの着色剤）
【化６３】
2020532222.tif 000077
【０３５２】
の混合物
色素２２は、国際公開第２０１２／１６８３９５号に記載の通り調製することができる。
【０３５３】
色素２３：（Ｂ１６群からの着色剤）
【化６４】
2020532222.tif 000078
【０３５４】
色素２３は、国際公開第２００７／００６７１７号の例２に記載の通り調製することができる。
【０３５５】
色素２４：（Ｂ１６群からの着色剤）
【化６５】
2020532222.tif 000079
【０３５６】
色素２４は、Ｃｈｅｍ．Ｅｕｒ．Ｊ．１９９７，３，ｐ．２１９−２２５に記載の通り調製することができる。
【０３５７】
色素の試験のための周波数変換体の生成：
以下に記載の方法によるポリマーマトリックスへの取込みにより周波数変換体を生成するために前述の蛍光色素を使用した。使用したポリマーは、ポリメチルメタクリレート（ＰＭＭＡ、Ｅｖｏｎｉｋ製Ｐｌｅｘｉｇｌａｓ（登録商標）６Ｎ）、ポリスチレン（ＰＳ、ＢＡＳＦ製１６８Ｎ）およびポリカーボネート（ＰＣ、Ｂａｙｅｒ製Ｍａｃｒｏｌｏｎ（登録商標）２８０８）であった。それぞれの場合において使用されるポリマーの量に基づいて、約２．５ｇのポリマーおよび０．００８重量％〜０．０６重量％の色素を約５ｍＬの塩化メチレンに溶解させ、０．５重量％のＴｉＯ２（Ｋｒｏｎｏｓ  ２２２０）をその中に分散させた。各変換体の厳密な組成は表１に記載されている。得られた溶液／分散物をアプリケータフレーム（Ｅｒｉｃｓｅｎ製、湿潤膜厚４００μｍ）を使用してガラス表面上に被覆した。溶媒が乾いた後、膜をガラスから剥がし、真空乾燥キャビネット内で５０℃で一晩乾燥した。１５ｍｍの直径を有する厚さ８０〜８５μｍの２つの円形の膜片を各膜から打ち抜き、分析サンプルとして使用した。
【０３５８】
量子収率の測定：
分析サンプルの蛍光量子収率（ＱＹ）をＨａｍａｍａｔｓｕ製Ｃ９９２０−０２量子収率測定装置を使用して測定した。これは、サンプルのそれぞれを積分球（ウルブリヒト球）内で４４５〜４５５ｎｍの光で照らすことにより行った。サンプルがないウルブリヒト球内の基準測定と比較して、励起光の非吸収部分およびサンプルにより放出された蛍光がＣＣＤ分光器により測定される。吸収されなかった励起光のスペクトル強度および放出された蛍光のスペクトル強度を積分すると、吸収度および蛍光強度がそれぞれ得られ、したがって、各サンプルの蛍光量子収率を計算することができる。すべての測定を室温で実施した。
【０３５９】
励起状態寿命τｖおよび放出寿命τ０の決定：
調製した薄膜の励起状態寿命（τｖ）は、１０ｋＨｚ（８５μＷ、１０５μＷ／ｃｍ２）で動作させた４５０ｎｍの励起波長を有するパルスダイオードレーザ（Ｐｉｃｏｑｕａｎｔ）を使用して薄膜を励起し、時間相関単一光子計数法（ＴＣＳＰＣ）により放出を検出することにより測定される。４５０ｎｍの放出極大を有する青色ＬＥＤが使用される照明用途に近づけるためにこの波長を選んだ。減衰曲線への単一指数関数のあてはめを使用して励起状態寿命（τｖ）を決定した。すべての測定を室温で実施した。
【０３６０】
放出寿命τ０は、τ０＝τｖ／ＱＹにより計算される。放射減衰過程のみがここでは考慮されるため、この値は、異なる材料間で比較することが重要である。以下の表１に結果をまとめる。励起は４５０ｎｍにおいてであり、２列目に示す減衰率を放出極大で決定した。一部の材料を異なるマトリックス中で測定し、一部のサンプルはまた、散乱体の影響を見るためにＴｉＯ２を膜に加えずに測定した。
【０３６１】
表１
【表１−１】
2020532222.tif 000080
【０３６２】
【表１−２】
2020532222.tif 000081
【０３６３】
加えて、色素２３および２４については、それらが４５０ｎｍではほとんど吸収しないため、６３５ｎｍで励起を行った。以下の表２に結果をまとめる。
【０３６４】
表２
【表２】
2020532222.tif 000082
【０３６５】
２種の色素を使用した周波数変換体膜
２種の色素（１および９）を使用した周波数変換体膜を調製および測定した。膜Ｃ１〜Ｃ５を押出により、Ｃ６およびＣ７をドクターブレード法により調製した。以下の表３に、マトリックスポリマーとしてのＰＣ中で混合した成分の濃度をまとめる。
【０３６６】
表３
【表３】
2020532222.tif 000083
【０３６７】
ＬＥＤ１およびＬＥＤ２をそれぞれ、変換体膜をポンピングするための光源として使用した。
【０３６８】
９１０８ＫのＣＣＴを有する冷白色ＬＥＤ１をＴ８型の透明なプラスチック管に挿入した。変換体膜の長方形の片を半管の形にし、管に挿入した。したがって、変換体膜は冷白色ＬＥＤを覆う。
【０３６９】
ＬＥＤ２：混合チャンバ内部の青色ＬＥＤ（４５０ｎｍ）を備えたダウンライトを、直径６１ｍｍの変換体膜の平面の円形小板によって完全に覆う。
【０３７０】
これらの装置の表面から照射された光に対して光度測定を行い、ここで、積分球ＩＳＰ  ５００−１００およびＣＣＤ検出器ＣＡＳ  １４０ＣＴ−１５６（Ｉｎｓｔｒｕｍｅｎｔ  Ｓｙｓｔｅｍｓ（ミュンヘン）製）を備えた光度測定ツールにより、装置から照射された全光を測定した。測定された放射輝度スペクトルを使用して、すべての関連する測光データ、例えば、ケルビン［Ｋ］単位のＣＣＴ（＝相関色温度）、プランク曲線（ＢＢＬ）からの色点の距離、平均演色評価数ＣＲＩおよび基準色ｎｏ．９（Ｒ９）の演色評価数、有効性データなどを得た。結果を以下の表４に示す。Ｃ１〜Ｃ５は冷白色ＬＥＤ１を使用して、Ｃ６およびＣ７は青色ＬＥＤ２を使用して最適化および測定した。すべての測定を室温で実施した。
【０３７１】
表４
【表４】
2020532222.tif 000084
【０３７２】
これらの周波数変換体膜について、減衰時間を上述の通り測定した（混合物中の個々の着色剤の蛍光量子収率を決定することはできないため、放出寿命τ０を計算することはできない）。蛍光スペクトルにおいて小さいピーク極大の変化が、異なる着色剤濃度に対して観察された。黄色および赤色色素それぞれの極大の両方において放出を測定した。赤色色素は、黄色放出からの再吸収によっても励起されるため、その減衰時間はより長い。結果を表５に示す。
【０３７３】
表５
【表５】
2020532222.tif 000085
【０３７４】
照射条件下の着色剤の寿命
本発明にしたがって使用される周波数変換体のポリマーマトリックス中の着色剤の光安定性を、Ｔ８０値を測定することにより調査した。測定は室温で実施した。日単位のＴ８０は、量子収率と吸収との積がその初期値の８０％まで減少する時間である。この目的のために、本発明による蛍光着色剤および０．５重量％のＴｉＯ２をドープしたＰＣポリマー膜を上述の通り調製した。比較する目的で、ＰＳ中のＳｕｐｅｒ  Ｙｅｌｌｏｗおよび０．５重量％のＴｉＯ２を含む周波数変換体をドクターブレード法により調製したが、その理由は、ＰＣ中のＳｕｐｅｒ  Ｙｅｌｌｏｗを含む周波数変換体を調製することができなかったからである。Ｓｕｐｅｒ  Ｙｅｌｌｏｗの濃度は１％、膜厚：約２０μｍであった。色素１〜２２および比較着色剤Ｓｕｐｅｒ  Ｙｅｌｌｏｗの濃度は、入射する青色光の約５０％をそれらが吸収するように選んだ。色素２３および２４の濃度は、６３５ｎｍの入射光の約５０％をそれらが吸収するように選んだ。
【０３７５】
色素１〜２２および比較着色剤Ｓｕｐｅｒ  Ｙｅｌｌｏｗは１２０ｍＷ／ｃｍ２の青色光照射（４５０ｎｍ）で照らす一方、色素２３および２４は、４５０ｎｍにおけるそれらの吸収が無視できるため、１００ｍＷ／ｃｍ２の白色光で照らした。結果を表６にまとめる。
【０３７６】
表６
【表６−１】
2020532222.tif 000086
【０３７７】
【表６−２】
2020532222.tif 000087
【０３７８】
表６から見て分かる通り、本発明にしたがって使用される着色剤は、実際の照射条件下で長い寿命を有し、測定は膜中で行ったため、したがって、実際の使用の値である。本発明にしたがって使用される着色剤のＴ８０値は、先行技術の着色剤Ｓｕｐｅｒ  ＹｅｌｌｏｗのＴ８０値よりもはるかに長い。
【図１】
2020532222.tif 000104
【国際調査報告】
2020532222.tif 000105
2020532222.tif 000106
2020532222.tif 000107